(57)【要約】【課題】プリンタを組み込んだ優れたモバイル機器を提供する。【解決手段】動作可能な構成と動作不能な構成になるように相互に対して移動可能な第１（５２２）と第２（５２４）の本体部分と、被印刷媒体（５２８）上に印刷する印刷ヘッド（１４８）と、被印刷媒体（５２８）を印刷ヘッド（１４８）の先に送る媒体送り経路（５３８）とを備え、媒体送り経路（５３８）が、動作可能な構成にあるときに、第１の本体部分（５２２）から第２の本体部分（５２４）にまで延在するモバイル機器（５２０）。【選択図】図１５
2008543599.tif 000002
【特許請求の範囲】
【請求項１】
動作可能な構成と動作不能な構成になるように相互に対して移動可能な第１と第２の本体部分と、
被印刷媒体上に印刷する印刷ヘッドと、
前記被印刷媒体を前記印刷ヘッドの先に送る媒体送り経路とを備え、前記媒体送り経路が、前記動作可能な構成にあるときに、前記第１の本体部分から前記第２の本体部分にまで延在する
モバイル機器。
【請求項２】
前記媒体送り経路が、前記第１と第２の本体部分が前記動作可能な構成にあるときに実質的に直線である請求項１に記載のモバイル機器。
【請求項３】
前記第１の本体部分が前記第２の本体部分にヒンジ結合されている請求項１に記載のモバイル機器。
【請求項４】
前記第１の本体部分が前記第２の本体部分に摺動可能に連結されている請求項１に記載のモバイル機器。
【請求項５】
前記第２の本体部分が、印刷後に前記被印刷媒体を保持する収集機構を有する請求項１に記載のモバイル機器。
【請求項６】
前記第１の本体部分が前記被印刷媒体の格納機構を有し、前記印刷ヘッドが、前記格納機構と前記収集機構の間に位置付けられている請求項５に記載のモバイル機器。
【請求項７】
前記印刷ヘッドが、
被印刷媒体に印刷するノズルの配列と、
前記ノズルを覆う閉蓋位置と前記ノズルから間隔を置いた開蓋位置の間で移動可能なキャッパアセンブリであって、前記媒体から離脱すると前記閉蓋位置に移動するように前記媒体によって前記開蓋位置に保持される前記キャッパアセンブリと
を有する請求項１に記載のモバイル機器。
【請求項８】
前記被印刷媒体のシートが符号化されており、印刷エンジン制御装置が、光センサを使って前記シートの前記印刷ヘッドに対する位置を決定する請求項１に記載のモバイル機器。
【請求項９】
前記媒体を前記印刷ヘッドの先に送る駆動軸をさらに備える請求項１に記載のモバイル機器。
【請求項１０】
前記被印刷媒体がシートであり、前記シートの後縁が、印刷される前に駆動軸から離脱し、前記シートの運動量によって前記印刷ヘッドの先に突出される請求項１に記載のモバイル機器。
【請求項１１】
キャッパアセンブリが、シートが印刷された後、前記シートが手作業での収集に備えて移動電気通信機器から一部延在するように、前記シートを軽く把持する請求項４に記載のモバイル機器。
【請求項１２】
キャッパアセンブリが、シートの前縁と係合すると、閉蓋位置から開蓋位置に移動する請求項５に記載のモバイル機器。
【請求項１３】
前記印刷ヘッドが、印刷時に前記印刷媒体を、送り方向の前記印刷ヘッドの先に誘導する印刷媒体送り経路と、前記印刷媒体を、印刷のために前記印刷ヘッドの先に駆動する駆動機構とをさらに備えるカートリッジに組み込まれている請求項１に記載のモバイル機器。
【請求項１４】
前記印刷ヘッドが、インク噴出ノズルの配列を有し、前記ノズルによる噴出のために前記印刷ヘッドにインクを供給する少なくとも１つのインク容器であって、それぞれが、前記ノズルにおける前記インクの負の静水圧を誘導する少なくとも１つの吸収構造を含む前記少なくとも１つのインク容器と、不使用時に前記印刷ヘッドに蓋をする閉蓋機構とをさらに備えるカートリッジに組み込まれている請求項１に記載のモバイル機器。
【請求項１５】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記キャッパに連結された力伝達機構であって、前記媒体の縁が前記送り経路に対して移動する際に前記媒体の前記縁によって提供される力が、前記力伝達機構によって前記キャッパに伝達され、それによって少なくとも、前記媒体が前記キャッパに到達する前に、前記キャッパの前記閉蓋位置から前記開蓋位置への移動を開始するように構成された前記力伝達機構と
をさらに備える請求項１に記載のモバイル機器。
【請求項１６】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記媒体の後縁が前記印刷ヘッドから離れるまで、前記キャッパを前記開蓋位置に保持するように構成されたロック機構と
をさらに備える請求項１に記載のモバイル機器。
【請求項１７】
駆動アセンブリが、
被印刷媒体を送り経路に沿って送る媒体係合面を有する駆動軸と、
前記被印刷媒体を前記媒体係合面に対して偏らせる前記駆動軸に隣接した媒体ガイドと
を有する請求項１に記載のモバイル機器。
【請求項１８】
前記被印刷媒体のシートを前記印刷ヘッドの先に送る駆動軸
をさらに備え、使用時に前記シートが、前記シートの後縁が前記シートの印刷を完了する運動量によって前記印刷ヘッドの先に突出するように、前記シートの印刷が完了する前に前記駆動軸から離脱する請求項１に記載のモバイル機器。
【請求項１９】
前記印刷ヘッドが、
インクを噴出するノズルの配列と、
前記ノズルに印刷データを提供する印刷データ回路と、
印刷エンジン制御装置によって作動されるビーコンから光学式に前記印刷データを受け取る光センサと
を備える請求項１に記載のモバイル機器。
【請求項２０】
前記被印刷媒体のシートを前記印刷ヘッドの先に送る駆動軸と、
前記駆動軸を回転させる駆動システムであって、摩擦によって駆動ローラを回転させる前記駆動システムと
をさらに備える請求項１に記載のモバイル機器。
【請求項２１】
被印刷媒体上に印刷する印刷ヘッドと、
前記被印刷媒体を前記印刷ヘッドの先に送る媒体送り経路と、
印刷後に前記被印刷媒体を保持する収集機構と
を備えるモバイル機器。
【請求項２２】
動作可能な構成と動作不能な構成になるように相互に対して移動可能な第１と第２の本体部分
をさらに備え、前記媒体送り経路が、前記動作可能な構成にあるときに、前記第１の本体部分から前記第２の本体部分にまで延在する請求項２１に記載のモバイル機器。
【請求項２３】
前記媒体送り経路が、前記第１と第２の本体部分が前記動作可能な構成にあるときに直線である請求項２１に記載のモバイル機器。
【請求項２４】
前記第１の本体部分が前記第２の本体部分にヒンジ結合されている請求項２１に記載のモバイル機器。
【請求項２５】
前記第１の本体部分が、前記第２の本体部分に摺動可能に連結されている請求項２１に記載のモバイル機器。
【請求項２６】
前記第１の本体部分が前記被印刷媒体の格納機構を有し、前記印刷ヘッドが前記格納機構と前記収集機構の間に位置付けられている請求項２１に記載のモバイル機器。
【請求項２７】
前記印刷ヘッドが、
被印刷媒体に印刷するノズルの配列と、
前記ノズルを覆う閉蓋位置と前記ノズルから間隔を置いた開蓋位置の間で移動可能なキャッパアセンブリであって、前記媒体から離脱すると前記閉蓋位置に移動するように前記媒体によって前記開蓋位置に保持される前記キャッパアセンブリと
を有する請求項２１に記載のモバイル機器。
【請求項２８】
前記被印刷媒体のシートが符号化されており、印刷エンジン制御装置が、光センサを使って前記シートの前記印刷ヘッドに対する位置を決定する請求項２１に記載のモバイル機器。
【請求項２９】
前記媒体を前記印刷ヘッドの先に送る駆動軸を備える請求項２１に記載のモバイル機器。
【請求項３０】
前記被印刷媒体がシートであり、前記シートの後縁が、前記シートが印刷される前に駆動軸から離脱し、前記シートの運動量によって前記印刷ヘッドの先に突出される請求項２１に記載のモバイル機器。
【請求項３１】
キャッパアセンブリが、シートが印刷された後、前記シートが手作業での収集に備えて移動電気通信機器から一部延在するように、前記シートを軽く把持する請求項２４に記載のモバイル機器。
【請求項３２】
キャッパアセンブリが、シートの前縁と係合すると、閉蓋位置から開蓋位置に移動する請求項２５に記載のモバイル機器。
【請求項３３】
前記印刷ヘッドが、印刷時に前記印刷媒体を、送り方向の前記印刷ヘッドの先に誘導する印刷媒体送り経路と、前記印刷媒体を、印刷のために前記印刷ヘッドの先に駆動する駆動機構とをさらに備えるカートリッジに組み込まれている請求項２１に記載のモバイル機器。
【請求項３４】
前記印刷ヘッドが、インク噴出ノズルの配列を有し、前記ノズルによる噴出のために前記印刷ヘッドにインクを供給する少なくとも１つのインク容器であって、それぞれが、前記ノズルにおける前記インクの負の静水圧を誘導する少なくとも１つの吸収構造を含む前記少なくとも１つのインク容器と、不使用時に前記印刷ヘッドに蓋をする閉蓋機構とをさらに備えるカートリッジに組み込まれている請求項２１に記載のモバイル機器。
【請求項３５】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記キャッパに連結された力伝達機構であって、前記媒体の縁が前記送り経路に対して移動する際に前記媒体の前記縁によって提供される力が、前記力伝達機構によって前記キャッパに伝達され、それによって少なくとも、前記媒体が前記キャッパに到達する前に、前記キャッパの前記閉蓋位置から前記開蓋位置への移動を開始するように構成された前記力伝達機構と
をさらに備える請求項２１に記載のモバイル機器。
【請求項３６】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記媒体の後縁が前記印刷ヘッドから離れるまで、前記キャッパを前記開蓋位置に保持するように構成されたロック機構と
をさらに備える請求項２１に記載のモバイル機器。
【請求項３７】
駆動アセンブリが、
被印刷媒体を送り経路に沿って送る媒体係合面を有する駆動軸と、
前記被印刷媒体を前記媒体係合面に対して偏らせる前記駆動軸に隣接した媒体ガイドと
を有する請求項２１に記載のモバイル機器。
【請求項３８】
前記被印刷媒体のシートを前記印刷ヘッドの先に送る駆動軸
をさらに備え、使用時に前記シートが、前記シートの後縁が前記シートの印刷を完了する運動量によって前記印刷ヘッドの先に突出するように、前記シートの印刷が完了する前に前記駆動軸から離脱する請求項２１に記載のモバイル機器。
【請求項３９】
前記印刷ヘッドが、
インクを噴出するノズルの配列と、
前記ノズルに印刷データを提供する印刷データ回路と、
印刷エンジン制御装置によって作動されるビーコンから光学式に前記印刷データを受け取る光センサと
を備える請求項２１に記載のモバイル機器。
【請求項４０】
前記被印刷媒体のシートを前記印刷ヘッドの先に送る駆動軸と、
前記駆動軸を回転させる駆動システムであって、摩擦によって駆動ローラを回転させる前記駆動システムと
をさらに備える請求項２１に記載のモバイル機器。
【請求項４１】
モバイル機器であって、
前記機器のユーザ制御のための入力インターフェースと、
前記機器に電力供給する電池と、
被印刷媒体上に印刷する印刷ヘッドと、
いくらかの前記被印刷媒体を格納する媒体カートリッジと、
前記被印刷媒体を前記印刷ヘッドの先に送る媒体送り経路と
を備え、前記電池が、前記媒体カートリッジと前記入力インターフェースの間に位置付けられているモバイル機器。
【請求項４２】
動作可能な構成と動作不能な構成になるように相互に対して移動可能な第１と第２の本体部分
をさらに備え、前記媒体送り経路が、前記動作可能な構成にあるときに、前記第１の本体部分から前記第２の本体部分にまで延在する請求項４１に記載のモバイル機器。
【請求項４３】
前記媒体送り経路が、前記第１と第２の本体部分が前記動作可能な構成にあるときに実質的に直線である請求項４１に記載のモバイル機器。
【請求項４４】
前記第１の本体部分が前記第２の本体部分にヒンジ結合されている請求項４２に記載のモバイル機器。
【請求項４５】
前記第１の本体部分が前記第２の本体部分に摺動可能に連結されている請求項４２に記載のモバイル機器。
【請求項４６】
前記第２の本体部分が、印刷後に前記被印刷媒体を保持する収集機構を有する請求項４２に記載のモバイル機器。
【請求項４７】
前記印刷ヘッドが、
被印刷媒体に印刷するノズルの配列と、
前記ノズルを覆う閉蓋位置と前記ノズルから間隔を置いた開蓋位置の間で移動可能なキャッパアセンブリであって、前記媒体から離脱すると前記閉蓋位置に移動するように前記媒体によって前記開蓋位置に保持される前記キャッパアセンブリと
を有する請求項４１に記載のモバイル機器。
【請求項４８】
前記被印刷媒体のシートが符号化されており、印刷エンジン制御装置が、光センサを使って前記シートの前記印刷ヘッドに対する位置を決定する請求項４１に記載のモバイル機器。
【請求項４９】
前記媒体を前記印刷ヘッドの先に送る駆動軸をさらに備える請求項４１に記載のモバイル機器。
【請求項５０】
前記被印刷媒体がシートであり、前記シートの後縁が、印刷される前に駆動軸から離脱し、前記シートの運動量によって前記印刷ヘッドの先に突出される請求項４１に記載のモバイル機器。
【請求項５１】
キャッパアセンブリが、シートが印刷された後、前記シートが手作業での収集に備えて移動電気通信機器から一部延在するように、前記シートを軽く把持する請求項４４に記載のモバイル機器。
【請求項５２】
キャッパアセンブリが、シートの前縁と係合すると、閉蓋位置から開蓋位置に移動する請求項４５に記載のモバイル機器。
【請求項５３】
前記印刷ヘッドが、印刷時に前記印刷媒体を、送り方向の前記印刷ヘッドの先に誘導する印刷媒体送り経路と、前記印刷媒体を、印刷のために前記印刷ヘッドの先に駆動する駆動機構とをさらに備えるカートリッジに組み込まれている請求項４１に記載のモバイル機器。
【請求項５４】
前記印刷ヘッドが、インク噴出ノズルの配列を有し、前記ノズルによる噴出のために前記印刷ヘッドにインクを供給する少なくとも１つのインク容器であって、それぞれが、前記ノズルにおける前記インクの負の静水圧を誘導する少なくとも１つの吸収構造を含む前記少なくとも１つのインク容器と、不使用時に前記印刷ヘッドに蓋をする閉蓋機構とをさらに備えるカートリッジに組み込まれている請求項４１に記載のモバイル機器。
【請求項５５】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記キャッパに連結された力伝達機構であって、前記媒体の縁が前記送り経路に対して移動する際に前記媒体の前記縁によって提供される力が、前記力伝達機構によって前記キャッパに伝達され、それによって少なくとも、前記媒体が前記キャッパに到達する前に、前記キャッパの前記閉蓋位置から前記開蓋位置への移動を開始するように構成された前記力伝達機構と
をさらに備える請求項４１に記載のモバイル機器。
【請求項５６】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記媒体の後縁が前記印刷ヘッドから離れるまで、前記キャッパを前記開蓋位置に保持するように構成されたロック機構と
をさらに備える請求項４１に記載のモバイル機器。
【請求項５７】
駆動アセンブリが、
被印刷媒体を送り経路に沿って送る媒体係合面を有する駆動軸と、
前記被印刷媒体を前記媒体係合面に対して偏らせる前記駆動軸に隣接した媒体ガイドと
を有する請求項４１に記載のモバイル機器。
【請求項５８】
前記被印刷媒体のシートを前記印刷ヘッドの先に送る駆動軸
をさらに備え、使用時に前記シートが、前記シートの後縁が前記シートの印刷を完了する運動量によって前記印刷ヘッドの先に突出するように、前記シートの印刷が完了する前に前記駆動軸から離脱する請求項４１に記載のモバイル機器。
【請求項５９】
前記印刷ヘッドが、
インクを噴出するノズルの配列と、
前記ノズルに印刷データを提供する印刷データ回路と、
印刷エンジン制御装置によって作動されるビーコンから光学式に前記印刷データを受け取る光センサと
を備える請求項４１に記載のモバイル機器。
【請求項６０】
前記被印刷媒体のシートを前記印刷ヘッドの先に送る駆動軸と、
前記駆動軸を回転させる駆動システムであって、摩擦によって駆動ローラを回転させる前記駆動システムと
をさらに備える請求項４１に記載のモバイル機器。
【発明の詳細な説明】
【技術分野】
【０００１】
本発明は、プリンタを組み込んだモバイル機器で使用するためのカートリッジに関する。本発明では、主として、プリンタを組み込んだ移動電気通信機器（すなわち、移動電話機）での使用を意図しており、かかる用途に関して説明するものである。しかしながら、本発明が、他の種類の携帯用機器と、或いは非携帯用機器とでさえも共に使用され得ることが当分野の技術者には理解されるであろう。
【０００２】
［関連出願の相互参照］
本発明の出願者又は譲受人によって出願された以下の特許又は特許出願を、相互参照により、本明細書に組み込むものである。
【表１】
2008543599.tif 000003
【表２】
2008543599.tif 000004
【表３】
2008543599.tif 000005
いくつかの出願は整理番号で記載されている。これらは、出願番号が判明したときに置き換えられるものである。
【背景技術】
【０００３】
本発明の譲受人は、機器によって格納され、又はアクセスされる画像又は情報のハードコピーを印刷することのできる、移動電話機、携帯情報端末（ＰＤＡ）及びその他の移動電気通信機器を開発している（例えば特許文献１参照）。同様に、本発明の譲受人は、内蔵プリンタを用いて取り込み画像を印刷することのできるデジタルカメラも設計している（例えば特許文献２参照）。デジタルカメラを備える移動電気通信機器の普及が進むにつれ、これらの機器の機能は、ハードコピーを印刷できる能力によってさらに拡張される。
【０００４】
これらの機器は、携帯式であるため、使い勝手のよいようにコンパクトでなければならない。したがって、機器に組み込まれるどんなプリンタも、小型フォームファクタを維持する必要がある。また、電池にかかる余分な負荷をできるだけ少なくする必要もある。しかも、消耗品（インクや紙など）は、比較的安価で、補充が簡単である必要もある。この種の製品が商業的に成功するか否かに大きく影響するのはこれらの要因である。これらの必要な基本設計を念頭において、これらの機器の機能を改善し、洗練させようとする取り組みが行われている。
【０００５】
また、本発明の譲受人は、印刷されたインターフェースと、独自のスタイラス型の感知装置を使ったコンピュータソフトウェアとの対話を可能にするＮｅｔｐａｇｅ（商標）システムも開発している。
【０００６】
特許文献３と特許文献４に詳細に記載されているように、Ｎｅｔｐａｇｅペンは、ページなどの表面上に印刷されたコード化データのタグを取り込み、識別し、復号する。好ましいＮｅｔｐａｇｅ実装形態では、各タグが、文書の位置と識別情報を符号化している。タグの少なくとも１つを復号し、その位置（又は、ペンのより高い分解能の位置を表す、位置の洗練されたバージョン）と復号化タグによって参照される識別情報を送信することによって、リモートコンピュータが、行うべき処置を決定することができる。かかる処置には、例えば、その後の検索のためにリモートで情報を保存させることや、コンピュータによる印刷又は表示のためのＷｅｂページのダウンロードや、請求支払いや、表面に対するＮｅｔｐａｇｅ（商標）ペンの一連の位置に基づく手書き認識の実行さえもが含まれ得る。上記その他の用途は、本出願によって相互参照されているＮｅｔｐａｇｅ（商標）関連の出願の多くにおいて記載されている。
【０００７】
Ｎｅｔｐａｇｅタグは、Ｎｅｔｐａｇｅ感知装置を有する誰もが、タグと対話し、情報を獲得することを可能にする。しかしながら、場合によっては、Ｎｅｔｐａｇｅ感知装置を使ってＮｅｔｐａｇｅタグを感知することが困難であり、又は不都合なこともある。コード化データ自体をスキャンする必要もなく、Ｎｅｔｐａｇｅタグなどのコード化データ内の少なくとも一部の情報が得られるようにする印刷媒体を提供することが望ましいはずである。
【特許文献１】米国特許第６４０５０５５号
【特許文献２】米国特許第６７５０９０１号
【特許文献３】米国特許第６７９２１６５号
【特許文献４】米国特許出願第１０／７７８０５６号（２００４年２月１７日出願、整理番号第ＮＰＳ０４７ＵＳ号）
【発明の開示】
【０００８】
第１の態様において、本発明は、
動作可能な構成と動作不能な構成になるように相互に対して移動可能な第１と第２の本体部分と、
被印刷媒体上に印刷する印刷ヘッドと、
被印刷媒体を印刷ヘッドの先に送る媒体送り経路と
を備え、媒体送り経路が、動作可能な構成にあるときに、第１の本体部分から第２の本体部分にまで延在するモバイル機器を提供する。
【０００９】
２つの相対的に移動可能な本体部分は、機器が、コンパクトなフォームファクタを維持しながら、媒体送り経路を延在させることを可能にする。より長い送り経路が、手で収集するために印刷された媒体を外部に送リ出すのに代わる収集機構を可能にする。機器から印刷された媒体を送り出す際には、障害と干渉を被りやすい。
【００１０】
任意選択で、媒体送り経路は、第１と第２の本体部分が動作可能な構成にあるときに、直線である。
【００１１】
任意選択で、第１の本体部分は、第２の本体部分にヒンジ結合されている。
【００１２】
任意選択で、第１の本体部分は、第２の本体部分に摺動可能に連結されている。
【００１３】
任意選択で、第２の本体部分は、印刷後に被印刷媒体を保持する収集機構を有する。
【００１４】
任意選択で、第１の本体部分は、被印刷媒体のための格納機構を有し、印刷ヘッドは、格納機構と収集機構の間に位置付けられている。
【００１５】
任意選択で、印刷ヘッドは、被印刷媒体に印刷するノズルの配列と、ノズルを覆う閉蓋位置とノズルから間隔を置いた開蓋位置の間で移動可能なキャッパアセンブリとを有し、キャッパアセンブリは、媒体から離脱すると閉蓋位置に移動するように、媒体によって開蓋位置に保持される。
【００１６】
任意選択で、被印刷媒体のシートは符号化されており、印刷エンジン制御装置は、光センサを使って、シートの印刷ヘッドに対する位置を決定する。
【００１７】
任意選択で、移動電気通信機器は、媒体を印刷ヘッドの先に送る駆動軸をさらに備える。
【００１８】
任意選択で、被印刷媒体はシートであり、シートの後縁は、シートが印刷され、シートの運動量によって印刷ヘッドの先に突出される前に、駆動軸から離脱する。
【００１９】
任意選択で、キャッパアセンブリは、シートが印刷された後、シートが手作業での収集に備えて移動電気通信機器から一部延在するように、シートを軽く把持する。
【００２０】
任意選択で、キャッパアセンブリは、シートの前縁と係合すると、閉蓋位置から開蓋位置に移動する。
【００２１】
任意選択で、印刷ヘッドは、印刷時に印刷媒体を、送り方向の印刷ヘッドの先に誘導する印刷媒体送り経路と、印刷媒体を、印刷のために印刷ヘッドの先に駆動する駆動機構とをさらに備えるカートリッジに組み込まれている。
【００２２】
任意選択で、印刷ヘッドは、インク噴出ノズルの配列を有し、ノズルによる噴出のために印刷ヘッドにインクを供給する少なくとも１つのインク容器であって、それぞれが、ノズルにおけるインクの負の静水圧を誘導する少なくとも１つの吸収構造を含む少なくとも１つのインク容器と、不使用時に印刷ヘッドに蓋をする閉蓋機構とをさらに備えるカートリッジに組み込まれている。
【００２３】
任意選択で、移動電気通信機器は、
（ａ）印刷時に印刷媒体を、送り方向の印刷ヘッドの先に誘導する印刷媒体送り経路と、
（ｂ）キャッパが印刷ヘッドと閉蓋関係になるように駆動される閉蓋位置と、印刷ヘッドが印刷媒体上に印刷することのできる開蓋位置との間で移動可能なキャッパであって、開蓋位置では印刷ヘッドから外されているキャッパを含む閉蓋機構と、
（ｃ）キャッパに連結された力伝達機構であって、媒体の縁が送り経路に対して移動する際に媒体の縁によって提供される力が、力伝達機構によってキャッパに伝達され、それによって少なくとも、媒体がキャッパに到達する前に、キャッパの閉蓋位置から開蓋位置への移動を開始するように構成された力伝達機構と
をさらに備える。
【００２４】
任意選択で、移動電気通信機器は、
（ａ）印刷時に印刷媒体を、送り方向の印刷ヘッドの先に誘導する印刷媒体送り経路と、
（ｂ）キャッパが印刷ヘッドと閉蓋関係になるように駆動される閉蓋位置と、印刷ヘッドが印刷媒体上に印刷することのできる開蓋位置との間で移動可能なキャッパであって、開蓋位置では印刷ヘッドから外されているキャッパを含む閉蓋機構と、
（ｃ）媒体の後縁が印刷ヘッドから離れるまで、キャッパを開蓋位置に保持するように構成されたロック機構と
をさらに備える。
【００２５】
任意選択で、駆動アセンブリは、被印刷媒体を送り経路に沿って送る媒体係合面を有する駆動軸と、被印刷媒体を媒体係合面に対して偏らせる駆動軸に隣接した媒体ガイドとを有する。
【００２６】
任意選択で、移動電気通信機器は、被印刷媒体のシートを印刷ヘッドの先に送る駆動軸をさらに備え、使用時にシートは、シートの後縁がシートの印刷を完了する運動量によって印刷ヘッドの先に突出するように、シートの印刷が完了する前に駆動軸から離脱する。
【００２７】
任意選択で、印刷ヘッドは、
インクを噴出するノズルの配列と、
ノズルに印刷データを提供する印刷データ回路と、
印刷エンジン制御装置によって作動されるビーコンから光学式に印刷データを受け取る光センサと
を備える。
【００２８】
任意選択で、移動電気通信機器は、
被印刷媒体のシートを印刷ヘッドの先に送る駆動軸と、駆動軸を回転させる駆動システムであって、摩擦によって駆動ローラを回転させる駆動システムと
をさらに備える。
【００２９】
任意選択で、移動電気通信機器は、
媒体を印刷ヘッドの先に送る媒体送りアセンブリと、
印刷ヘッドを動作可能なように制御する印刷エンジン制御装置と、
印刷エンジン制御装置が、被印刷媒体の印刷ヘッドに対する速度を導き出す信号を区別し、速度の変動に応じて印刷ヘッドの動作を調整するように、印刷エンジン制御装置に被印刷媒体の印刷ヘッドに対する位置を示す信号を提供する位置センサと
をさらに備える。
【００３０】
任意選択で、移動電気通信機器は、
媒体を印刷ヘッドの先に送る駆動軸と、
印刷ヘッドを動作可能なように制御する印刷エンジン制御装置と
をさらに備え、使用時に、印刷エンジン制御装置は、駆動軸の全回転と部分回転の数を感知し、駆動軸の角速度の変動に応じて印刷ヘッドの動作を調整する。
【００３１】
任意選択で、移動電気通信機器は、少なくとも１つのインク容器をさらに備え、少なくとも１つのインク容器は、
インク貯蔵量を定義するハウジングと、
インク貯蔵量を、それぞれが印刷ヘッドへの密閉式連結のための少なくとも１つのインク排出口を有する部分に分割する１つ又は複数のバッフルと、
隣接する部分のインク排出口間の流体連通を設ける少なくとも１つの管と
を備える。
【００３２】
任意選択で、被印刷媒体は、シートの表面の少なくとも一部にコード化データが配置されたシートであり、移動電気通信機器は、
被印刷媒体のシートを、送り経路に沿って印刷ヘッドの先に送る媒体送りアセンブリと、
印刷ヘッドを動作可能なように制御する印刷エンジン制御装置と、
印刷エンジン制御装置が信号を使って、シートが印刷ヘッドに対して所定の位置にあるときに印刷を開始するように、コード化データを読み取ってシートの少なくとも１つの寸法を示す信号を生成し、その信号を印刷エンジン制御装置に送信するセンサと
をさらに備える。
【００３３】
任意選択で、被印刷媒体は、シートの表面の少なくとも一部にコード化データが配置されたシートであり、移動電気通信機器は、
被印刷媒体のシートを、送り経路に沿って印刷ヘッドの先に送る媒体送りアセンブリと、
印刷ヘッドを動作可能なように制御する印刷エンジン制御装置と、
コード化データが印刷ヘッドを通り越す前と通り越した後に、コード化データを読み取る二重感知機構と
をさらに備える。
【００３４】
別の態様において、本発明は、
被印刷媒体上に印刷する印刷ヘッドと、
被印刷媒体を印刷ヘッドの先に送る媒体送り経路と、
印刷後に被印刷媒体を保持する収集機構と
を備えるモバイル機器を提供する。
【００３５】
印刷された媒体を、手で収集するために外部に送るのではなく、収集機構に送ることにより、障害と干渉の危険が回避される。
【００３６】
任意選択で、モバイル機器は、動作可能な構成と動作不能な構成になるように相互に対して移動可能な第１と第２の本体部分をさらに備え、媒体送り経路は、動作可能な構成にあるときに、第１の本体部分から第２の本体部分にまで延在する。
【００３７】
任意選択で、媒体送り経路は、第１と第２の本体部分が動作可能な構成にあるときに、直線である。
【００３８】
任意選択で、第１の本体部分は、第２の本体部分にヒンジ結合されている。
【００３９】
任意選択で、第１の本体部分は、第２の本体部分に摺動可能に連結されている。
【００４０】
任意選択で、第１の本体部分は、被印刷媒体の格納機構を有し、印刷ヘッドは、格納機構と収集機構の間に位置付けられている。
【００４１】
任意選択で、印刷ヘッドは、被印刷媒体に印刷するノズルの配列と、ノズルを覆う閉蓋位置とノズルから間隔を置いた開蓋位置の間で移動可能なキャッパアセンブリとを有し、キャッパアセンブリは、媒体から離脱すると閉蓋位置に移動するように、媒体によって開蓋位置に保持される。
【００４２】
任意選択で、被印刷媒体のシートは符号化されており、印刷エンジン制御装置は、光センサを使って、シートの印刷ヘッドに対する位置を決定する。
【００４３】
任意選択で、モバイル機器は、媒体を印刷ヘッドの先に送る駆動軸をさらに備える。
【００４４】
任意選択で、被印刷媒体はシートであり、シートの後縁は、シートが印刷され、シートの運動量によって印刷ヘッドの先に突出される前に、駆動軸から離脱する。
【００４５】
任意選択で、キャッパアセンブリは、シートが印刷された後、シートが手作業での収集に備えて移動電気通信機器から一部延在するように、シートを軽く把持する。
【００４６】
任意選択で、キャッパアセンブリは、シートの前縁と係合すると、閉蓋位置から開蓋位置に移動する。
【００４７】
任意選択で、印刷ヘッドは、印刷時に印刷媒体を、送り方向の印刷ヘッドの先に誘導する印刷媒体送り経路と、印刷媒体を、印刷のために印刷ヘッドの先に駆動する駆動機構とをさらに備えるカートリッジに組み込まれている。
【００４８】
任意選択で、印刷ヘッドは、インク噴出ノズルの配列を有し、ノズルによる噴出のために印刷ヘッドにインクを供給する少なくとも１つのインク容器であって、それぞれが、ノズルにおけるインクの負の静水圧を誘導する少なくとも１つの吸収構造を含む少なくとも１つのインク容器と、不使用時に印刷ヘッドに蓋をする閉蓋機構とをさらに備えるカートリッジに組み込まれている。
【００４９】
任意選択で、移動電気通信機器は、
（ａ）印刷時に印刷媒体を、送り方向の印刷ヘッドの先に誘導する印刷媒体送り経路と、
（ｂ）キャッパが印刷ヘッドと閉蓋関係になるように駆動される閉蓋位置と、印刷ヘッドが印刷媒体上に印刷することのできる開蓋位置との間で移動可能なキャッパであって、開蓋位置では印刷ヘッドから外されているキャッパを含む閉蓋機構と、
（ｃ）キャッパに連結された力伝達機構であって、媒体が送り経路に対して移動する際に媒体の縁によって提供される力が、力伝達機構によってキャッパに伝達され、それによって、少なくとも、媒体がキャッパに到達する前に、キャッパの閉蓋位置から開蓋位置への移動を開始するように構成された力伝達機構と
をさらに備える。
【００５０】
任意選択で、移動電気通信機器は、
（ａ）印刷時に印刷媒体を、送り方向の印刷ヘッドの先に誘導する印刷媒体送り経路と、
（ｂ）キャッパが印刷ヘッドと閉蓋関係になるように駆動される閉蓋位置と、印刷ヘッドが印刷媒体上に印刷することのできる開蓋位置との間で移動可能なキャッパであって、開蓋位置では印刷ヘッドから外されているキャッパを含む閉蓋機構と、
（ｃ）媒体の後縁が印刷ヘッドから離れるまで、キャッパを開蓋位置に保持するように構成されたロック機構と
をさらに備える。
【００５１】
任意選択で、駆動アセンブリは、送り経路に沿って被印刷媒体を送る媒体係合面を備える駆動軸と、被印刷媒体を媒体係合面に対して偏らせる駆動軸に隣接した媒体ガイドとを有する。
【００５２】
任意選択で、移動電気通信機器１は、被印刷媒体のシートを印刷ヘッドの先に送る駆動軸をさらに備え、使用時にシートは、シートの後縁がシートの印刷を完了する運動量によって印刷ヘッドの先に突出するように、シートの印刷が完了する前に駆動軸から離脱する。
【００５３】
任意選択で、印刷ヘッドは、
インクを噴出するノズルの配列と、
ノズルに印刷データを提供する印刷データ回路と、
印刷エンジン制御装置によって作動されるビーコンから光学式に印刷データを受け取る光センサと
を備える。
【００５４】
任意選択で、移動電気通信機器は、
被印刷媒体のシートを印刷ヘッドの先に送る駆動軸と、駆動軸を回転させる駆動システムであって、摩擦によって駆動ローラを回転させると
をさらに備る。
【００５５】
任意選択で、移動電気通信機器は、
媒体を印刷ヘッドの先に送る媒体送りアセンブリと、
印刷ヘッドを動作可能なように制御する印刷エンジン制御装置と、
印刷エンジン制御装置が、被印刷媒体の印刷ヘッドに対する速度を導き出す信号を区別し、速度の変動に応じて印刷ヘッドの動作を調整するように、印刷エンジン制御装置に被印刷媒体の印刷ヘッドに対する位置を示す信号を提供する位置センサと
をさらに備える。
【００５６】
任意選択でモバイル機器は、
媒体を印刷ヘッドの先に送る駆動軸と、
印刷ヘッドを動作可能なように制御する印刷エンジン制御装置と
をさらに備え、使用時に、印刷エンジン制御装置は、駆動軸の全回転と部分回転の数を感知し、駆動軸の角速度の違いに応じて印刷ヘッドの動作を調整する。
【００５７】
任意選択で、モバイル機器は、少なくとも１つのインク容器をさらに備え、少なくとも１つのインク容器は、
インク貯蔵量を定義するハウジングと、
インク貯蔵量を、それぞれが印刷ヘッドへの密閉式連結のための少なくとも１つのインク排出口を有する部分に分割する１つ又は複数のバッフルと、
隣接する部分のインク排出口間の流体連通を設ける少なくとも１つの管と
を備える。
【００５８】
任意選択で、被印刷媒体は、シートの表面の少なくとも一部にコード化データが配置されたシートであり、移動電気通信機器は、
被印刷媒体のシートを、送り経路に沿って印刷ヘッドの先に送る媒体送りアセンブリと、
印刷ヘッドを動作可能なように制御する印刷エンジン制御装置と、
印刷エンジン制御装置が信号を使って、シートが印刷ヘッドに対して所定の位置にあるときに印刷を開始するように、コード化データを読み取ってシートの少なくとも１つの寸法を示す信号を生成し、信号を印刷エンジン制御装置に送信するセンサと
をさらに備える。
【００５９】
任意選択で、被印刷媒体は、シートの表面の少なくとも一部にコード化データが配置されたシートであり、移動電気通信機器は、
被印刷媒体のシートを、送り経路に沿って印刷ヘッドの先に送る媒体送りアセンブリと、
印刷ヘッドを動作可能なように制御する印刷エンジン制御装置と、
コード化データが印刷ヘッドを通り越す前と通り越した後に、コード化データを読み取る二重感知機構と
をさらに備える。
【００６０】
別の態様において、本発明は、モバイル機器であって、
機器のユーザ制御のための入力インターフェースと、
機器に電力を供給する電池と、
被印刷媒体上に印刷する印刷ヘッドと、
いくらかの被印刷媒体を格納する媒体カートリッジと、
被印刷媒体を印刷ヘッドの先に送る媒体送り経路と
を備え、電池が、媒体カートリッジと入力インターフェースの間に位置付けられているモバイル機器を提供する。
媒体カートリッジが、機器の電池よりも外側にあるように機器を構成することによって、ユーザが、媒体カートリッジを電池よりも頻繁に交換する必要があることが認知される。
【００６１】
任意選択で、機器は、動作可能な構成と動作不能な構成になるように相互に対して移動可能な第１と第２の本体部分をさらに備え、媒体送り経路は、動作可能な構成にあるときに、第１の本体部分から第２の本体部分にまで延在する。
【００６２】
任意選択で、媒体送り経路は、第１と第２の本体部分が動作可能な構成にあるときに、実質的に直線である。
【００６３】
任意選択で、第１の本体部分は、第２の本体部分にヒンジ結合されている。
【００６４】
任意選択で、第１の本体部分は、第２の本体部分に摺動可能に連結されている。
【００６５】
任意選択で、第２の本体部分は、印刷後に被印刷媒体を保持する収集機構を有する。
【００６６】
任意選択で、印刷ヘッドは、被印刷媒体に印刷するノズルの配列と、ノズルを覆う閉蓋位置とノズルから間隔を置いた開蓋位置の間で移動可能なキャッパアセンブリを有し、キャッパアセンブリは、媒体から離脱すると閉蓋位置に移動するように、媒体によって開蓋位置に保持される。
【００６７】
任意選択で、被印刷媒体のシートは符号化されており、印刷エンジン制御装置は、光センサを使って、シートの印刷ヘッドに対する位置を決定する。
【００６８】
任意選択で、機器は、媒体を印刷ヘッドの先に送る駆動軸をさらに備える。
【００６９】
任意選択で、被印刷媒体はシートであり、シートの後縁は、シートが印刷され、シートの運動量によって印刷ヘッドの先に突出される前に、駆動軸から離脱する。
【００７０】
任意選択で、キャッパアセンブリは、シートが印刷された後、シートが手作業での収集に備えて移動電気通信機器から一部延在するように、シートを軽く把持する。
【００７１】
任意選択で、キャッパアセンブリは、シートの前縁と係合すると、閉蓋位置から開蓋位置に移動する。
【００７２】
任意選択で、印刷ヘッドは、印刷時に印刷媒体を、送り方向の印刷ヘッドの先に誘導する印刷媒体送り経路と、印刷媒体を、印刷のために印刷ヘッドの先に駆動する駆動機構とをさらに備えるカートリッジに組み込まれている。
【００７３】
任意選択で、印刷ヘッドは、インク噴出ノズルの配列を有し、ノズルによる噴出のために印刷ヘッドにインクを供給する少なくとも１つのインク容器であって、それぞれが、ノズルにおけるインクの負の静水圧を誘導する少なくとも１つの吸収構造を含む少なくとも１つのインク容器と、不使用時に印刷ヘッドに蓋をする閉蓋機構とをさらに備えるカートリッジに組み込まれている。
【００７４】
任意選択で、移動電気通信機器は、
（ａ）印刷時に印刷媒体を、送り方向の印刷ヘッドの先に誘導する印刷媒体送り経路と、
（ｂ）キャッパが印刷ヘッドと閉蓋関係になるように駆動される閉蓋位置と、印刷ヘッドが印刷媒体上に印刷することのできる開蓋位置との間で移動可能なキャッパであって、開蓋位置では印刷ヘッドから外されているキャッパを含む閉蓋機構と、
（ｃ）キャッパに連結された力伝達機構であって、媒体が送り経路に対して移動する際に媒体の縁によって提供される力が、力伝達機構によってキャッパに伝達され、それによって、少なくとも、媒体がキャッパに到達する前に、キャッパの閉蓋位置から開蓋位置への移動を開始するように構成された力伝達機構と
をさらに備える。
【００７５】
任意選択で、移動電気通信機器は、
（ａ）印刷時に印刷媒体を、送り方向の印刷ヘッドの先に誘導する印刷媒体送り経路と、
（ｂ）キャッパが印刷ヘッドと閉蓋関係になるように駆動される閉蓋位置と、印刷ヘッドが印刷媒体上に印刷することのできる開蓋位置との間で移動可能なキャッパであって、開蓋位置では印刷ヘッドから外されているキャッパを含む閉蓋機構と、
（ｃ）媒体の後縁が印刷ヘッドから離れるまで、キャッパを開蓋位置に保持するように構成されたロック機構と
をさらに備える。
【００７６】
任意選択で、駆動アセンブリは、被印刷媒体を送り経路に沿って送る媒体係合面を備える駆動軸と、被印刷媒体を媒体係合面に対して偏らせる駆動軸に隣接した媒体ガイドとを有する。
【００７７】
任意選択で、移動電気通信機器１は、被印刷媒体のシートを印刷ヘッドの先に送る駆動軸をさらに備え、使用時にシートは、シートの後縁がシートの印刷を完了する運動量によって印刷ヘッドの先に突出するように、シートの印刷が完了する前に駆動軸から離脱する。
【００７８】
任意選択で、印刷ヘッドは、
インクを噴出するノズルの配列と、
ノズルに印刷データを提供する印刷データ回路と、
印刷エンジン制御装置によって作動されるビーコンから光学式に印刷データを受け取る光センサと
を備える。
【００７９】
任意選択で、移動電気通信機器は、
被印刷媒体のシートを印刷ヘッドの先に送る駆動軸と、駆動軸を回転させる駆動システムであって、摩擦によって駆動ローラを回転させる駆動システムと
をさらに備える。
【００８０】
任意選択で、移動電気通信機器は、
媒体を印刷ヘッドの先に送る媒体送りアセンブリと、
印刷ヘッドを動作可能なように制御する印刷エンジン制御装置と、
印刷エンジン制御装置が、被印刷媒体の印刷ヘッドに対する速度を導き出す信号を区別し、速度の変動に応じて印刷ヘッドの動作を調整するように、印刷エンジン制御装置に被印刷媒体の印刷ヘッドに対する位置を示す信号を提供する位置センサと
をさらに備える。
【００８１】
任意選択で、移動電気通信機器は、
媒体を印刷ヘッドの先に送る駆動軸と、
印刷ヘッドを動作可能なように制御する印刷エンジン制御装置と
をさらに備え、使用時に、印刷エンジン制御装置は、駆動軸の全回転と部分回転の数を感知し、駆動軸の角速度の変動に応じて印刷ヘッドの動作を調整する。
【００８２】
任意選択で、移動電気通信機器は、少なくとも１つのインク容器をさらに備え、少なくとも１つのインク容器は、
インク貯蔵量を定義するハウジングと、
インク貯蔵量を、それぞれが印刷ヘッドへの密閉式連結のための少なくとも１つのインク排出口を有する部分に分割する１つ又は複数のバッフルと、
隣接する部分のインク排出口間の流体連通を設ける少なくとも１つの管と
を備える。
【００８３】
任意選択で、被印刷媒体は、シートの表面の少なくとも一部にコード化データが配置されたシートであり、移動電気通信機器は、
被印刷媒体のシートを、送り経路に沿って印刷ヘッドの先に送る媒体送りアセンブリと、
印刷ヘッドを動作可能なように制御する印刷エンジン制御装置と、
印刷エンジン制御装置が信号を使って、シートが印刷ヘッドに対して所定の位置にあるときに印刷を開始するように、コード化データを読み取ってシートの少なくとも１つの寸法を示す信号を生成し、信号を印刷エンジン制御装置に送信するセンサと
をさらに備える。
【００８４】
任意選択で、被印刷媒体は、シートの表面の少なくとも一部にコード化データが配置されたシートであり、移動電気通信機器は、
被印刷媒体のシートを、送り経路に沿って印刷ヘッドの先に送る媒体送りアセンブリと、
印刷ヘッドを動作可能なように制御する印刷エンジン制御装置と、
コード化データが印刷ヘッドを通り越す前と通り越した後に、コード化データを読み取る二重感知機構と
をさらに備える。
【００８５】
［用語］
モバイル機器：本明細書で使用するとき、「モバイル機器」という語句は、デフォルトで、電池などの携帯式電源で動作するすべての機器を包含することが意図されている。モバイル機器は、前述の移動電気通信機器を含むのみならず、カメラ、非電気通信対応ＰＤＡ、手持ち式携帯用ゲーム機などの機器も含む。「モバイル機器」は、文脈からそうでないことが明らかでない限り、暗黙的に「移動電気通信機器」を含む。
【００８６】
移動電気通信機器：本明細書で使用するとき、「移動電気通信機器」という語句は、音声、ビデオ、オーディオ、及び／又はデータの送信及び／又は受信を使用可能にするあらゆる形態の機器を包含することが意図されている。典型的な移動電気通信機器には、
データ伝送機能を組み込んでいるか否かを問わず、あらゆる世代バージョンと国際バージョンのＧＳＭ及び３Ｇ移動電話機（携帯電話機）、及び
あらゆる世代バージョンと国際バージョンのＧＰＲＳ／ＥＤＧＥなどの無線データ通信プロトコルを組み込んだＰＤＡ
が含まれる。
【００８７】
Ｍ−Ｐｒｉｎｔ：本発明の譲受人の、通常はモバイル機器又は移動電気通信機器に組み込まれているモバイルプリンタを指す社内用語。本明細書全体を通して、Ｍ−Ｐｒｉｎｔプリンタに言及する場合、広く、その印刷機構、並びにプリンタを制御する組み込みソフトウェアと媒体コード化の（１つ又は複数の）読取り機構も含むものである。
【００８８】
Ｍ−Ｐｒｉｎｔ移動電気通信機器：Ｍｅｍｊｅｔプリンタを組み込んだ移動電気通信機器。
【００８９】
Ｎｅｔｐａｇｅ移動電気通信機器：Ｎｅｔｐａｇｅ対応Ｍｅｍｊｅｔプリンタ及び／又はＮｅｔｐａｇｅポインタを組み込んだ移動電気通信機器。
【００９０】
本明細書全体を通して、Ｍ−Ｐｒｉｎｔプリンタによって印刷するための媒体の空白面を表面という。媒体の他方の面は、事前に印刷されていても、空白であってもよく、これを裏面という。
【００９１】
本明細書全体を通して、搬送方向に平行な媒体の寸法を、縦方向の寸法という。これと直角をなす寸法を横方向の寸法という。
【００９２】
さらに、以下で媒体をカードという場合、これは、カードの構造に関する特有なものを示唆するためのものではないこと理解すべきである。カードは、紙、プラスチック、金属、ガラスなどを含む任意の適切な材料でできていてもよい。同様に、グラフィックス又は媒体コード化自体が事前に印刷されているカードへの言及も、特定の印刷プロセスも、又は印刷自体でさえも示唆するためのものではない。グラフィックス及び／又は媒体コード化は、任意の適切な手段によってカード上に、又はカード内に配置され得る。
【発明を実施するための最良の形態】
【００９３】
次に、本発明の好ましい実施形態を、例として引くにすぎないが、添付の図面を参照して説明する。
【００９４】
移動電気通信機器の概要
主要な実施形態はＮｅｔｐａｇｅと印刷両方の機能を含むが、別の実施形態では、これらの機能の一方又は他方だけが提供される。
【００９５】
かかる実施形態の１つが図１に示されており、移動電話機１（「携帯電話機」ともいう）の形の移動電気通信機器が、移動電話モジュール２とプリンタモジュール４を含む。移動電話モジュールは、当分野の技術者に知られている従来の方式で、電気通信網（不図示）を介して音声とデータを送受信するように構成されている。プリンタモジュール４は、ページ６を印刷するように構成されている。個々の実装形態に応じて、プリンタモジュール４は、ページ６を、カラー又は白黒で印刷するように構成され得る。
【００９６】
移動電気通信機器は、Ｓｙｍｂｉａｎ（ＵＩＱとＳｅｒｉｅｓ６０のＧＵＩを用いる）、Ｗｉｎｄｏｗｓ  Ｍｏｂｉｌｅ、ＰａｌｍＯＳ、Ｌｉｎｕｘなど、様々な公知のオペレーティングシステムのいずれかを使用することができる。
【００９７】
（以下でより詳細に説明する）好ましい実施形態では、印刷媒体にタグが事前に印刷されており、プリンタモジュール４は、タグに位置合わせしてページ６上に可視情報を印刷する。別の実施形態では、Ｎｅｔｐａｇｅタグが、プリンタモジュールによって、他の情報と一緒にページ６上に印刷される。タグは、可視情報を印刷するのに使用されるのと同じ可視インクを使って、又は赤外線などの実質的に不可視のインクを使って印刷され得る。
【００９８】
プリンタモジュール４によって印刷される情報は、（電話帳及び予約データを含む）移動電話機１に記憶されたユーザデータ、或いは電気通信網を介して、又はブルートゥース（商標）や赤外線送信といった通信機構を介して別の機器から受け取られるテキスト及び画像を含み得る。移動電話機１がカメラを含む場合、プリンタモジュール４は、取り込み画像を印刷するように構成され得る。好ましい形態において、移動電話モジュール２は、少なくとも、印刷前のトリミング、フィルタリング、或いは取り込み画像へのテキスト又は別の画像データの追加を可能にする基本編集機能を提供する。
【００９９】
プリンタモジュール４の構成と動作については、以下で、印刷ヘッドを組み込んだ様々な種類の移動電気通信機器の文脈状況においてより詳細に説明する。
【０１００】
図２に、プリンタモジュール４が除かれ、Ｎｅｔｐａｇｅタグセンサモジュール８が含まれている移動電気通信機器の別の実施形態を示す。Ｎｅｔｐａｇｅモジュール８は、移動電話機１とＮｅｔｐａｇｅタグを含むページ１０の間の対話を可能にする。移動電話機１内のＮｅｔｐａｇｅポインタの構成と動作については、以下でより詳細に説明する。図示されていないが、Ｎｅｔｐａｇｅモジュール８を備える移動電話機１は、カメラを含むことができる。
【０１０１】
図３に、プリンタモジュール４とＮｅｔｐａｇｅタグセンサモジュール８の両方を含む移動電話機１を示す。図２の実施形態の場合と同様に、プリンタモジュール４は、タグ付きの、又はタグなしのページに印刷するように構成され得る。図３に示すように、タグ付きページ１０が作成される場合（タグが事前に印刷されたものか、それともプリンタモジュール４によって印刷されたものかを問わず）、Ｎｅｔｐａｇｅタグセンサモジュール８を使って、結果として生じる印刷された媒体と対話することができる。
【０１０２】
図３の移動電話機１のより詳細なアーキテクチャ図が図４に示されており、図３に示す特徴に対応する特徴が、同じ参照番号で示されている。図４では、移動電気通信機器内の様々な電子構成部品間のやりとりだけを扱っており、機械的特徴は省いてあることが理解されるであろう。これらについては、以下でより詳細に説明する。
【０１０３】
Ｎｅｔｐａｇｅタグセンサモジュール８は、モノリシックに一体化されたＮｅｔｐａｇｅ画像センサと、画像データを取り込み、接触スイッチ１４から信号を受け取るプロセッサ１２を含む。接触スイッチ１４は、ペン先（不図示）が押されて表面と接触するのを判定するために、ペン先に接続されている。また、センサとプロセッサ１２は、スタイラスが表面に対して押し下げられたのに応答して、赤外線ＬＥＤ１６の照明を制御する信号も出力する。
【０１０４】
画像センサ及びプロセッサ１２は、移動電気通信機器のプロセッサ（不図示）上で走る電話機のオペレーティングシステム２０とインターフェースするＮｅｔｐａｇｅポインタドライバ１８に処理済みタグ情報を出力する。
【０１０５】
印刷されるべき出力が、電話機のオペレーティングシステム２０によってプリンタドライバ２２に送られ、プリンタドライバ２２がこの出力をＭｏＰＥＣチップ２４に渡す。ＭｏＰＥＣチップは、以下でより詳細に説明するように、この出力を処理して、印刷ヘッド２６に供給するためのドットデータを生成する。また、ＭｏＰＥＣチップ２４は、媒体が印刷されるべき位置にあることを示す、媒体センサ２８からの信号を受け取り、媒体駆動機構３０に制御信号を出力する。
【０１０６】
印刷ヘッド２６は、交換可能なカートリッジ３２内に配置されており、カートリッジ３２は、印刷ヘッドに供給するためのインク３４も含む。
【０１０７】
移動電気通信機器モジュール
図５に、移動電話モジュール２をより詳細に示す。印刷とＮｅｔｐａｇｅタグ感知に直接関連する構成要素以外の構成要素の大部分は、標準的な、当分野の技術者によく知られたものである。移動電話機１の具体的実装形態に応じて、任意の数の図示の構成要素が、１つ又は複数の集積回路の一部として含まれ得る。
【０１０８】
移動電話モジュール２構成要素の動作、及びこれらの間のやりとりは、移動電話機制御装置３６によって制御される。これらの構成要素には以下が含まれる。
【０１０９】
移動電気通信網との無線通信のための移動無線送受信機３８
移動電話機制御装置３６上で実行するためのプログラムコードを格納するプログラムメモリ４０
実行時にプログラムコードによって使用され、生成されるデータを格納する作業メモリ４２。移動電話機制御装置３６と別個に示されているが、メモリ４０又は４２、或いはこれらの両方が、制御装置のパッケージ又はシリコンに組み込まれていてもよい
数値その他のユーザ入力を受け入れるキーパッド４４及びボタン４６
スタイラス又は指先の圧力によるユーザ入力を受け入れるディスプレイ５０に重ね合わされたタッチセンサ４８
デジタル写真やファイルなど、任意のユーザデータを格納する不揮発性メモリ５４を含む着脱式メモリカード５２
ブルートゥース（商標）送受信機などのローカルエリア無線送受信機５６
移動電気通信機器の位置決めを可能にするＧＰＳ受信機５８（代替として、電話機は、その位置を決定するのにモバイルネットワーク機構を利用してもよい）
ユーザの音声を取り込むマイクロホン６０
通話中の音声を含む音声を出力するスピーカ６２
画像を取り込むＣＣＤを含むカメラ画像センサ６４
カメラフラッシュ６６
移動電気通信機器とその構成要素の電力消費を監視し、制御する電力マネージャ６８
モバイルネットワークの加入者を識別するＳＩＭ（加入者識別情報モジュール）７２を含むＳＩＭカード７０。
【０１１０】
移動電話機制御装置３６は、ＧＳＭ、データ用ＧＳＭモデム、ＧＰＲＳ、ＣＤＭＡなどのモバイルの音声及びデータ通信プロトコル、並びにＳＭＳやＭＭＳなどの上位レベルメッセージングプロトコルのベースバンド機能を実施する。
【０１１１】
１つ又は複数のローカルエリア無線送受信機５６は、ヘッドセットやＮｅｔｐａｇｅペンといった周辺機器、及びパーソナルコンピュータなどのホストとの無線通信を可能にする。また、移動電話機制御装置３６は、ＩＥＥＥ８０２．１１、ＩＥＥＥ８０２．１５、ブルートゥース（商標）といったローカルエリアの音声及びデータ通信プロトコルのベースバンド機能も実施する。
【０１１２】
また、移動電話モジュール２は、デジタルカメラに関連して、ズーム、焦点、絞り、露出を電子的に調整するセンサ及び／又はモータ（不図示）も含み得る。
【０１１３】
同様に、図６に示すように、プリンタモジュール４の構成要素には、以下が含まれる。
【０１１４】
ＭｏＰＥＣデバイスの形の印刷エンジン制御装置（ＰＥＣ）７４
印刷エンジン制御装置７４が実行するためのプログラムコードを格納するプログラムメモリ７６
印刷エンジン制御装置７４による実行時にプログラムコードによって使用され、生成されるデータを格納する作業メモリ７８
そのＱＡチップ８２によって印刷ヘッドカートリッジ３２を認証するマスタＱＡチップ８０。
【０１１５】
好ましい形態の印刷ヘッドカートリッジはインク供給３４を含むが、代替の実施形態では、インク容器が、別個のカートリッジに収容され得る。
【０１１６】
図７に、画像メモリ７６とやりとりするＣＭＯＳタグ画像プロセッサ７４を含む、タグセンサモジュール８の構成要素を示す。ＣＭＯＳタグ画像センサ７８が、取り込み画像データを、処理のためにプロセッサ７４に送る。接触センサ１４は、ペン先（不図示）が、接触センサ１４内のスイッチを閉じるのに十分な力で表面と接触したことを示す。スイッチが閉じられると、赤外線ＬＥＤ１６が表面を照射し、画像センサ７８は、少なくとも１つの画像を取り込み、その画像を処理のために画像プロセッサ７４に送る。（以下でより詳細に説明するように）処理された後、画像データは、復号化のために移動電話機制御装置３６に送られる。
【０１１７】
代替の実施形態では、図８に示すように、タグセンサモジュール８がタグ復号化モジュール８４で置き換えられる。タグ復号化モジュール８０は、タグセンサモジュール８のすべての要素を含むが、ハードウェアベースのタグ復号器８６、並びに復号器のためのプログラムメモリ８８と作業メモリ９０が追加されている。この構成は、タグセンサモジュール８を使用する場合と比べて、対応するチップ領域の増加を伴い、移動電話機制御装置にかかる計算処理の負荷を低減する。
【０１１８】
Ｎｅｔｐａｇｅセンサモジュールは、主としてハイパーリンクを作動させるのに適した簡略化されたＮｅｔｐａｇｅペンであるＮｅｔｐａｇｅポインタの形で組み込むことができる。Ｎｅｔｐａｇｅポインタは、好ましくは、（本明細書の後段において詳細に説明する）ペンのマーキングペン先の代わりに非マーキングスタイラスを組み込んでいる。すなわち、Ｎｅｔｐａｇｅポインタは、ペンの連続力センサの代わりに表面接触センサを使用し、好ましくは、低目の位置サンプリング速度で動作、描画と手書きの取り込みには適さない。Ｎｅｔｐａｇｅポインタは、Ｎｅｔｐａｇｅペンよりも安価で実施することができ、タグ画像処理及びタグ復号化は、サンプリング速度によっては、潜在的に、ハードウェア支援なしでソフトウェアによって実行され得る。
【０１１９】
本発明の様々な態様はいくつかの種類の移動電気通信機器のいずれかとして実施され得る。本明細書では、いくつかの異なる機器について説明するが、簡潔にするために、詳細な説明は、移動電気通信機器の実施形態を中心として行う。
【０１２０】
「キャンディバー」型移動電話機
１つの好ましい実施形態が、図９から図１４に示す移動電話機の形の、非Ｎｅｔｐａｇｅ対応の「キャンディバー」型移動電気通信機器である。Ｎｅｔｐａｇｅ対応バージョンについては、本明細書の後段で説明する。
【０１２１】
ここではキャンディバー型電話機について説明するが、好ましい実施形態は、同様に、「折りたたみ式」又は「スライド式」電話機の形を取ることもできる。折りたたみ式携帯電話機は、相互にヒンジ結合されている１対の本体部分を有する。通常は、機器が閉じられると、ディスプレイとキーパッドが対面するように、ディスプレイが本体部分の一方に配置され、キーパッドが他方に配置されている。スライド式電話機は、普通、（直線方向に、又は弧を描いて回転して）相互に対して摺動する２つの本体部分を有する。第１と第２の本体部分の間のこれらの機械的関係の目的は、ディスプレイを擦傷から保護するため、及び／又はキーパッドを誤って作動させないように保護するためである。また、これらの電話機設計は、Ｍ−Ｐｒｉｎｔ機器としていくつかの機能的利点も有し、これらについては後述する。
【０１２２】
写真印刷は、モバイルＭｅｍｊｅｔプリンタの最も注目されている用途の１つと考えられる。したがって、本発明の好ましい実施形態は、カメラを、それに付随する処理能力とメモリ容量と共に含むものである。
【０１２３】
移動電気通信機器の諸要素は、図９に最も適確に示されており、図９では（明確にするために）移動電気通信機器の様々な要素を動作可能なように相互に接続する配線やハードウェアなどの重要でない詳細は省いてある。配線その他のハードウェアは、当分野の技術者にはよく知られているであろう。
【０１２４】
移動電話機１００は、シャーシ成形品１０２、正面成形品１０４及び背面カバー成形品１０６を備える。リチウムイオンやニッケル金属水素電池などの充電式電池１０８が、シャーシ成形品１０２に実装され、背面カバー成形品１０６によって覆われている。電池１０８は、電池コネクタ２７６と、カメラ／スピーカコネクタ２７８を介して移動電話機１００の様々な構成要素に電力供給する。
【０１２５】
正面成形品１０４は、様々な構成要素を囲い込むようにシャーシに取り付けられ、ディスプレイ１３８の両側に縦列に配置された数字インターフェースボタン１３６を含む。多方向制御パッド１４２及びその他の制御ボタン２８４が、メニューナビゲーション及びその他の制御入力を可能にする。シャーシ成形品１０２には、多方向制御パッド１４２用の方向スイッチ２８６を含むドーターボード２８０が搭載されている。
【０１２６】
移動電気通信機器は、印刷カートリッジ１４８がクレードル１２４に挿入されていないときに、移動電気通信機器の内部をほこりやその他の異物から保護するカートリッジアクセスカバー１３２を含む。
【０１２７】
また、シャーシ成形品１０２には、背面カバー成形品１０６の穴１１２からの画像取り込みを可能にするために、任意選択のカメラモジュール１１０も搭載されている。カメラモジュール１１０は、画像を取り込むためのレンズアセンブリとＣＣＤ画像センサを含む。穴１１２のレンズカバー２６８は、カメラモジュール１１０のレンズを保護する。また、背面カバー成形品１０６は、印刷媒体を通すための挿入口２２８と排出口１５０も含む。
【０１２８】
シャーシ成形品１０２は、データ／再充電コネクタ１１４を支持し、これは、アドレス帳情報、写真、メッセージ、移動電気通信機器によって送受信され得る任意の種類の情報などのデータをアップロードし、ダウンロードするために、移動電気通信機器に専用データケーブルを差し込むことを可能にする。データ／再充電コネクタ１１４は、デスクトップスタンド（不図示）内の対応するインターフェースと係合するように構成されており、デスクトップスタンドは、データが移動電気通信機器によって送信され、又は受信されている間、移動電気通信機器を概ね直立した位置に保持する。また、データ／再充電コネクタは、デスクトップスタンドを介した電池１０８の再充電を可能にする接点も含む。データ／再充電コネクタ１１４内の別の再充電ソケット１１６が、デスクトップスタンドが使用されないときの電池の再充電を可能にする予備の再充電プラグを受けるように構成されている。
【０１２９】
シャーシ成形品１０２には、ユーザの音声などの音を、移動電気通信機器のアナログ／デジタル変換回路によってサンプリングされる電子信号に変換するマイクロホン１７０が搭載されている。この変換は、当分野の技術者にはよく知られており、したがって、ここでは詳細に説明しない。
【０１３０】
シャーシ成形品１０２内には、ＳＩＭ（加入者識別情報モジュール）カード１２０を受けるためのＳＩＭホルダ１１８が形成されている。また、シャーシ成形品は、交換可能な印刷カートリッジ１４８を受ける印刷カートリッジクレードル１２４と駆動機構１２６を支持するようにも構成されている。これらの特徴については、以下でより詳細に説明する。
【０１３１】
シャーシ成形品１０２内の別の成形品が、移動電気通信網との間でＲＦ信号を送受信するアンテナ（不図示）を支持する。
【０１３２】
シャーシ成形品１０２によってメインプリント回路基板（ＰＣＢ）１３０が支持され、ＰＣＢ１３０は、いくつかのモーメンタリプッシュボタン１３２を含む。通信及び（印刷処理を含む）処理機能をサポートする様々な一体型とディスクリートの構成要素が、メインＰＣＢに実装されているが、明確にするために図には示されていない。
【０１３３】
正面成形品１０４上のキー１３６の下のメインＰＣＢ１３０上には、電導性弾性オーバーレイ１３４が位置付けられている。このエラストマは、柔軟な異形材上に炭含浸ピルを組み込んでいる。キー１３６の１つが押されると、そのキーがカーボンピルを、ＰＣＢ表面上の２線開回路パターン１３２まで押す。これが、低インピーダンス閉回路を提供する。代替として、オーバーレイ１３２上に、各キーに対応する小さいドームが形成される。ポリエステルフィルムに、カーボンペイントでスクリーン印刷され、カーボンピルと同様のやり方で使用される。また、ベリリウム銅ドームを有する接着薄膜も使用され得る。
【０１３４】
ユーザが、音声通信やその他の可聴信号などの音を聞くことができるように、正面成形品１０４内の開口２７２に隣接して、拡声器１４４が取り付けられている。
【０１３５】
また、メインＰＣＢ１３０には、移動電気通信機器のユーザへの視覚的フィードバックを可能にするために、カラーディスプレイ１３８も取り付けられている。透明レンズ成形品１４６が、ディスプレイ１３８を保護する。一形態において、透明レンズは、接触感知式であり（又は透明レンズが省かれ、ディスプレイ１３８が接触感知式であり）、ユーザが、指又はスタイラスで、ディスプレイ１３８上に表示されるアイコン及び入力テキストと対話することを可能にする。
【０１３６】
また、シャーシ成形品１０２には、振動アセンブリ２７４も実装されており、振動アセンブリ２７４は、偏心的に取り付けられたおもりを駆動して振動を引き起こすモータを含む。振動は、シャーシ１０２に伝達され、ユーザに触覚フィードバックを提供し、このフィードバックは、呼び出し音が聞こえない雑音のある環境において役立つ。
【０１３７】
折りたたみ式移動電話機とスライド式移動電話機
キャンディバー型電話機には出力受け器がない。これは、コンパクトであるが、出力スロットを通して印刷されたカードを送るため、印刷時にカードが手で妨げられるおそれがある。これは、カードの後縁が、印刷ヘッドＩＣの先の最後の１ｍｍ程度にわたって「浮く」断ち切り印刷では問題となり得る。出力受け器は、カードが手で妨げられるのを防ぎ、ユーザが印刷時に電話機を保持する手を持ち替える必要をなくするはずである。これは、ユーザが、印刷時に電話機の操作に集中している場合には、大きな問題となる可能性が低い。しかしながら、注意をそらしたユーザが、カードが印刷される際に、意図せずにカードを妨げ、又は汚すこともある。例えば、バー／レストランのテーブルの周りに座って写真を撮影し、印刷する人の集まりは、「ぶら下がっている」出力や、手作業での送りに注意を払わないこともある。
【０１３８】
折りたたみ式又はスライド式の電話機は、電話機の片側にある紙カートリッジからもう一方の片側にある出力受け器に至る紙経路を作り出すことのできるフォームファクタを提供する。図１５から図２１は、印刷されるカードの空のカードカートリッジと出力トレーを提供する折りたたみ式とスライド式の電話機構成を示す基本的概略図である。
【０１３９】
図１５は、キーパッド本体部分５２２と、ディスプレイ本体部分５２４が開いた構成にある、折りたたみ式携帯電話機５２０の断面概略図である。電話機が開いているとき、マイクロホン６０とスピーカ６２は、それぞれ、ユーザの口と耳の近くにあるように、互いからできる限り間隔を置いて配置される。文脈上、ヒンジ５２６を中心に閉じている折りたたまれた本体部分５２２、５２４の概略図も示されている。
【０１４０】
紙カートリッジ５２８は、キーパッド４４と電子回路５３２の背面に位置し、印刷カートリッジ１４８はヒンジ５２６に隣接して位置し、出力受け器５３４は、内側のディスプレイ５３６と外側のディスプレイ５５４の間に位置する。折りたたみ式携帯電話機５２０が開いているとき、紙カートリッジから印刷カートリッジ１４８を貫通して出力受け器５３４に至る連続した紙経路５３８が形成される。
【０１４１】
図１６を参照すると、電池１０８は、最も外側にあり、従来の着脱式電池カートリッジ５５０に形成され得る。また、紙カートリッジ５２８は、電池１０８が取り外されると、着脱可能とすることもでき、定位置に固定することもできる。紙カートリッジ５２８は、電話機５２０の側面又は下端にあるスロット５４８を介して手で補充することができる。指穴５５２から、紙カートリッジに十分に挿入することができる。
【０１４２】
スロット５４８から手で挿入されるとき、カードは、もしあれば、既にカートリッジ内にあるばね式のカードの束を押し下げるレバー（不図示）と係合し、挿入されたカードが束の最上部に配置される。カードが十分に挿入され、紙束と適正に重ね合わされると、カードは、レバーから離脱し、紙カートリッジが、再度、印刷可能な状態になる。カード挿入中の印刷を防ぐために、レバーは、直接印刷を無効にし、或いはホストプロセッサ上で、又はプリンタ制御装置上で走る印刷用ソフトウェアによって監視されるスイッチ（不図示）に結合することができる。
【０１４３】
紙カートリッジの容量は、１枚のカードと同じとすることができる。これは、カートリッジが着脱不能である場合には特に適する。カードの紙カートリッジへの挿入は、前述のキャンディバー型電話機の手給紙機構へのカード挿入と同程度に使いやすく、容易である。
【０１４４】
図１７を見ると、出力受け器５３４は、側面に、親指で印刷されたカードをつかんで取り出すことを可能にする切欠き５５８を備えるアクセス口５５６を有する。代替として、アクセス口は、左右どちらからもアクセスできるように上面に位置していてもよく、２つのアクセス口を両側面に設けることもできる。
【０１４５】
出力受け器は、それが満杯である場合、印刷を妨げるセンサ（不図示）を有する。出力受け器の容量が１枚のカードに限られる場合、ＬＥＤと光検出器（どちらも図示されていない）からなる簡単な回路を使ってカードの有無が検出される。また、出力受け器５３４は、印刷時に手で触れるのを防ぐハッチカバーも有する。
【０１４６】
図１６に示すように、電池カートリッジ５５０を最も外側に配置するのではなく、図１８と図１９に示すように、紙カートリッジ５４８を最も外側に配置することもできる。これにより、紙カートリッジ５４８の取り外し、補充及び交換がより簡便になる。また、異なる容量を有する異なるサイズのカートリッジを設けることも可能になる。
【０１４７】
その場合、紙カートリッジ５２８を取り外せば、電池１０８、ＳＩＭカード、メモリカード（どちらも図示されていない）など、電話機５２０の他の着脱可能構成要素にアクセスすることが可能になる。直線の紙経路５３８を実現するための、電話機のキーパッド４４側とディスプレイ側の間の適切な整列は、ヒンジ５２６をしかるべく構成することによって達成され得る。
【０１４８】
図２０に、開いた構成のスライド式電話機５３０の断面を示す。ディスプレイ本体部分５２４は、キーパッド本体部分５２２上を摺動して、マイクロホン６０とスピーカ６２がユーザの口と耳により近くなるように、電話機を延長する。文脈上、本体部分５２２、５２４の、格納され、又は閉じられた構成の概略図も示されている。スライド式電話機５３０は、キーパッド４４と電子回路５３２の背後に紙カートリッジ５２８を、ハンドセットの中央に印刷カートリッジ１４８を、外側のディスプレイ５５４の背後に出力受け器５３４を有する。
【０１４９】
スライド式電話機５３０が開いているとき、紙カートリッジ５２８から印刷カートリッジ１４８を貫通して出力受け器５３４に至る連続した紙経路５３８が形成される。
【０１５０】
出力受け器５３４は、一部は、電話機のキーパッド４４内の空隙によって、一部は、電話機のディスプレイ本体部分５２４内の空隙によって形成される。出力受け器５３４は、スライド式電話機形状内で利用可能な空間を利用するように傾斜している。
【０１５１】
図２１に示すように、出力受け器５３４へのアクセス口５５６は、最も好都合には、電話機の上端の下側に沿って設けられている。
【０１５２】
ＭｏＰＥＣ−高水準
印刷されるべき文書は、文書が印刷ヘッドに到達するまでにはドットデータの形になっていなければならない。
【０１５３】
ドットデータへの変換前、画像は、（テキスト及び線画での）比較的高い空間解像度のバイレベル成分と（画像及び背景色での）比較的低い空間解像度のコントーン成分によって表される。バイレベル成分は、損失なしの形式で圧縮され、コントーン成分は、ＪＰＥＧなどの損失のある形式に従って圧縮される。
【０１５４】
ＭｏＰＥＣの好ましい形態は、２つのモードのどちらでも動作するように構成され得る。第１のモードでは、図２２に示すように、印刷されるべき画像が、圧縮画像データの形で受け取られる。圧縮画像データは、同じ又は異なるソースから、単一のデータバンドルとして、又は別々のデータバンドルとして到着し得る。例えば、テキストが、第１のリモートサーバから受け取られ、バナー広告用の画像データが、別のリモートサーバから受け取られ得る。代替として、どちらか、又は両方の形のデータが、モバイル機器内のローカルメモリから受け取られてもよい。
【０１５５】
受け取られ次第、圧縮画像データは、メモリバッファ６５０にバッファされる。バイレベル成分とコントーン成分は、ページ拡張ステップ６５２の一部として、それぞれの圧縮解除機構によって圧縮解除される。これは、以下でより詳細に説明するように、ハードウェア又はソフトウェアとして行われ得る。次いで、圧縮解除されたバイレベル成分とコントーン成分は、それぞれのＦＩＦＯ６５４と６５６にバッファされる。
【０１５６】
圧縮解除されたコントーン成分は、中間調化ユニット６５８によって中間調化され、次いで、合成ユニット６６０がディザリングされたコントーン成分にバイレベル成分を重ねて合成する。通常、これは、画像にテキストを重ねて合成することを含む。しかしながら、システムは、バイレベル成分が、ディザリングされたコントーン成分に重ね合わされるマスクであると解釈されるステンシルモードでも実行され得る。マスクが適用される領域での画像成分として何が選択されるかに応じて、結果は、背景が画像（又はテクスチャ）で満たされたテキストにも、画像のマスクにもなり得る。ステンシルモードの利点は、バイレベル成分がディザリングされず、鮮明な輪郭を定義することができることである。これは、境界線を定義したり、着色されたテクスチャを含むテキストを印刷したりするなど、いくつかの用途では役立ち得る。
【０１５７】
合成後、結果として生じる画像がドット形式に設定され６６２、このフォーマット設定は、以下でより詳細に説明するように、印刷ヘッドへの出力のためにドットを順序付けることと、空間的又は操作的補償問題を考慮に入れることを含む。次いで、フォーマット設定されたドットが、やはり以下でより詳細に説明するように、印刷のために印刷ヘッドに供給される。
【０１５８】
第２の動作モードでは、図２３に示すように、コントーン成分とバイレベル成分は、ＭｏＰＥＣによって、圧縮されない形で、直接それぞれのＦＩＦＯ６５６と６５４に受け取られる。各成分のソースは、用途によって異なる。例えば、移動電気通信機器内のホストプロセッサは、圧縮バージョンから圧縮解除された画像成分を生成するように構成することもでき、単に、移動電気通信網や、別の箇所でより詳細に説明する通信ポートなど、別の場所から圧縮されない要素を受け取るように構成することもできる。
【０１５９】
バイレベル成分とコントーン成分がそれぞれのＦＩＦＯに入れられると、ＭｏＰＥＣは、第１のモードに関連して説明したのと同じ操作を行い、したがって、同様の番号を使って、同様の機能ブロックが示されている。
【０１６０】
図２５に示すように、好ましい印刷アーキテクチャの中央データ構造は、ページ要素と呼ばれる３層の一般化表現である。ページ要素は、レンダリングエンジンから生じる単一のレンダリング要素から印刷ジョブのページ全体にまで及ぶ単位を表すのに使用され得る。図２５に、ページ要素３００の簡略化したＵＭＬ図を示す。概念的には、バイレベルシンボル領域は、２つのカラーソースからの選択を行う。
【０１６１】
ＭｏＰＥＣデバイス−低水準
好ましいＭｏＰＥＣデバイス１３０４のハードウェア構成要素を図２４に示し、これらについて、以下でより詳細に説明する。
【０１６２】
概念的には、ＭｏＰＥＣデバイスは、単に、移動電話機の低電力、低印刷速度環境における使用のために最適化されている、ＳｏＰＥＣデバイス（すなわち、相互参照される、２００３年１２月２日に出願された、米国特許出願第１０／７２７１８１号（整理番号第ＰＥＡ０１ＵＳ号）明細書に記載されている）であるにすぎない。実際、電力要件が満たされる限り、ＳｏＰＥＣデバイスは、ＭｏＰＥＣに必要な機能を提供することができる。しかしながら、モバイル機器内の電池電力の限界により、ＳｏＰＥＣ設計を変更することが求められる。
【０１６３】
図２４に示すように、高水準の視点から見れば、ＭｏＰＥＣは、３つの互いに異なるサブシステム、すなわち、中央処理装置（ＣＰＵ）サブシステム１３０１と、ダイナミックランダムアクセスメモリ（ＤＲＡＭ）サブシステム１３０２と、印刷エンジンパイプライン（ＰＥＰ）サブシステム１３０３からなる。
【０１６４】
ＭｏＰＥＣは、ＳｏＰＥＣよりはるかに小さいｅＤＲＡＭ要件を有する。これは、大部分は、ＭｏＰＥＣがその印刷データを生成するように設計されている、著しく小さい印刷媒体によるものである。
【０１６５】
一形態では、ＭｏＰＥＣは、移動電気通信機器に組み込むように設計された独立型ＡＳＩＣの形で提供され得る。代替として、ＭｏＰＥＣは、移動電気通信機器に必要とされる他の機能の一部又は全部を組み込んでいる別のＡＳＩＣ上に組み込むこともできる。
【０１６６】
ＣＰＵサブシステム１３０１は、その他のサブシステムのすべての態様を制御し、構成するＣＰＵを含む。ＣＰＵサブシステム１３０１は、外部プリンタと内部印刷エンジンをインターフェースし、同期させるための一般的サポートを提供する。また、（本明細書の別の箇所で説明する）ＱＡチップが使用される場合には、ＱＡチップへの低速通信も制御する。好ましい実施形態は、カートリッジ又は移動電気通信機器においてＱＡチップを利用しない。
【０１６７】
また、ＣＰＵサブシステム１３０１は、汎用入力出力（ＧＰＩＯ、モータ制御を含む）、割り込み制御ユニット（ＩＣＵ）、ＬＳＳマスタ、汎用タイマなど、ＣＰＵを支援する様々な周辺機器も含む。ＵＳＢブロックは、移動電気通信機器内のホストプロセッサと、必要な場合には外部データソースへのインターフェースを提供する。ＵＳＢを通信標準として選択することは設計上の選択の問題であり、ＦｉｒｅｗｉｒｅやＳＰＩなど、他の種類の通信プロトコルも使用され得る。
【０１６８】
ＤＲＡＭサブシステム１３０２は、ＣＰＵ、ＵＳＢ及び印刷エンジンパイプライン（ＰＥＰ）サブシステム内のブロックからの要求を受け入れる。ＤＲＡＭサブシステム１３０２、特に、ＤＲＡＭインターフェースユニット（ＤＩＵ）は、様々な要求を調停し、どの要求がＤＲＡＭへのアクセス権を獲得すべきか決定する。ＤＩＵは、構成済みのパラメータに基づき、すべての要求元がＤＲＡＭに十分にアクセスできるように調停する。また、ＤＩＵは、ページサイズ、バンク数、リフレッシュレートといった、ＤＲＡＭの実行詳細も隠す。ＤＲＡＭは、印刷されるページが著しく小さいため、元のＳｏＰＥＣ機器のＤＲＡＭより著しく小さくし得ることが理解されるであろう。また、ホストプロセッサが、十分に高速で圧縮解除された印刷データを供給することができる場合にも、ＤＲＡＭは、非常に小さいもの（１２８〜２５６キロバイト程度）とすることができる。というのは、印刷を開始する前に、まる１ページ分の情報をバッファする必要がないからである。
【０１６９】
印刷エンジンパイプライン（ＰＥＰ）サブシステム１３０３は、ＤＲＡＭから圧縮されたページを受け入れ、これらのページを、印刷ヘッドと直接やりとりする印刷ヘッドインターフェースに向けられる所与の印刷行のバイレベルドットにレンダリングする。ページ拡張パイプラインの第１段は、コントーン復号化ユニット（ＣＤＵ）と損失なしのバイレベル復号器（ＬＢＤ）である。ＣＤＵは、ＪＰＥＧ圧縮されたコントーン（通常はＣＭＹＫ）層を拡張し、ＬＢＤは、圧縮されたバイレベル層（通常はＫ）を拡張する。第１段からの出力は、１組のバッファ、すなわちコントーンＦＩＦＯユニット（ＣＦＵ）とスポットＦＩＦＯユニット（ＳＦＵ）である。ＣＦＵバッファとＳＦＵバッファは、ＤＲＡＭで実施される。
【０１７０】
第２段は、中間調合成ユニット（ＨＣＵ）であり、これは、コントーン層を中間調化してディザリングし、結果として生じるバイレベルディザリング層にバイレベルスポット層を重ねて合成する。
【０１７１】
ＭｏＰＥＣデバイスと共に使用される印刷ヘッドに応じて、いくつかの合成オプションが実施され得る。この段からは、最大で６チャネルまでのバイレベルデータが生成されるが、すべてのチャネルが印刷ヘッド上にあるとは限らない。例えば、好ましい実施形態では、印刷ヘッドは、ＣＭＹだけを印刷するように構成されており、ＫはＣＭＹチャネル押し込まれ、ＩＲは除外される。
【０１７２】
第３段では、不良ノズル補償装置（ＤＮＣ）が、色冗長性と、不良ノズルデータの周囲のドットへの誤り拡散によって、印刷ヘッド内の不良ノズルを補償する。
【０１７３】
結果として生じるバイレベルドットデータ（好ましい実施形態ではＣＭＹである）は、ドットライン書込みユニット（ＤＷＵ）を介して、ＤＲＡＭに格納された１組のラインバッファにバッファされ、書き込まれる。
【０１７４】
最後に、ドットデータは、ＤＲＡＭから再度ロードされ、ドットＦＩＦＯを介して印刷ヘッドインターフェースに渡される。ドットＦＩＦＯは、システムクロック速度でラインローダユニット（ＬＬＵ）からデータを受け入れ、印刷ヘッドインターフェース（ＰＨＩ）は、ＦＩＦＯからデータを取り出し、印刷ヘッドに送る。
【０１７５】
必要なＤＲＡＭの量は、（ＭｏＰＥＣが実装されるシステムを含む）ＭｏＰＥＣの個々の実装形態によって異なる。これに関して、好ましいＭｏＰＥＣ設計は、３つのモードのいずれかで動作するように構成することができる。好ましい実施形態の下で利用可能なモードはすべて、受け取られる画像データが、何らかのやり方で前処理されるものと仮定している。前処理には、例えば、必要に応じて、色空間変換やスケーリング等が含まれる。
【０１７６】
第１のモードでは、画像データが、ホストプロセッサによって圧縮解除され、ＨＣＵに直接転送するためにＭｏＰＥＣに供給される。このモードでは、ＣＤＵとＬＢＤが事実上迂回され、圧縮解除データがＣＦＵとＳＦＵに直接提供されて、ＨＣＵに渡される。圧縮解除はＭｏＰＥＣの外部で行われ、ＨＣＵ及びその後のハードウェアブロックは、これらのジョブのために最適化されているため、ＭｏＰＥＣデバイスは、比較的低速でクロック制御することができ、ＭｏＰＥＣ  ＣＰＵが特に高性能である必要はない。参考としては、１０〜２０ＭＨｚのクロック速度が適する。
【０１７７】
第２のモードでは、画像データが、圧縮された形でＭｏＰＥＣに供給される。最初に、これには、ＭｏＰＥＣ  ＤＲＡＭを、最低限でも約２５６キロバイト（好ましくはこの２倍）まで増やす必要がある。第２のモードでは、ＣＤＵとＬＢＤ（及びそれぞれのバッファ）を利用して、圧縮コントーン／バイレベル画像データのハードウェア圧縮解除が行われる。この場合もやはり、それぞれのジョブを行うように最適化されたハードウェアユニットがあるため、システムは、比較的低速でクロック制御することができ、やはり、特に高性能のＭｏＰＥＣプロセッサを必要としない。しかしながら、このモードの不利な点は、ＣＤＵとＬＢＤがハードウェアであり、幾分柔軟性を欠くことである。ＣＤＵとＬＢＤは、特定の圧縮解除ジョブのために最適化されており、好ましい実施形態では、あまり大きく異なる圧縮解除タスクを行うように再構成することができない。
【０１７８】
第３のモードでは、ＣＤＵとＬＢＤはやはり迂回されるが、ＭｏＰＥＣは、なお、圧縮された形で画像データを受け取る。圧縮解除は、ＭｏＰＥＣ  ＣＰＵによってソフトウェアとして行われる。ＣＰＵが汎用プロセッサであると仮定すると、ＣＰＵは、圧縮コントーン／バイレベル画像データの許容される速さの圧縮解除を実行できるように、比較的高性能でなければならない。また、ソフトウェア圧縮解除が必要とされない場合のクロック速度の３〜１０倍程度のより高いクロック速度も必要となる。第２のモードの場合と同様に、ＭｏＰＥＣデバイス上で、少なくとも２５６キロバイトのＤＲＡＭが必要である。第３のモードは、実行される圧縮解除の種類に関してプログラム可能であるという利点を有する。しかしながら、より高速でクロック制御されるより高性能のプロセッサを必要とすることは、電力消費も、それに応じて、最初の２つのモードより高いことを意味する。
【０１７９】
１つのＭｏＰＥＣデバイスにおいてこれらのモードすべてが選択できるようにするには、実施されるべきすべてのモードの最悪の場合を想定した機能が必要とされることが理解されるであろう。このため、例えば、少なくとも２５６キロバイトのＤＲＡＭ、より高いクロック速度のための容量、比較的高性能なプロセッサ及びＣＤＵとＬＢＤを選択的に迂回することができることなどが、ＭｏＰＥＣにおいてすべて実施されなければならない。当然ながら、任意の特定の実現形態では、モードの１つ又は複数を除外し、それに対応して、そのモードを利用するために求められる機能の制限を取り除くこともできる。
【０１８０】
好ましい形態では、ＭｏＰＥＣデバイスは、色空間に依存しない。ＭｏＰＥＣデバイスは、コントーンデータを、ＣＭＹＸ又はＲＧＢＸ（Ｘは任意選択の第４チャネルである）として受け入れることができるが、コントーンデータを、任意の印刷色空間として受け入れることもできる。加えて、ＭｏＰＥＣは、インク最適化のためのドット組み合わせと任意の数の他のチャネルに基づくチャネルの生成を含む、入力チャネルの出力チャネルへの任意のマッピングの機構も提供する。しかしながら、入力は、好ましくは、コントーン入力ではＣＭＹであり、バイレベル入力ではＫ（ＭｏＰＥＣによってＣＭＹに押し込まれる）である。
【０１８１】
好ましい形態では、ＭｏＰＥＣデバイスは、解像度にも依存しない。ＭｏＰＥＣデバイスは、単に、倍率によって入力解像度と出力解像度の間のマッピングを提供するにすぎない。好ましい解像度は、１６００ｄｐｉであるが、ＭｏＰＥＣは、実際には、ドットデータを提供する先の印刷ヘッドの物理的解像度の知識を持たない。
【表４】
2008543599.tif 000006
【表５】
2008543599.tif 000007
【表６】
2008543599.tif 000008
ソフトウェアドット生成
速度と電力消費を考慮することにより、望ましいハードウェアハードウェアアクセラレーションを得ることができるが、ＭｏＰＥＣ集積回路によって実行される機能の一部、大部分又は全部を、適切なソフトウェアルーチンでプログラムされた汎用プロセッサに実行させることも可能である。通常は、汎用プロセッサを用いて同様の性能を獲得する際には（汎用プロセッサに、圧縮解除や合成など高度に特化されたタスクを行わせることに伴うより高いオーバーヘッドのために）電力消費が増大するが、この解決策には、カスタマイズとアップグレードの容易さという利点もある。例えば、新規の、又は更新されたＪＰＥＧ標準が普及する場合、単に汎用プロセッサによって実行される圧縮解除アルゴリズムをアップグレードするだけの方が望ましいこともある。ＭｏＰＥＣ集積回路の機能の一部又は全部をソフトウェアに移行するという判断は、営利的にケースバイケースで行われる必要がある。
【０１８２】
ＱＡチップ
本発明の好ましい形態は、カートリッジが挿入されるときの認証にＱＡチップを使用しない。しかしながら、代替の実施形態では、印刷カートリッジは、モバイル機器に搭載されたマスタＱＡチップ８０による問い合わせが可能なＱＡチップ８２を有する（図６参照）。これらについては、出願番号が割り当てられるまで暫定的に整理番号第ＭＣＤ０５６ＵＳ号で識別される、本出願人の同時係属の出願明細書に詳細に記載されている。簡潔にするために、整理番号第ＭＣＤ０５６ＵＳ号明細書の開示を、相互参照により本明細書に組み込むものである（上記の相互参照文献一覧参照）。
【０１８３】
圧電駆動システム
図２６から図２９に、印刷媒体を印刷ヘッドの先に駆動する圧電駆動システム１２６を示す。図２８に最も適切に示すように、圧電駆動システム１２６は、支持端部１５８、貫通孔１６０、カンチレバ１６２及びばね１６４を含む共振器１５６を含む。支持部１５８はばね１６４に取り付けられており、ばね１６４は、さらに、クレードル１２４上の取付け位置１６６に取り付けられている。貫通孔１６０内には圧電素子１６８が配置され、支持端部１５８をカンチレバ１６２とリンクさせるように孔を貫通して延在している。素子１６８は、素子１６８が変形すると、カンチレバ１６２がその静止位置からわずかに偏向するように、孔の一端に隣接して位置付けられている。
【０１８４】
カンチレバ１６２の先端部１７０が駆動されて、駆動輪１７２の縁と、約５０°の角度で接する。次に、駆動輪１７２は、駆動軸１７８の端部においてゴムローラ１７６と係合する。駆動軸１７８は、印刷媒体と係合し、これを印刷ヘッドの先に駆動する（以下で図１２と図１４を参照して説明する）。
【０１８５】
駆動信号の供給を可能にするために、圧電素子１６８の両側に駆動線（不図示）が取り付けられている。このばね、圧電及びカンチレバのアセンブリは、一連の共振周波数を有する構造体である。駆動信号がこの構造体を共振振動モードの１つに励起し、カンチレバ１６２の先端部を、駆動輪１７２が回転するように運動させる。簡単にいうと、圧電素子が膨張すると、カンチレバの先端部１７０が駆動輪の縁を押してこれとよりしっかりと接触する。縁と先端部は比較的硬いため、先端部の移動により、駆動輪が図示の方向にわずかに回転する。残りの共振の間に、先端部１７０は、縁との接触を失い、わずかに開始位置の方に後退する。次いで、それに続く振動が、先端部１７０を、わずかに異なる位置で縁を押し下げて、駆動輪を押して次の小回転を生じる。先端部１７０の振動運動が間断なく繰り返し、駆動輪が一連の小さい角変位として移動する。しかしながら、共振周波数が高い（キロヘルツ台）ため、駆動輪１７２は、事実上、一定の角速度を有する。
【０１８６】
図示の実施形態では、（図２８に示すように）約８５ｋＨｚの駆動信号が駆動輪を反時計回りに回転させる。
【０１８７】
１サイクル当たりの移動量は比較的小さい（数マイクロメータ程度）であるが、パルスが供給される速度が高いことは、最大で毎秒３００ｍｍの直線運動（すなわち縁の運動）が達成され得ることを意味する。駆動信号の周波数を９５ｋＨｚに上げることによって、異なる振動モードを生じさせることができ、これは、駆動輪を逆方向に回転させる。しかしながら、好ましい実施形態は、圧電駆動の可逆性を利用しない。
【０１８８】
圧電駆動の動作の正確な詳細については、独国ドルトムント所在のＥｌｌｉｐｔｅｃ  ＡＧというメーカーから得ることができる。
【０１８９】
別の実施形態では、媒体を印刷ヘッドの先に送るのに様々な種類のＤＣモータ駆動システムを使用する。これらについては、出願番号が割り当てられるまで暫定的に整理番号第ＭＣＤ０５６ＵＳ号で識別される本出願人の同時係属の出願明細書に詳細に記載されている。簡潔にするために、第ＭＣＤ０５６ＵＳ号の開示を、相互参照により本明細書に組み込むものである（上記の相互参照文献一覧参照）。
【０１９０】
印刷カートリッジ
印刷カートリッジ１４８は、図３０と図３１に最も適切に示されており、細長い、全体として長方形の箱の形をしている。カートリッジは、それぞれのインク含有構造体１８８、１９０及び１９２を保持するように構成された３つの細長いスロット１８２、１８４、１８６を含む成形ハウジング１８０の周りに配置されている。各インク含有構造体は、通常、スポンジ様の材料又は積層繊維シートでできたブロックである。例えば、これらの構造体は、発泡体、繊維と有孔膜の積層材、発泡体と有孔膜の積層材、折りたたみ有孔膜、有孔膜で包まれたスポンジなどとすることができる。インク含有構造体１８８、１９０及び１９２は、インクを含む実質的に空の領域を含み、カートリッジ（又はカートリッジが搭載されている移動電気通信機器）が揺動され、又は別様に動かされるときに、インクがあちこち移動するのを防ぐように構成されている。各容器内のインクの量は重要ではないが、１色当たりの通常の量は０．５〜１．０ミリリットル程度である。
【０１９１】
また、この多孔材料は、（以下で詳細に説明する）インク噴出ノズルにおける負圧を規定する毛管作用も有する。不活動時に、インクは、ノズル全体で形成されるインクメニスカスの表面張力によってノズル室内に保持される。メニスカスが外に向かって膨れる場合、メニスカスは、それ自体をノズルの縁に「固定」して、インクをノズル室内に保持することができる。しかしながら、メニスカスは、ノズル縁上の紙塵などの異物と接触すると、ノズル縁から離れることがあり、インクがノズルを通って印刷ヘッドから漏れ出す。
【０１９２】
これに対処するために、多くのカートリッジは、ノズル室内のインクの静水圧が大気圧を下回るように設計されている。この設計は、ノズルにおけるメニスカスが凹面になり、又は内に向かって引っ張られるようにするものである。この設計は、メニスカスがノズル縁上の紙塵に触れるのを阻止し、インクを漏出させるノズル室内のわずかな正圧を除去する。
【０１９３】
印刷カートリッジの上部には、インクスロット１８２、１８４及び１８６と関連してインク容器を定義するように、ハウジング蓋１９４が嵌められる。この蓋は、インクが容器間で移動し、又は印刷カートリッジから出るのを防ぐために、インクスロットの上端と接着され、超音波溶接され、又は別の方法で封止を形成することができる。インク孔１７４が、製造時に容器をインクで満たすことを可能にする。マイクロチャネル通気口１４０は、インク孔１７４と息抜き孔１５４の間の蓋１９６に沿った蛇行経路を定義する。これらの通気口は、カートリッジ１４８使用時の容器内の圧力均等化を可能にし、蛇行経路は、移動電話機１００が様々な向きで移動されるときのインク漏れを防ぐ。ラベル１９６は、通気口１４０を覆っており、スロット１８２、１８４及び１８６を大気に表出させる息抜き孔１５４を露出させるために使用前に取り外される切り取り部分１９８を含む。
【０１９４】
各スロット１８２、１８４及び１８６の底部にある一連の排出口（不図示）は、ハウジング１８０内に形成されたインク流路２６２につながる。これらの流路は、インクを印刷ヘッドＩＣ２０２に誘導する柔軟な封止フィルム２６４によって覆われている。印刷ヘッドＩＣ２０２の一端は、柔軟なＴＡＢフィルム２００上の導体に接合されている。接合部は、帯状の封止材２０４によって覆われ、保護されている。ＴＡＢフィルム２００上には、電力とデータを、ＴＡＢフィルム上の導体を介して印刷ヘッドＩＣ２０２に供給させるための接点２６６が形成されている。印刷ヘッドＩＣ２０２は、ポリマー封止フィルム２６４によってハウジング１８０の下面に取り付けられている。封止フィルムには、流路２６２内のインクが印刷ヘッドＩＣ２０２に流れ出るように、レーザドリルで孔が開けられている。フィルムの封止とインク送出の態様については、以下でさらに詳細に論じる。
【０１９５】
シャーシ１８０には、ハウジング上の対応する成形ピン２１０と係合するスロット２０８によってキャッパ２０６が取り付けられている。キャッパ２０６は、その閉蓋位置では、印刷ヘッド２０２の（後述する）ノズル内の露出したインクに封をし、保護する。印刷ヘッドＩＣ２０２の両側にある、１対の同成形の弾性封止材２４０が、ノズルの乾燥と目詰まりを引き起こし得る塵と空気へのインクの露出を軽減する。
【０１９６】
組み立て時に、金属カバー２２４が所定位置にはめ込まれて、キャッパ２０６を覆い、正しい位置に保持する。金属カバーは、一般に、断面がＵ字型であり、媒体を印刷カートリッジに出し入れさせるための挿入口２１４と排出口１５２を含む。金属カバー２２４の両端にある舌部２１６は、蓋１９４の相補的成形の爪部２２０と係合する孔２１８を含む。１対のキャッパ板ばね２３８が、Ｕ字型の底部から押されて、キャッパ２０６を印刷ヘッド２０２に対して傾かせる。印刷カートリッジ１４８の偶発的な障害を防ぐために、不正変更防止ラベル２２２が貼付されている。
【０１９７】
前述のように、媒体駆動軸１７８は、ハウジング１８０の幅の端から端まで延在しており、回転のためにハウジング内の対応する孔２２６で保持される。弾性駆動輪１７６は、使用前に印刷カートリッジ１４８が移動電気通信機器に挿入されるときに、直線駆動機構１２６と係合するように、駆動軸１７８の一端に取り付けられている。
【０１９８】
代替のカートリッジ設計は、印刷ヘッドノズルにおいてインクの負圧を誘導するための折りたたみ式インク袋を有し得る。上記その他の代替形態は、出願番号が割り当てられるまで暫定的に整理番号第ＭＣＤ０５６ＵＳ号によって識別される本出願人の同時係属の出願明細書に詳細に記載されている。簡潔にするために、整理番号第ＭＣＤ０５６ＵＳ号の開示を、参照により本明細書に組み込むものである（上記の相互参照文献一覧参照）。
【０１９９】
印刷ヘッドの機械的構造
好ましい形態では、Ｍｅｍｊｅｔプリンタは、モノリシックなページ幅印刷ヘッドを含む。この印刷ヘッドは、有効印刷長が２．１６５インチ（５５．０ｍｍ）の３色１６００ｄｐｉモノリシックチップである。この印刷ヘッドチップは、幅約８００ミクロン（μｍ）、厚さ約２００ミクロン（μｍ）である。
【０２００】
印刷ヘッドチップには、導電性接着剤でチップに沿った接点に電気的に接続されている、約２００ミクロン（μｍ）の２本の銅母線を介して電源と接地が供給される。チップの一端に、別の箇所でより詳細に説明するように、小型のフレキシブルＰＣＢにワイヤボンディング又はボールボンディングで接合され、次いで、封入されているいくつかのデータパッドがある。
【０２０１】
代替の実施形態では、その内容が相互参照により本明細書に組み込まれている、２００４年１月１２日に出願された米国特許出願第１０／７５４５３６号（整理番号第ＰＥＡ２５ＵＳ号）明細書に記載されているＳｏＰＥＣベースのバイリシック印刷ヘッド構成に関連して説明されるように、印刷ヘッドは、２つ以上の印刷ヘッドチップを使って構築され得る。別の実施形態では、その内容が相互参照により本明細書に組み込まれている、２００４年１月１２日に出願された米国特許出願第１０／７５４５３６号（整理番号第ＰＥＡ２５ＵＳ号）明細書に記載されているように、印刷ヘッドモジュールの連結を備える、１つ又は複数のモノリシック印刷ヘッドから形成され得る。
【０２０２】
好ましい形態では、印刷ヘッドは、疑わしい品質のものであるおそれのあるインクの無許可の補充を防止するために、何らかのやり方で少なくとも一部は自己破壊するように設計されている。自己破壊は、任意の適切なやり方で行われ得るが、好ましい機構は、印刷ヘッド内に、インクが使い果たされ、又は所定回数の印刷が行われたと判定されたときに選択的に溶断する少なくとも１つのヒュージブルリンクを含めるものである。
【０２０３】
代替として、又は加えて、印刷ヘッドは、再製品化プロセスの一部としてその構成要素の一部又は全部の少なくとも部分的再利用を可能にするようにも設計され得る。
【０２０４】
また、印刷ヘッド集積回路上（又はカートリッジ内の別の集積回路上）のヒュージブルリンクは、製造者が、エンドユーザによって変更されることを望まないその他の情報を格納するのにも使用され得る。かかる情報の好例が、インク残量データである。インク使用量を追跡し、ヒュージブルリンクを選択的に溶断することによって、カートリッジは、インク使用の変更不能な記録を維持することができる。例えば、１０個のヒュージブルリンクを設け、インクの総残量の次の１０％が使い果たされたと判定される都度、ヒュージブルリンクのうちの１つを溶断することもできる。各インクごとに、又はインク全体について１組のリンクを設けることもできる。代替として、又は加えて、ヒュージブルリンクは、所定回数の印刷が行われたことに応答して溶断することもできる。
【０２０５】
また、ヒュージブルリンクは、カートリッジ内に設けられ、カートリッジ内の（一意の、相対的に一意の、又はそれら以外の）識別子を符号化するために、カートリッジの製造時に、又は製造後に選択的に溶断されてもよい。
【０２０６】
ヒュージブルリンクは、（以下でより詳細に説明するように）データが印刷のためにロードされるのと同様に１つ又は複数のシフトレジスタ素子と関連付けることもできる。実際、必要とされるシフトレジスタ素子は、印刷のためのドットデータがロードされるレジスタ素子の同じチェーンの一部を形成し得る。このように、ＭｏＰＥＣチップは、単に印刷時にロードされるデータストリームに挿入されるデータを変更することによって、ヒュージブルリンクの溶断を制御することができる。代替として、又は加えて、１つ又は複数のヒュージブルリンクを溶断させるデータは、ドットデータロードへの別の動作としてロードすることもできる（すなわち、ドットデータが全ゼロとしてロードされる）。別の代替形態は、ヒュージブルリンクに、ドットデータシフトレジスタとは無関係にロードされる独自のシフトレジスタを提供するものである。
【０２０７】
図３２と図３３に、それぞれ、１０個のヒューズリンクと単一のヒューズセルの基本回路図を示す。図３２には、１ビットヒューズセル３７５、３７７及び３７９にプログラムされるべき値がロードされ得るシフトレジスタ３７３が示されている。各シフトレジスタラッチ３８１、３８３及び３８５が、それぞれ、１ビットヒューズセルに接続して、プログラム値をそれに対応するセルに提供する。ヒューズは、ｆｕｓｅ＿ｐｒｏｇｒａｍ＿ｅｎａｂｌｅ信号３８７を１に設定することによってプログラムされる。ヒューズセル値３９１、３９３及び３９５は、１０ビットレジスタ３８９にロードされる。この値３８９は、例えば、ヒューズ値がすべて１であるときに印刷を抑制するなどのために、印刷ヘッドＩＣ制御論理によってアクセスされ得る。代替として、又は加えて、ＭｏＰＥＣが電源投入された後のヒューズ３７５、３７７及び３７９の状態を見るために、値３９７が、ＭｏＰＥＣによって連続的に読み取られてもよい。
【０２０８】
１つの可能なヒューズセル３７５を図３３に示す。溶断される前に、ヒューズ素子構造体は、それ自体が電気抵抗４０５を有し、これは、実質的にはプルアップ抵抗４０７の値よりも低い。これはノードＡをプルダウンし、これが、最初は０であるｆｕｓｅ＿ｖａｌｕｅ出力３９１を提供するためにバッファされる。ヒューズは、ｆｕｓｅ＿ｐｒｏｇｒａｍ＿ｅｎａｂｌｅ３８７とｆｕｓｅ＿ｐｒｏｇｒａｍ＿ｖａｌｕｅ３９９が両方とも１であるときに溶断される。これは、ノードＡをＶｐｏｓに接続するＰＦＥＴ４０９をオンにし、ヒューズ素子を開回路にする電流が流れる、すなわち、抵抗４０５が無限大になる。次に、ｆｕｓｅ＿ｖａｌｕｅ出力３９１が再度１を示す。
【０２０９】
印刷ヘッドの封止
簡単に前述したように、印刷ヘッドＩＣ２０２は、ポリマー封止フィルム２６４によってハウジング１８０の下面に取り付けられている（図３１参照）。このフィルムは、ＰＥＴやポリサルフォンフィルムなどの熱可塑性フィルムとすることもでき、ＡＬ  ｔｅｃｈｎｏｌｏｇｉｅｓ及びＲｏｇｅｒｓ  Ｃｏｒｐｏｒａｔｉｏｎによって製造されているものなど、熱硬化性フィルムの形とすることもできる。ポリマー封止フィルム２６４は、中央フィルムの両面に接着層を有する積層材であり、成形ハウジング１８０の下面に貼り合わされている。印刷ヘッドＩＣ２０２が、インク流路２６２と、したがって、インク保持構造体１８８、１９０及び１９２と流体連通するために、インク流路２６２の（又は代替カートリッジの場合には、フィルム層３１８内のインク流路３２０の）インク送出位置と符合するように、複数の孔（不図示）が、封止フィルム２６４にレーザドリルで開けられている。
【０２１０】
ポリマー封止フィルム２６４の厚さは、それが提供するインク封止の効果にとって決定的に重要である。フィルムは、ハウジング１８０上のインク流路２６２（又はフィルム層３１８内のインク流路３２０）、並びに印刷ヘッドＩＣ２０２の裏面のインク管（不図示）を封止する。しかしながら、フィルム２６４は、流路２６２の両端を封止するため、膨らんで印刷ヘッドＩＣ２０２の裏面の管の１つに入り込むこともある。管に入り込むフィルムの部分は、印刷ヘッドＩＣ２０２内のいくつかのインク流路２６２を横切ることもある。このたわみは、封止を破り、インクを印刷ヘッドＩＣ２０２から、及び／又はこれの裏面の管の間で漏出させるギャップを生じることがある。
【０２１１】
これを防ぐために、ポリマー封止フィルム２６４は、印刷ヘッドＩＣ２０２の裏側の封止を維持しながら、インク流路２６２（又はフィルム層３１８内のインク流路３２０）に入り込む膨らみに対処するのに十分な厚さとすべきである。ポリマー封止フィルム２６４の最低限の厚さは、
フィルムが入り込む管の幅、
フィルムの積層構造内の接着層の厚さ、
印刷ヘッドＩＣ２０２が押し込まれる際の接着層の「剛性」、及び
積層材の中央フィルム材料の係数
によって決まる。
【０２１２】
図示の印刷ヘッドＩＣ及びカートリッジアセンブリには、２５ミクロン（μｍ）の厚さのポリマー封止フィルム２６４が適当である。しかしながら、この厚さを５０、１００又は２００ミクロン（μｍ）にさえも増大させることにより、提供される封止の信頼性も、それに応じて増大する。
【０２１３】
印刷ヘッドＣＭＯＳ
次に図３４から図３８を見て、（印刷ヘッドＩＣ４２５を備える）印刷ヘッド４２０の好ましい実施形態について説明する。
【０２１４】
図３４に、印刷ヘッドＩＣ４２５と、そのＭｏＰＥＣデバイス１３０４への接続の概要を示す。印刷ヘッドＩＣ４２５は、各ノズルを発射する反復論理を含むノズルコア配列４０１と、ノズルを発射するタイミング信号を生成するノズル制御論理４０２とを含む。ノズル制御論理４０２は、高速リンクを介してＭｏＰＥＣチップ１６６からデータを受け取る。好ましい形態では、単一のＭｏＰＥＣチップ１６６が、２つの印刷ヘッドＩＣ４２５と４２６に印刷データを送る。
【０２１５】
ノズル制御論理は、印刷のために、リンク４０７を介してノズル配列コアにシリアルデータを送るように構成されており、これは、印刷ヘッド４２５では、電気コネクタ４２８である。ノズル配列コア４０１に関する状況その他の情報が、別のリンク４０８を介してノズル制御論理に送り返され、これは、電気コネクタ４２８上でも提供される。
【０２１６】
ノズル配列コア４０１は、図３５と図３６により詳細に示されている。図３５では、ノズル配列コアが、ノズル列の配列５０１を備えることが分かるであろう。この配列は、発射／選択シフトレジスタ５０２と、それぞれが対応するドットシフトレジスタ５０３によって表される３色チャネルを含む。
【０２１７】
図３６に示すように、発射／選択シフトレジスタ５０２は、順方向経路発射シフトレジスタ６００、逆方向経路発射シフトレジスタ６０１及び選択シフトレジスタ６０２を含む。各ドットシフトレジスタ５０３は、奇数ドットシフトレジスタ６０３と偶数ドットシフトレジスタ６０４を含む。奇数と偶数のドットシフトレジスタ６０３、６０４は、一端において、データが、奇数シフトレジスタ６０３によって一方向に、次いで、偶数シフトレジスタ６０４によって逆方向にクロック制御されるように接続されている。最後の偶数ドットシフトレジスタを除くすべての出力は、マルチプレクサ６０５の１つの入力に送られる。このマルチプレクサの入力は、生産後試験時に信号（コアスキャン）によって選択される。通常動作では、コアスキャン信号は、マルチプレクサ６０５の他方の入力に供給されるドットデータ入力Ｄｏｔ［ｘ］を選択する。これにより、各色ごとのＤｏｔ［ｘ］が、それぞれのドットシフトレジスタ５０３に供給される。
【０２１８】
次に、図３６を参照して、単一の列Ｎについて説明する。図示の実施形態では、列Ｎは、３つのドットシフトレジスタ５０３のそれぞれについて、奇数シフトレジスタ６０３の素子６０６によって保持される奇数データ値と、偶数シフトレジスタ６０４の素子６０７によって保持される偶数データ値を備える６つのデータ値を含む。また、列Ｎは、順方向発射シフトレジスタ６００からの奇数発射値６０８と、逆方向発射シフトレジスタ６０１からの偶数発射値６０９も含み、これらの値は、マルチプレクサ６１０への入力として供給される。マルチプレクサ６１０の出力は、選択シフトレジスタ６０２内の選択値６１１によって制御される。選択値が０であるときには、奇数発射値が出力され、選択値が１であるときには、偶数発射値が出力される。
【０２１９】
シフトレジスタ素子６０６及び６０７からの値は、それぞれ、個々の奇数と偶数のラッチ６１２、６１３への入力として提供される。
【０２２０】
ドットラッチ６１２、６１３のそれぞれと、それぞれに関連付けられたシフトレジスタ素子が、単位セル６１４を形成し、これを図３７により詳細に示す。ドットラッチ６１２は、シフトレジスタ素子６０６の出力を受け入れるＤ型フリップフロップである。シフトレジスタ素子６０６へのデータ入力ｄは、奇数ドットシフトレジスタ内の前の素子の出力から提供される（これは、考慮されている素子がシフトレジスタ内の最初の素子でない場合に限り、最初の素子である場合には、その入力はＤｏｔ［ｘ］値である）。データは、ＬｓｙｎｃＬ上で提供される負のパルスを受け取り次第、クロック制御されてフリップフロップ６０６の出力からラッチ６１２に入る。
【０２２１】
ラッチ６１２の出力は、３入力ＡＮＤゲート６１５の入力の１つとして提供される。ＡＮＤゲート６１５への他の入力は、（マルチプレクサ６１０の出力からの）Ｆｒ信号と、パルスプロファイル信号Ｐｒである。ノズルの発射時刻は、パルスプロファイル信号Ｐｒによって制御され、例えば、（電池電源の実施形態では）電池電力低下によって生じる低電圧条件を考慮に入れるように延長され得る。これは、各ノズルから発射されるときに、比較的一定の量のインクが効率よく噴出されるようにするためである。前述の実施形態では、プロファイル信号Ｐｒは、各ドットシフトレジスタごとに同じであり、これが、複雑性とコストと性能の間の均衡を実現する。しかしながら、別の実施形態では、Ｐｒ信号は、グローバルに印加され（すなわち、全ノズルで同じである）てもよく、各単位セルに合わせて個別に、又は各ノズルに均一に印加されてもよい。
【０２２２】
データがラッチ６１２にロードされると、発射イネーブルＦｒ信号とパルスプロファイルＰｒ信号がＡＮＤゲート６１５に印加され、合成されて、論理１を含む各ラッチ６１２ごとにインクドットを噴出するようにノズルをトリガする。
【０２２３】
各ノズルチャネルごとの信号を以下の表に要約する。
【表７】
2008543599.tif 000009
図３７に示すように、発射信号Ｆｒは、現在の列のある色、次の列の次の色、以下同様の発射を可能にするように、対角線上で送られる。これは、現在の要求を、３つのノズル列にわたって時間遅延させて広めることによって平均する。
【０２２４】
ドットラッチと様々なシフトレジスタを形成するラッチは、この実施形態では、完全に静的であり、ＣＭＯＳベースのものである。ラッチの設計及び構築は、集積回路技術設計の分野の技術者にはよく知られており、本明細書では詳細に説明しない。
【０２２５】
組み合わされた印刷ヘッドＩＣは、１色当たり１３８２４個のノズルを有する印刷ヘッドを定義する。各ノズルをサポートする回路は同じであるが、ＭＥＭＳノズルの物理的位置決めにより、ノズルのペアリングが発生する。すなわち、奇数と偶数のノズルは、図３８に示すように、実際には、同じ水平線上にない。
【０２２６】
ノズル設計−熱アクチュエータ
代替のノズル設計は、各ノズルからインクを吐き出させるのにサーマルインクジェット機構を利用する。加熱ノズルが、それらの仕事当量と同様に配置され、同様のＣＭＯＳ回路による同様の制御信号によって供給を受けるが、考慮する必要のある駆動特性の差異によって必要とされる場合には、異なるパルスプロファイルを伴う。
【０２２７】
図３９から図４３を参照すると、本発明の一実施形態による印刷ヘッドのノズルは、内部にノズル９０３を含むノズル板９０２と、ノズル縁９０４を有するノズルと、ノズル板を貫通して延在する開口９０５を備える。ノズル板９０２は、後でエッチングされる犠牲材料上に、化学気相蒸着法（ＣＶＤ）によって蒸着された窒化ケイ素構造からプラズマエッチングされる。
【０２２８】
また、印刷ヘッドは、各ノズル９０３に関して、ノズル板がその上で支持される側壁９０６、側壁とノズル板９０２によって定義される室９０７、多層基板９０８、及び多層基板を貫通して基板の裏側（不図示）まで延在する流入路９０９も含む。室９０７内では、環状の細長い発熱素子９１０が、吊り桁の形になるように懸架されている。図示の印刷ヘッドは、微小電子機械システム（ＭＥＭＳ）構造であり、以下でより詳細に説明する石版印刷法によって形成される。
【０２２９】
印刷ヘッドが使用されているとき、容器（不図示）からのインク９１１が、流入路９０９を経由して室９０７に入り、室が図３９に示す液面まで満たされる。その後、発熱素子９１０は、加熱が熱パルスの形になるように１マイクロ秒に満たない程度の時間加熱される。発熱素子９１０は、素子が加熱されると、これがインク内で蒸気泡の生成を引き起こすように、室９０７内のインク９１１と熱接触する。したがって、インク９１１は、気泡形成液を成す。図３９には、熱パルスの生成後約１ミリ秒、すなわち、気泡が発熱素子９１０上で凝集したばかりの気泡９１２の形成が示されている。熱がパルスとして加えられるため、気泡９１２を生成するのに必要な全エネルギーが、その短時間のうちに供給されることが理解されるであろう。
【０２３０】
動作に際して、電極（不図示）の両端に電圧が印加されて、素子９１０に電流が流される。電極９１５は、電気抵抗の大部分が素子９１０によって提供されるように、素子９１０よりもずっと厚い。よって、加熱器９１４を動作させる際に消費される電力のほとんど全部が、前述の熱パルスを作り出す際に、素子９１０によって放散される。
【０２３１】
素子９１０が前述のように加熱されると、気泡９１２が素子の長手方向に沿って形成され、この気泡は、図３９の断面図では、断面として示されている素子部分のそれぞれに１つずつ、４つの気泡部分として示されている。
【０２３２】
気泡９１２は、生成されると、室９０７内の圧力を増大させ、これがひいては、ノズル９０３を通してインク９１１の滴９１６の噴出を引き起こす。縁９０４は、インク滴９１６が噴出する際に、誤って滴下される可能性を最小限に抑えるように、インク滴９１６を誘導するのに役立つ。
【０２３３】
流入路９０９ごとにただ１つのノズル９０３と室９０７がある理由は、素子９１０が加熱され、気泡９１２が形成される際に、室内で生成される圧力波が、隣接する室とそれらの対応するノズルに影響を及ぼさないようにするためである。
【０２３４】
以下で、発熱素子９１０が、固体材料に組み込まれるのではなく懸架されていることの利点について論じる。
【０２３５】
図４０と図４１に、印刷ヘッドの動作の２つの連続する後段における単位セル９０１を示す。気泡９１２は、さらに生成され、したがって成長し、結果としてノズル９０３を通ってインク９１１が前進する。気泡９１２が成長する際の形状は、図４１に示すように、慣性力学とインク９１１の表面張力の組み合わせによって決まる。表面張力は、気泡９１２の表面積を最小化しようとする傾向があるため、一定量の液体が気化するまでは、気泡は、本質的に、円板型である。
【０２３６】
室９０７内の圧力の増加は、ノズル９０３を通してインク９１１を押し出すのみならず、流入路９０９を通して一部のインクを押し戻す。しかしながら、流入路９０９は、長さ約２００〜３００ミクロン（μｍ）であり、直径はわずか約１６ミクロン（μｍ）である。したがって、相当の粘性抵抗が生じる。その結果、室９０７内の圧力上昇の影響は、インクを、流入路９０９を通して押し戻すよりも、ノズル９０３を通して噴出滴９１６として押し出す方が優勢になる。
【０２３７】
次に図４２を見ると、さらに進んだ連続動作段階における印刷ヘッドが示されており、噴出されているインク滴９１６が、インク滴が分離する前の「ネッキング段階」にある様子が示されている。この段階では、気泡９１２は、既に、その最大サイズに達しており、図４３により詳細に反映されているように、崩壊点９１７に向かって崩壊を開始している。
【０２３８】
崩壊点９１７に向かう気泡９１２の崩壊は、若干量のインク９１１を、ノズル９０３内から（インク滴の両側から）引っ張らせ、若干量のインクを、崩壊点に向かって流入路９０９から引っ張らせる。このように引っ張られるインク９１１の大部分がノズル９０３から引き出され、インク滴９１６が分離する前に、その基部において角度のあるくびれ９１９を形成する。
【０２３９】
インク滴９１６が、分離するためには、ある一定の運動量が表面張力に打ち勝つ必要がある。インク９１１が、気泡９１２の崩壊によって、ノズル９０３から引っ張られるにつれて、くびれ部分９１９の直径が短くなり、それによって、インク滴を保持する総表面張力の量が低減して、ノズルから噴出される際のインク滴の運動量が、インク滴を分離させるのに十分になる。
【０２４０】
インク滴９１６が分離するとき、気泡９１２が崩壊して崩壊点９１７に至るにつれて、矢印９２０で表されるようにキャビテーション力が生じる。キャビテーションが影響を及ぼし得る崩壊点９１７の近傍には、固体表面がないことが分かるであろう。
【０２４１】
また、ノズルは、曲がり作動式アームを使ってインク滴を噴出させてもよい。これらのいわゆる「熱曲がり」ノズルは、それらの気泡形成熱素子当量と同様に配置され、同様のＣＭＯＳ回路による同様の制御信号によって供給を受けるが、考慮する必要のある駆動特性の差異によって必要とされる場合には、異なるパルスプロファイルを有する。熱曲がりノズル設計については、出願番号が割り当てられるまで暫定的に整理番号第ＭＣＤ０５６ＵＳ号で識別される本出願人の同時係属の出願明細書に詳細に記載されている。簡潔にするために、第ＭＣＤ０５６ＵＳ号の開示を、相互参照により本明細書に組み込むものである（上記の相互参照文献一覧参照）。
【０２４２】
クレードル
前述の様々なカートリッジは、モバイル機器自体はどのインク供給システムが使用されているか識別できないため、同様に使用される。したがって、クレードルを、カートリッジ１４８に関してのみ説明する。
【０２４３】
次に図４４を参照すると、カートリッジ１４８は、アクセスカバー２８２を介して移動電話機１００に軸方向に挿入され、クレードル１２４と係合する。図２６と図２８に示したように、クレードル１２４は、印刷カートリッジ１４８の寸法に厳密に対応する寸法の溝を定義する細長いＵ字型成形品である。次に図４５を参照すると、カートリッジ１４８は、移動電話機１００への挿入時にレール３２８に沿って摺動する。蓋成形品１９４の縁は、位置公差制御のためにレール３２８の下に適合する。図２６から図２８に示すように、カートリッジＴＡＢフィルム２００上の接点２６６は、クレードル内でデータ／電力コネクタ３３０に押し付けられる。データ／電力コネクタ３３０の反対側は、クレードルのフレキシブルＰＣＢ３３２に接する。このＰＣＢは、カートリッジとＭｏＰＥＣチップを、移動電話機の電源とホスト電子回路（不図示）に接続して、印刷ヘッドに、印刷を可能にするための電力とドットデータを提供する。ＭｏＰＥＣチップと移動電気通信機器のホスト電子回路の間の対話については、上記のＮｅｔｐａｇｅ及び移動電気通信機器の概要の項に記載されている。
【０２４４】
媒体送り
図１２から図１４に、移動電気通信機器を通して送られ、印刷ヘッドによって印刷される媒体を示す。図１２には、空白の媒体２２６、この場合にはカードが、移動電話機１００の左側に送られるところが示されている。図１３は、図１２のＡ−Ａに沿って取られた断面図である。図１３には、カード２２６が、カード挿入口２２８を通って媒体送り経路に入り、印刷カートリッジ１４８と印刷クレードル１２４に至るところが示されている。背面カバー成形品１０６は、媒体送り経路の幅を徐々に狭めて、カード２２６よりわずかに厚い経路にする案内つばを有する。図１３では、カード２２６は、まだ、金属カバー２２４のスロット２１４を通って印刷カートリッジ１４８に入っていない。金属カバー２２４は、挿入口２１４の一方の縁に沿って形成された一連のばねフィンガ２３０（以下でより詳細に説明する）を有する。これらのフィンガ２３０は、カード２２６がスロット２１４に入るとき、図１４に示すように、フィンガがカード２２６を駆動軸１７８に誘導するように、駆動軸１７８に対して偏っている。駆動軸１７８とフィンガ２３０の間のすき間がカード２２６と係合し、カード２２６がこれらの間に瞬時に引き込まれる。フィンガ２３０は、カード２２６を駆動軸１７８に押し付けて、摩擦により印刷ヘッド２０２の先に駆動する。駆動軸１７８には、その媒体２２６のグリップ力を高めるためにゴム被覆が施されている。印刷時の媒体送りについては、後の項で説明する。
【０２４５】
望ましくは、駆動機構は、印刷媒体を約２から４秒間で印刷するように選択される。より高速であれば、相対的に高い駆動電流を必要とし、最大電池出力に制約条件が課され、より低速であれば、消費者に受け入れられにくくなる。しかしながら、高速であれ、低速であれ、商業的需要があれば、必ず対応することができる。
【０２４６】
開蓋
印刷ヘッド２０２の開蓋を図４６から図５５に示す。図４６には、カード２２６が挿入口２１４に送られる直前の印刷カートリッジ１４８が示されている。キャッパ２０６は、キャッパ板ばね２３８によって閉蓋位置に偏っている。キャッパの弾性封止材２４０は、印刷ヘッドを、紙塵及びその他の異物から保護すると同時に、印刷ヘッドが使用されていないときのノズル内のインクの乾燥も阻止する。
【０２４７】
図４６から図４９を参照すると、カード２２６は、挿入口２１４から印刷カートリッジ１４８内に送り込まれている。ばねフィンガ２３０は、カードが印刷ヘッドの先に駆動される際に、カードを駆動軸１７８に対して押し付ける。駆動軸１７８が下方向に動くやいなや、カード２２６の前縁が、キャッパ２０６の傾斜した前面と係合し、キャッパ板ばね２３８の偏りに逆らってキャッパ２０６を開蓋位置まで押す。キャッパの運動は、最初は、回転運動である。というのは、カードの直線運動が、キャッパ２０６を、スロット２０８に位置するピン２１０を中心に回転させるからである。しかしながら、図５０から図５２に示すように、キャッパは、カードのさらなる運動により、ばね２３８の偏倚作用に抗して、キャッパが、印刷ヘッドチップ２０２から離れて真下に進む直線運動を始めるように制約されている。カードの前縁が印刷ヘッドに達すると、印刷ヘッドＩＣ２０２からカード上へのインクの噴出が始まる。
【０２４８】
図５２に最も適切に示されているように、カード２２６は、キャッパロック作動アーム２３２と係合するまで、媒体経路に沿って進む。これは、キャッパロックを作動させて、印刷が完了するまでキャッパを開蓋位置に保持する。これについては、以下で詳細に説明する。
【０２４９】
閉蓋
図５３から図５５に示すように、キャッパは、カード２２６が作動アーム２３２から離脱するまで、開蓋位置に留まる。この時点において、キャッパ２０６は、ロック解除され、板ばね２３０によってその閉蓋位置に戻る。
【０２５０】
キャッパのロックとロック解除
図５６から図６０を参照すると、カード２２６は、印刷ヘッド２０２の先へ駆動される際に、弾性封止材２４０上を摺動する。次いで、カード２２６の前縁が、媒体送り経路の両側で、キャッパロック機構２１２の対と係合する。キャッパロック機構２１２は、カード２２６によって回転され、これによってそのラッチ面２３４が、キャッパ２０６のロック係合面２３６と係合して、カードが印刷カートリッジ１４８から除去されるまでキャッパを開蓋位置に保持する。
【０２５１】
図５６と図５９には、ロック解除状態のロック機構２１２と、閉蓋位置のキャッパ２０６が示されている。各キャッパロック機構２１２の作動アーム２３２は、媒体経路内に突出している。キャッパ２０６の側面は、作動アームが回転して媒体送り経路から出るのを防ぐ。図５７、図５８Ａ、図５８Ｂ及び図６０を参照すると、カード２２６の前縁は、両側から媒体経路内に突出するキャッパロック機構２１２のアーム２３２と係合する。前縁が作動アーム２３２に到達するとき、カード２２６は、既に、キャッパ２０６を開蓋位置まで押して、ロック機構２１２が自由に回転するようになっている。カードがアーム２３２の先に押されるに従って、ロック機構２１２は、それぞれの面取りラッチ面２３４が、キャッパ２０６の両側で、傾いたロック係合面２３８と摺動して係合するように回転する。これらの面の間の摺動係合が、キャッパ２０６を押してカード２２６から離して、カード２２６が弾性封止材２４０と接触しなくなる。これは、媒体送りを遅らせる抗力を減じる。作動アーム２３２に抗して摺動するカード２２６の両側は、ロック機構２１２が回転するのを妨げ、そのため、キャッパ２０６は、ロック係合面２３８を押し下げるラッチ面２３４によって開蓋位置にロックされる。
【０２５２】
印刷されたカード２２６が、ユーザによって取り出される（以下でより詳細に説明する）と、作動アーム２３２が解放され、自由に回転する。キャッパ板ばね２３８は、キャッパ２０６を閉蓋位置に戻し、その際、ラッチ面２３４はロック係合面２３６上を摺動し、そのため、作動アーム２３２が回転して媒体送り経路に戻る。
【０２５３】
代替の閉蓋機構も可能であり、これらのいくつかは、出願番号が割り当てられるまで暫定的に整理番号第ＭＣＤ０５６ＵＳ号で識別される、本出願人の同時係属の出願明細書に詳細に記載されている。簡潔にするために、整理番号第ＭＣＤ０５６ＵＳ号明細書の開示を、相互参照により本明細書に組み込むものである（上記の相互参照文献一覧参照）。
【０２５４】
印刷媒体及び印刷
Ｎｅｔｐａｇｅプリンタは、通常、要求に応じて、すなわち、グラフィックスページコンテンツを印刷するのと同時に、表面コード化を構成するタグを印刷する。代替として、好ましい実施形態のようなタグを印刷することのできないＮｅｔｐａｇｅプリンタでは、事前のタグ付け以外は空白のＮｅｔｐａｇｅが使用され得る。プリンタは、タグ印刷ができるのではなく、通常は、Ｎｅｔｐａｇｅタグセンサを組み込んでいる。プリンタは、タグ、したがって、グラフィックスページコンテンツの空白への印刷前、印刷時、又は印刷後に空白の領域ＩＤを感知する。プリンタは、領域ＩＤをＮｅｔｐａｇｅサーバに送り、サーバは、通常のやり方でページコンテンツと領域ＩＤを関連付ける。
【０２５５】
特定のＮｅｔｐａｇｅ表面コード化方式で、表面領域内の空間座標表現に最小限のビット数を割り振る。個々の媒体サイズが、最小限のビット数で表現可能な最大サイズより著しく小さい場合、Ｎｅｔｐａｇｅコード空間の利用が非効率的になり得る。したがって、空白の集合体に領域の異なるサブエリア領域を割り振ることが問題となり得る。これは、Ｎｅｔｐａｇｅサーバによって維持される関連付けをより複雑にし、その後のやりとりの指定をより複雑にするが、より効率のよいコード空間利用につながる。極端な場合、表面コード化は、単一の座標空間を有する、すなわち、明示的領域ＩＤのない単一の領域を利用することもある。
【０２５６】
領域がこのように細分される場合、Ｎｅｔｐａｇｅプリンタは、タグセンサを使って、領域ＩＤのみならず、印刷媒体上の知られている物理的位置の、すなわち、媒体の２つの縁に対する表面コード化位置も決定する。表面コード化位置及びそれに対応する媒体上の物理的位置と、知られている（又は求められた）媒体のサイズとから、Ｎｅｔｐａｇｅプリンタは、その領域の座標空間における媒体の空間的広がりを決定し、領域ＩＤと空間的広がりの両方をサーバに送る。サーバは、ページコンテンツを、指定された領域のサブエリアと関連付ける。
【０２５７】
いくつかの機構を使って、空白からタグデータを読み取ることができる。２次元画像センサを組み込んだ従来のＮｅｔｐａｇｅタグセンサを使って、プリンタの紙経路の任意の都合のよい位置において空白のタグ付き表面の画像を取り込むことができる。代替として、直線画像センサを使って、搬送時に空白のタグ付き表面の連続する線画像を取り込むこともできる。これらの線画像を使って、通常のやり方で処理される２次元画像を作成することができる。代替として、領域ＩＤデータとその他の主なデータを空白上に直線的に符号化し、簡単な光検出器とＡＤＣを使って、搬送時に、直線符号化のサンプルを獲得することもできる。
【０２５８】
２次元画像センサを使用することの１つの重要な利点は、タグ感知が、印刷媒体のモータによる搬送が始まる前に行われ得ることである。すなわち、印刷媒体がユーザによって手で挿入される場合、タグ感知は、挿入時に行われ得る。これには、タグデータが機器によって確認される場合、印刷媒体が、印刷が始まる前に拒絶され、おそらく排出され得るというさらなる利点がある。例えば、印刷媒体は、目的の印刷面の反対側に、広告その他のグラフィックスコンテンツが事前に印刷されていてもよい。機器は、タグデータを使って誤った、すなわち上下逆さまや前後逆の媒体挿入を検出することができる。また、機器は、既に印刷された媒体の意図しない重ね刷りも防ぐことができる。また、機器は、印刷品質を守るなどのために、無効な印刷媒体の使用の試みを検出し、印刷を拒絶することもができる。また、機器は、タグデータから印刷媒体特性を取り出して、最適な印刷調整を行うこともできる。
【０２５９】
直線画像センサが使用される場合、又は光検出器が使用される場合、画像感知は、正確な画像化を保証するために、印刷媒体のモータによる搬送時に行われなければならない。搬送機構と印刷経路内の印刷媒体の間に、タグデータ獲得距離に等しい最小限の距離で隔てられた、少なくとも２つの接点がない限り、タグデータは、印刷が始まる前に抽出され得ず、前述の確認の利点は得られない。直線画像センサの場合、タグデータ獲得距離は、通常のタグ画像化視野の直径に等しい。光検出器の場合、タグデータ獲得距離は、必要とされる直線符号化の長さと等しい。
【０２６０】
タグセンサは、印刷段階全体を通して十分に高いサンプリング速度で動作する場合、これを使って正確な動作感知を行い、動作データを使って、印刷エンジンにライン同期信号を提供することもできる。これは、搬送機構内のジッタの影響を除去するのに使用され得る。
【０２６１】
図６１から図６７に、符号化媒体と移動電気通信機器内の媒体感知印刷システムの一実施形態を示す。カードの符号化については、ここでは簡単に論じ、本明細書のコード化媒体の項で詳細に説明する。同様に、符号化データの光学的感知についても本明細書の別の箇所で説明されており、Ｍ−Ｐｒｉｎｔの媒体と印刷システムを総合的に理解するには、本明細書全体を読む必要がある。
【０２６２】
図６１を参照すると、カード２２６の１つの「裏面」が示されている。カードの裏面には、カードの縦方向の辺に沿って、２つのコード化データトラック、すなわち、「クロックトラック」４３４と「データトラック」４３６がある。カードは、特に、
カードの向き、
媒体の種類と信頼性、
縦方向のサイズ、
事前印刷面、
カード上の以前の印刷の検出、及び
印刷ヘッドＩＣに対するカードの位置
を示すデータを用いて符号化されている。理想的には、符号化データは、それが不可視であり、可視画像を印刷するのに利用可能なスペースを侵害しないように、ＩＲインクで印刷される。
【０２６３】
基本の形態では、Ｍ−Ｐｒｉｎｔカード２２６は、データトラックとクロッキング（別々のクロックトラック又はセルフクロッキングデータトラックとして）を用いて符号化されているにすぎない。しかしながら、図に示すより洗練された実施形態では、カード２２６は、裏面の大部分を覆う事前印刷Ｎｅｔｐａｇｅタグパターン４３８を有する。また、表面に事前印刷タグパターンがあってもよい。これらの実施形態では、好ましくは、データトラックが、タグに符号化されている少なくとも第２の情報を示す第１の情報を符号化している。最も好ましくは、第１の情報は、単に、タグのそれぞれに符号化されている文書の識別情報だけである。
【０２６４】
クロックトラック４３４は、それがあることによって、ＭｏＰＥＣ２４（図６２参照）に、カード２２６の表が印刷ヘッド２０２に面していると判定させ、プリンタに、印刷時のカード２２６の移動を感知させる。また、クロックトラック４３４は、高密度にコードされたデータトラック４３６のクロックも提供する。
【０２６５】
データトラック４３６は、Ｎｅｔｐａｇｅ識別子と、任意選択で（本明細書の別の箇所で説明する）関連付けられたデジタル署名を提供し、これは、ＭｏＰＥＣ３２６が、不正な、又は無許可の媒体２２６を拒絶し、表面のＮｅｔｐａｇｅタグパターンのＮｅｔｐａｇｅ識別子をＮｅｔｐａｇｅサーバに報告することを可能にする。
【０２６６】
図６２に、別々のクロックトラックとデータトラックを用いて符号化された媒体を使用するＭ−Ｐｒｉｎｔシステムのブロック図を示す。クロックトラックとデータトラックは、別々の光符号器によって読み取られる。システムは、任意選択で、以下で図６５に関連してより詳細に論じる、明示的エッジ検出器４７４を有する。
【０２６７】
図６３に、クロックトラック又はデータトラック光符号器として使用され得る光符号器の簡略化した回路を示す。この回路は、ＭｏＰＥＣ３２６に、クロック又はデータトラック内の符号器によって読み取られるマークと間隔を表す基本的には２値の信号を提供するシュミットトリガ４６６を組み込んでいる。ＩＲ  ＬＥＤ４７２が、カード２２６のマークサイズの領域を照射するように構成されており、フォトトランジスタ４６８が、カードによって反射される光４７０を取り込むように構成されている。ＬＥＤ４７２は、媒体コード化を印刷するのに使用される赤外線インクの最大吸収波長に合致するピーク波長を有する。
【０２６８】
代替として、光符号器は、これらを「直交符号器」として構成することによって、媒体運動の方向を感知することもできる。直交符号器は、９０°位相のずれたクロックトラックを読み取るように空間的に位置付けられた１対の光符号器を含む。その同相出力と直交出力により、ＭｏＰＥＣ３２６は、クロックトラック４３４の運動のみならず、運動の方向も特定することができる。直交符号器は、一般的には不要である。というのは、プリンタ制御装置は搬送モータも制御するため、媒体搬送方向が事前に分かっているからである。しかしながら、直交符号器を使用すれば、運動制御機構から、二方向運動感知機構を分離するのに役立つ。
【０２６９】
図６４に、ＭｏＰＥＣ３２６のブロック図を示す。ＭｏＰＥＣ３２６は、クロックトラック４３４で固有のクロックを追跡するデジタル位相ロックループ（ＤＰＬＬ）４４４（図６１参照）と、クロック４４６からライン同期信号４７６を生成するライン同期信号発生器４４８と、データトラック４３６内のデータを復号するデータ復号器４５０を組み込んでいる。デフレーミング、誤り検出及び誤り訂正は、ＭｏＰＥＣ汎用プロセッサ４５２上で走るソフトウェアによって行われてもよく、ＭｏＰＥＣ内の専用ハードウェアによって行われてもよい。
【０２７０】
データ復号器４５０は、ＤＰＬＬ４４４によって回復されるクロック４４６を使って、データトラック光符号器４４２から信号をサンプリングする。データ復号器４５０は、データトラック光符号器４４２から連続信号をサンプリングしてもよく、サンプリング周期の期間にわたってデータトラック光符号器４４２のＬＥＤを実際にトリガし、それによってＬＥＤの総電力消費を低減してもよい。
【０２７１】
ＤＰＬＬ４４４は、ＰＬＬとすることもでき、単に、連続するクロックパルス間の周期を測定し、フィルタリングしてもよい。
【０２７２】
ライン同期信号発生器４５６は、クロックトラック４３４から回復されるクロック４４６の速度の倍数である速度でライン同期信号パルス４７６を発生させる数値制御発振器からなる。
【０２７３】
図６２に示すように、印刷エンジンは、任意選択で、カード２２６と、印刷ヘッド２０２の動作との縦方向の位置合わせを可能にする明示的エッジ検出器４７４を組み込んでいてもよい。この場合、図６５に示すように、明示的エッジ検出器４７４は、エッジ検出後に固定数のライン同期信号４７６をカウントした後で印刷の開始を知らせるページ同期信号４７８を生成する。また、縦方向の位置合わせは、光センサから、開蓋機械スイッチ、駆動軸／引張バネ接触スイッチ及びモータ負荷検出に至る他のカード挿入検出機構によっても行われ得る。
【０２７４】
任意選択で、プリンタは、媒体コード化自体を利用して、縦方向の位置合わせを得ることもできる。例えば、プリンタは、データトラック４３６上のパイロットシーケンスの獲得を利用して位置合わせを行ってもよい。この場合、図６６に示すように、プリンタは、パイロット検出後に固定数のライン同期信号４７６をカウントした後で印刷の開始を知らせるページ同期信号４７８を生成する。パイロット検出器４６０は、シフトレジスタと、データ復号器４５０によって提供されるパイロットシーケンス４８０を認識し、パイロット同期信号４８２を生成する組み合わせ論理からなる。媒体コード化自体を利用すれば、印刷されるコンテンツをＮｅｔｐａｇｅタグパターン４３８（図６１参照）と位置合わせするための優れた情報を提供することができる。
【０２７５】
図６７に示すように、データトラック光符号器４４２は、データトラック４３６（図６１参照）ができるだけ早く、回復されたクロック信号４４６を使って復号化されるように、第１のクロックデータ符号器４４０に隣接して位置付けられている。クロックは、印刷が始まる前に獲得されなければならず、そのため、第１の光符号器４４０は、媒体送り経路内の印刷ヘッド２０２の前に位置付けられている。しかしながら、クロックは、印刷の間中ずっと追跡される必要があるため、第２のクロック光符号器４６４が、印刷ヘッド２０２と同じ位置、又はその下流側に位置付けられている。これについて、以下でより詳細に説明する。
【０２７６】
図５４に、印刷されたカード２２６が印刷カートリッジ１４８から引き出されるところが示されている。印刷されたカード２２６は、ユーザによって手で引き出される必要があることが理解されるであろう。カード２２６の後縁は、駆動軸１７８とばねフィンガ２３０の間を通過すると、もはや媒体送り経路に沿って駆動されなくなる。しかしながら、印刷ヘッド２０２は、駆動軸１７８から２ｍｍ未満のところにあるため、カード２２６の運動量は、後縁を印刷ヘッド２０２の先に突出させる。
【０２７７】
カードの運動量は、後縁を印刷ヘッドの先に搬送するのに十分であるが、カードを排出口１５０（図１４）から放出するのに十分なほどではない。代わりに、カード２２６は、移動電話機１００の側面の排出口１５０から突出する際に、対向するロック作動アーム２３２によって軽く把持される。これによりカード２２６が保持されため、カード２２６が単に排出口１５０から落ちるのではなく、ユーザが、都合のよいときに、移動電話機１００から印刷されたカード２２６を手で取り出すことが可能になる。これは、移動電気通信機器の実用性にとって重要である。というのは、カード２２６は、移動電気通信機器の一方の側に送り込まれ、他方の側から取り出されるため、ユーザは、通常、印刷されたカードを受け取るときに、移動電気通信機器を持つ手を持ち替えようとするからである。印刷されたカードを軽く保持することによって、ユーザは、印刷ジョブが完了する（約１〜２秒間）前に、カードを受け取るために手を持ち替える必要がない。
【０２７８】
代替として、カードがローラを離れる際のカードの速度を、カードがそれ自体の慣性によって排出口１２３から出るのに十分な速さとすることもできる。
【０２７９】
デュアルクロックセンサ同期
断ち切り印刷では、復号器は、カードの縦方向の全長についてライン同期信号を生成する必要がある。カードに（本明細書の別の箇所で説明する）取外し式ストリップがない限り、印刷エンジンは、印刷ヘッドの両側に１つずつ２つのクロックトラックセンサを必要とする。最初に、ライン同期信号は、印刷ヘッド前センサからのクロック信号から生成され、次いで、カードの後縁が印刷ヘッド前センサを通る前に、ライン同期信号は、印刷ヘッド後センサによって生成される必要がある。第１のクロック信号から第２のクロック信号に切り換わるには、第２のクロック信号は、（印刷に不自然な結果を生じる）ライン同期信号の切断を回避するために、第１のクロック信号と同期される必要がある。
【０２８０】
図６９を参照すると、１対のＤＰＬＬ４４３と４４４が、それぞれの第１と第２のクロックトラック光符号器４４０と４６４を介して、クロックトラックで固有のクロックを追跡する。印刷の初期段階には、第１の符号器４４０だけがクロックトラックを調べ、第１のＰＬＬ４４３だけがロックされる。カードは、印刷ヘッドを通る際に印刷され、次いで、第２の光符号器４６４がクロックトラックを調べる。この段階では、両方の符号器ともクロックトラックを調べ、両方のＤＰＬＬがロックされることになる。印刷の最終段階では、第２の符号器だけがクロックトラックを調べ、第２のＤＰＬＬ４４３だけがロックされる。
【０２８１】
初期段階には、第１のＤＰＬＬ４４０からの出力がライン同期信号４７６の生成に使用されなければならないが、中間段階が終わる前に、復号器は、第２のＤＰＬＬ４４４からの出力を使ってライン同期信号４７６を生成し始めなければならない。一般に、各符号器間に整数のクロック周期間隔を置くことは実際的ではないため、第２のＤＰＬＬ４４４からの出力は、移行が行われる前に、第１のＤＰＬＬ４４３の出力と位相整合されなければならない。
【０２８２】
移行をうまく処理するために、問題となる４つのクロック追跡段階がある。第１のＤＰＬＬ４４３だけがロックされる第１段階では、第１のＤＰＬＬ４４３からのクロックがマルチプレクサ４６２によって選択され、ライン同期信号発生器４４８に送られる。第２のＤＰＬＬ４４４がロックするときから開始する第２段階では、２つのＤＰＬＬの位相差が算出され４４１、位相レジスタ４４５にラッチされる。第２段階の開始から一定時間後に開始する第３段階では、第２のＤＰＬＬ４４４からの信号が、ラッチレジスタ４４５内にラッチされた位相差によって設定される遅延４４７を介して送られる。第３段階の開始から一定時間後に開始する第４段階では、第２のＤＰＬＬ４４７からの遅延されたクロックが、マルチプレクサ４６２によって選択され、ライン同期信号発生器４４８に送られる。
【０２８３】
図７１に、クロックトラッキング位相を制御する信号を示す。ロック信号４４８及び４５１は、ＤＰＬＬ４４３と４４４内のロック検出回路を使って生成される。代替として、ＰＬＬロックは、２つの符号器４４０と４６４に対するカードの位置のおおよその知識に従って想定される。２つの位相制御信号４５３と４５５は、ロック信号４４９と４５１によってトリガされ、タイマによって制御される。
【０２８４】
実際には、第２のＰＬＬのクロックを明示的に遅延させるのではなく、遅延クロックは、位相差を考慮に入れるデジタル発振器によって直接生成され得ることに留意されたい。カード２２６を運動量によって印刷ヘッド２０２の先に突出させることにより、コンパクトな単一駆動軸設計が可能になる。しかしながら、カード２２６が駆動軸１７８から離脱した後のカード２２６の減速により、後縁での正確なライン同期信号４７６の生成がはるかに難しくなる。機器のコンパクトさがあまり重要でない場合には、印刷ヘッドの後の第２の駆動軸で、印刷が完了するまでカードの速度を一定に保つことができる。この種の駆動システムは、出願番号が割り当てられるまで暫定的に整理番号第ＭＣＤ０５６号で識別される、本出願人の同時係属の出願明細書に詳細に記載されている。簡潔にするために、整理番号第ＭＣＤ０５６号の開示を、相互参照により本明細書に組み込むものである（上記の相互参照文献一連参照）。
【０２８５】
媒体コード化
図６１に示すカード２２６は、クロックトラック４３４、データトラック４３６及びＮｅｔｐａｇｅタグパターン４３８の形としてコード化データを有する。このコード化データは、様々な機能を果たし、これらについて以下で説明する。しかしながら、以下に列挙する機能は、網羅的なものではなく、カード化媒体は（適切な移動電気通信機器と共に）他の多くの機能も実施することができる。同様に、これらの機能すべてが、媒体上のコード化データに組み込まれている必要もない。任意の１つ又は複数の機能が、個々の印刷媒体及び／又はシステムの設計対象である１つ又は複数の用途に適するように組み合わされ得る。
【０２８６】
面
カードは、プリンタが、印刷を開始する前に、カードのどちらの面が印刷ヘッドを向いているか、すなわち表面か裏面かを判定することができるようにコード化され得る。これは、カードの裏面にグラフィックス（広告など）が事前に印刷されている場合、又は表面と裏面が（例えば、裏面に事前印刷されたグラフィックスを保護するため、及び／又は表面の高品質印刷を円滑に行わせるためなどの）異なる表面処理を有する場合に、表裏逆に挿入されるとプリンタがカードを拒絶することを可能にする。また、これは、プリンタが、面に応じたコンテンツ（例えば、表面の写真と裏面の対応する写真詳細など）を印刷することも可能にする。
【０２８７】
向き
カードは、プリンタが、印刷を開始する前に、印刷ヘッドに関連したカードの向きを判定することができるようにコード化され得る。これは、印刷ヘッドが、裏面の事前に印刷されたグラフィックスの回転と合致するように回転されたグラフィックスを印刷することを可能にする。また、カードが（裏面の事前に印刷されたグラフィックスに対して）誤った向きに挿入された場合、プリンタがカードを拒絶することも可能にする。向きは、明示的な向き標識を検出することによって、又は、別の目的で印刷された情報、Ｎｅｔｐａｇｅタグ、或いは事前に印刷されたユーザ情報や広告さえもの知られている向きを使って判定され得る。
【０２８８】
媒体の種類／サイズ
カードは、プリンタが、印刷を開始する前に、カードの種類を判定することができるようにコード化され得る。これは、プリンタが、例えば、媒体の種類に特有のカラープロファイルを使った色変換や、カードの期待される吸収度に従ったインク滴サイズ調整など、媒体の種類に特有の印刷データを作成し、又は印刷モードを選択することを可能にする。カードは、プリンタが、印刷を開始する前に、カードの縦方向のサイズを判定することができるようにコード化され得る。これは、プリンタが、例えば、パノラマサイズのカードにマッチさせる写真のパノラマトリミングなど、カードのサイズに合わせてフォーマットされたグラフィックスを印刷することを可能にする。
事前印刷
カードは、プリンタが、印刷を開始する前に、印刷ヘッドを向いたカードの面が事前に印刷されているかどうか判定することができるようにコード化され得る。その場合、プリンタは、カードが事前に印刷された面を印刷ヘッドに向けて挿入された場合、印刷を開始する前に、カードを拒絶することができる。これは重ね刷りを防止する。また、これは、プリンタが、印刷を開始する前に、通常は事前印刷された面の知られている空白領域に当てはまるコンテンツを作成することも可能にする（例えば、裏面に事前印刷広告があるが、写真詳細のための空白領域を有するカードに印刷される、斜視の裏面の写真詳細など）。
【０２８９】
カードは、プリンタが、印刷を開始する前に、印刷ヘッドに向いた面が、既に（事前印刷ではなく）要求に応じて印刷されているかどうか検出することができるようにコード化され得る。これは、プリンタが、印刷を開始する前に、印刷ヘッドを向いた面が既に要求に応じて印刷されているか場合に、既に印刷されたグラフィックスに重ね刷りせずに、カードを拒絶することを可能にする。
【０２９０】
カードは、プリンタが、理想的には印刷を開始する前に、カードが許可されたカードであるかどうか判定することができるようにコード化され得る。これは、プリンタが、理想的には印刷を開始する前に、無許可のカードを拒絶することを可能にする。というのは、その場合、カードの品質が分からず、印刷の品質が保証され得ないからである。
【０２９１】
位置
カードは、プリンタが、印刷を開始する前に、印刷ヘッドに対するカードの縦方向の絶対位置を判定することができるようにコード化され得る。これは、プリンタが、カードと位置合わせしてグラフィックスを印刷することを可能にする。また、これは、例えば、カードの前縁を直接検出するなど、他の手段によっても達成され得る。
【０２９２】
カードは、プリンタが、印刷を開始する前に、印刷ヘッドに対するカードの横方向の絶対位置を判定することができるようにコード化され得る。これは、プリンタが、カードと位置合わせしてグラフィックスを印刷することを可能にする。また、これは、例えば、ぴったり合った紙経路を設ける、及び／又はカードの横の縁を検出するなど、他の手段によっても達成され得る。
【０２９３】
カードは、プリンタが、印刷時に、印刷ヘッドに対するカードの縦方向の位置、又は印刷ヘッドに対するカードの縦方向の速度を追跡することができるようにコード化され得る。これは、プリンタが、カードと位置合わせしてグラフィックスを印刷することを可能にする。また、これは、搬送機構の移動部分をコード化し、追跡するなど、他の手段によっても達成され得る。
【０２９４】
カードは、プリンタが、印刷時に、印刷ヘッドに対するカードの横方向の位置、又は印刷ヘッドに対するカードの横方向の速度を追跡することができるようにコード化され得る。これは、プリンタが、カードと位置合わせしてグラフィックスを印刷することを可能にする。また、これは、ぴったり合った紙経路を設ける、及び／又はカードの横の縁を検出するなど、他の手段によっても達成され得る。
【０２９５】
不可視性
コード化は、実質的に肉眼には見えないようレンダリングするように、カード内又はカード上に配置され得る。これは、コード化が、印刷されたグラフィックスを損なうのを防ぐ。
【０２９６】
耐障害性
コード化は、プリンタが、予期される量の表面の汚染又は損傷の存在下でコード化を獲得し、復号化することを可能にするのに十分な耐障害性を有し得る。これは、予期される量の表面の汚染又は損傷により、プリンタがカードを拒絶し、又はプリンタが水準以下の印刷物を作成するのを防止する。
【０２９７】
適切なＭ−Ｐｒｉｎｔプリンタが適合するカードを用いて提供することのできる広範な機能を考慮して、プリンタ、カード及びコード化のいくつかの代替形態が、出願番号が割り当てられるまで暫定的に整理番号第ＭＣＤ０５６ＵＳ号で識別される本出願人の同時係属の出願明細書に詳細に記載されている。簡潔にするために、第ＭＣＤ０５６ＵＳ号の開示を、相互参照により本明細書に組み込むものである（上記の相互参照文献一覧参照）。
【０２９８】
直線符号化
Ｋｉｐは、本発明の譲受人の、物理的表面に少量のデジタルデータを格納するロバストな１次元光符号化方式のクラスのテンプレートの社内名である。Ｋｉｐは、任意選択で、現実の表面劣化に対処するための誤り訂正を組み込んでいる。
【０２９９】
個々の符号化方式は、後述するＫｉｐテンプレートを特殊化することによって定義される。パラメータは、データ容量、クロッキング方式、物理的スケール、冗長度を含む。また、Ｋｉｐ読取装置も、通常は、個々の符号化方式のために特殊化される。
【０３００】
Ｋｉｐ符号化は、簡単な光検出器によって、符号化媒体が搬送時に検出器を通過する際に読み取られるように設計される。したがって、この符号化は通常、媒体の搬送方向と平行に走っている。例えば、Ｋｉｐ符号化は、印刷時に印刷媒体から読み取られる。好ましい実施形態では、Ｋｉｐ符号化データが、前述のように、モバイル機器で印刷されるべき印刷媒体の縦方向の縁の少なくとも１つ（好ましくは２つ以上）に沿って設けられる。好ましい形態では、Ｋｉｐ符号化データは、赤外線インクで印刷され、肉眼には見えず、又は少なくとも見えにくいようにレンダリングされる。
【０３０１】
Ｋｉｐ符号化は、通常、表面に印刷されるが、他の手段によって表面上、又は表面内に配置されてもよい。
【０３０２】
Ｋｉｐパラメータの概要
以下の表に、Ｋｉｐを特殊化するのに必要とされるパラメータを要約する。これらのパラメータは、本明細書全体の文脈において理解されるべきである。
【０３０３】
以下の表に、フレーム化パラメータを要約する。
【表８】
2008543599.tif 000010
以下の表に、クロッキングパラメータを要約する。
【表９】
2008543599.tif 000011
以下の表に、物理パラメータを要約する。
【表１０】
2008543599.tif 000012
以下の表に、誤り訂正パラメータを要約する。
【表１１】
2008543599.tif 000013
Ｋｉｐ符号化
Ｋｉｐ符号化は、データの単一のビットストリームを符号化し、図７２に示すように、いくつかの別個の独立した層を含む。フレーム化層は、ビットストリームを、同期と簡単な誤り検出を可能にするようにフレーム化する。変調及びクロッキング層は、フレームのビットを、ビット回復を可能にするクロッキング情報と共に符号化する。物理層は、光学的に読取り可能なマークを使って、変調され、クロック制御されたフレームを表す。
【０３０４】
任意選択の誤り訂正層は、ビットストリームを、誤り訂正を可能にするように符号化する。アプリケーションは、誤り訂正層を使用するよう選択することも、独自の誤り訂正を実施することもできる。
【０３０５】
Ｋｉｐ符号化は、直列復号を可能にするように設計されており、したがって、暗黙的時間次元を有する。慣例により本明細書では、時間軸は右を指し示す。しかしながら、個々のＫｉｐ符号化は、物理的に、その用途に適する任意の向きで表され得る。
【０３０６】
フレーム化
Ｋｉｐフレームは、図７３に示すように、プリアンブル、パイロット、ビットストリームデータ自体、及び巡回冗長検査（ＣＲＣ）語からなる。
【０３０７】
プリアンブルは、長さＬｐｒｅａｍｂｌｅのゼロのシーケンスからなる。プリアンブルは、アプリケーションにプリアンブル内のどこかでＫｉｐ復号器を開始させるのに十分な長さである。すなわち、プリアンブルは、アプリケーションが、事前に、プリアンブルの少なくとも一部の場所を知るのに十分な長さである。したがって、プリアンブルシーケンスのビット単位の長さは、アプリケーション特有のプリアンブルの長さｌｐｒｅａｍｂｌｅ（式８参照）から導出される。
【０３０８】
パイロットは、復号器をフレームと同期させる一意のパターンからなる。パイロットパターンは、前にプリアンブルビットの付いたパイロット自体の任意のシフトからのパイロットの２値ハミング距離を最大にするように設計される。これは、復号器が、ビット誤りがあったとしても、最大尤度復号器を利用してパイロットを認識することを可能にする。
【０３０９】
プリアンブルとパイロットは、合わさって、復号器がパイロットを検出する前に検出する任意のビットシーケンスが、パイロットから最大限離れることを保証する。
【０３１０】
パイロットシーケンスは１１１０  １０１１  ０１１０  ００１０である。その長さＬｐｉｌｏｔは１６である。パイロットの、それ自体のプリアンブル付きシフトからの最小距離は９である。したがって、パイロットは、最大４つのビット誤りがあっても確実に認識され得る。
【０３１１】
ビットストリームの長さＬｄａｔａは、アプリケーションによって事前に知られており、したがって、パラメータである。これは、フレーム内では符号化されない。ビットストリームは、最上位ビットを先頭、すなわち左端として符号化される。
【０３１２】
ＣＲＣ（巡回冗長検査）は、ビットストリームデータに関して計算される（当分野の技術者には知られており、したがって、本明細書では詳細に説明しない）ＣＣＩＴＴ  ＣＲＣ−１６であり、復号器が、そのビットストリームが壊れているかどうか判定することを可能にする。ＣＲＣの長さＬＣＲＣは１６である。ＣＲＣは、ビットストリームに関して、左から右へ計算される。ビットストリームは、ＣＲＣの計算の間、その長さを８ビットの整数倍にするために、ゼロビットでパディングされる。パディングは、フレーム内で符号化されない。
【０３１３】
フレームのビット単位の長さは以下の通りである。
【０３１４】
（式１）  Ｌｆｒａｍｅ＝Ｌｐｒｅａｍｂｌｅ＋Ｌｐｉｌｏｔ＋Ｌｄａｔａ＋ＬＣＲＣ
（式２）  Ｌｆｒａｍｅ＝Ｌｐｒｅａｍｂｌｅ＋Ｌｄａｔａ＋３２
変調及びクロッキング
Ｋｉｐ符号化は、フレームビットシーケンスを変調して、抽象マークと間隔のシーケンスを生成する。これらは、物理層によって物理的に実現される。
【０３１５】
Ｋｉｐ符号化は、明示的と暗黙的両方のクロッキングをサポートする。フレームが明示的にクロック制御されるとき、符号化は、図７４に示すように、フレームと並列に符号化された別個のクロックシーケンスを含む。次いで、フレームのビットが、従来の非ゼロ復帰（ＮＲＺ）符号化を使って符号化される。ゼロビットが間隔で表され、１ビットがマークで表される。
【０３１６】
クロック自体は、交互のマークと間隔のシーケンスからなる。クロックマークの中心は、フレーム内のビットの中心と整列される。フレームは、１クロック周期当たり２ビットを符号化する。すなわち、フレームのビット速度は、クロックの速度の２倍である。
【０３１７】
クロックは、復号器が、フレームの開始前に、クロック同期を獲得することができるように、フレームの開始よりいくつかのクロック周期Ｃｃｌｏｃｋｓｙｎｃだけ前に開始する。Ｃｃｌｏｃｋｓｙｎｃの大きさは、復号器によって使用されるＰＬＬの特性に左右され、したがって、読取装置特有のパラメータである。
【０３１８】
復号化が明示的にクロック制御されるとき、対応する復号器は、クロックを感知する別の光センサを組み込んでいる。
【０３１９】
フレームが暗黙的にクロック制御されるとき、フレームのビットは、マンチェスタ位相符号化を使って符号化される。ゼロビットが間隔／マーク遷移によって表され、１ビットがマーク／間隔遷移によって表され、両遷移とも左から右に定義される。マンチェスタ位相符号化は、復号器が、変調フレームからクロック信号を抽出することを可能にする。
【０３２０】
この場合、プリアンブルは、復号器が、パイロットをサーチする前にクロック同期を獲得することができるように、Ｃｃｌｏｃｋｓｙｎｃビットだけ拡張される。
【０３２１】
同じマーキング周波数を仮定すると、明示的クロック制御符号化のビット密度は、暗黙的クロック制御符号化のビット密度の２倍である。
【０３２２】
明示的クロッキングと暗黙的クロッキングの間の選択は、アプリケーションに左右される。明示的クロッキングには、暗黙的クロッキングより大きい縦方向のデータ密度を提供するという利点がある。暗黙的クロッキングには、明示的クロッキングは２つの光センサを必要とするが、暗黙的クロッキングは単一の光センサがあればよいという利点がある。
【０３２３】
パラメータｂｃｌｏｃｋは、クロックが暗黙的である（ｂｃｌｏｃｋ＝０）か、それとも明示的である（ｂｃｌｏｃｋ＝１）かを示す。変調され、クロック制御されたＫｉｐフレームの、クロック周期単位の長さは、
（式３）  Ｃｆｒａｍｅ＝Ｃｃｌｏｃｋｓｙｎｃ＋Ｌｆｒａｍｅ／（１＋ｂｃｌｏｃｋ）
である。
【０３２４】
物理表現
Ｋｉｐ符号化は、変調され、クロック制御されたフレームを、物理的に、縦方向の（すなわちコード化方向の）大きさと、横方向の大きさの両方を有するストリップとして表す。
【０３２５】
Ｋｉｐストリップは、常に、データトラックを含む。また、Ｋｉｐストリップは、暗黙的にクロック制御されるのではなく、明示的にクロック制御される場合には、クロックトラックも含む。
【０３２６】
Ｋｉｐストリップ内のクロック周期Ｌｃｌｏｃｋは、通常、固定されているが、個々の復号器は、通常、若干量のジッタとドリフトに対処することができる。また、ジッタとドリフトは、読取置内の搬送機構によっても導入され得る。復号器によってサポートされるジッタとドリフトの量は、復号器に特有のものである。
【０３２７】
適切なクロック周期は、媒体の特性とマーキング機構、並びに読取装置の特性によって決まる。したがって、これは、アプリケーション特有のパラメータである。
【０３２８】
抽象マークと間隔は、合致する光センサによってサンプリングされると、識別可能な明暗度を生じ、復号器がマークと間隔を識別することを可能にする、対応する物理表現を有する。光センサのスペクトル特性、したがって、対応する物理マークと間隔のスペクトル特性は、アプリケーション特有である。
【０３２９】
マークと間隔の間の遷移時間は、名目的には０であるが、最大で、クロック周期の５％まで許容される。
【０３３０】
抽象マークは、通常、赤外線吸収インクなど、特定の吸収特性を有するインクを使って印刷された物理マークによって表され、抽象間隔は、通常、かかる物理マークの欠如によって、すなわち、広帯域反射（白）紙などの被印刷物の吸収特性によって表される。しかしながら、Ｋｉｐはこれを定めていない。
【０３３１】
マークの長さｌｍａｒｋと間隔の長さｌｓｐａｃｅは、名目的には同じである。適切なマークと間隔は、媒体とマーキング機構の特性、並びに読取装置の特性によって決まる。したがって、これらの長さは、アプリケーション特有のパラメータである。
【０３３２】
マークの長さと間隔の長さは、図７６に示すように、最大で、個々のプリンタの最大ドット解像度の半分でのマークの印刷に対応するように、最大で、
【数１】
2008543599.tif 000014
だけ異なっていてもよい。この係数は、図に示すように、１と垂直位置による限界の間で変動し得る。
【０３３３】
マークの長さと間隔の長さの和は、以下に示すようにクロック周期と等しい。
【０３３４】
（式４）  ｌｃｌｏｃｋ＝ｌｍａｒｋ＋ｌｓｐａｃｅ
ストリップの全長は、
（式５）  ｌｓｔｒｉｐ＝ｌｃｌｏｃｋ×Ｃｆｒａｍｅ
である。
【０３３５】
ストリップ内のデータトラック（又はクロックトラック）の最小幅ｗｍｉｎｔｒａｃｋは、読取装置に左右される。したがってこれは、アプリケーション特有のパラメータである。
【０３３６】
ストリップ内のデータトラック（又はクロックトラック）の必要な幅ｗｔｒａｃｋは最大許容可能横方向位置ずれｗｍｉｓｒｅｇと、対応する光センサの先の搬送経路に対するストリップの最大許容可能回転αによって、以下のように求められる。
【０３３７】
（式６）  ｗｔｒａｃｋ＝ｗｍｉｎｔｒａｃｋ＋ｗｍｉｓｒｅｇ＋ｌｓｔｒｉｐｔａｎα
最大横方向位置ずれと回転は、媒体とマーキング機構の特性、並びに読取装置の特性によって決まる。
【０３３８】
ストリップの幅は、
（式７）  ｗｓｔｒｉｐ＝（１＋ｂｃｌｏｃｋ）×ｗｔｒａｃｋ
である。
【０３３９】
プリアンブルシーケンスのビット単位の長さは、以下のように、プリアンブルの長さを指定するパラメータから導出される。
【数２】
2008543599.tif 000015
誤り訂正
Ｋｉｐ符号化は、任意選択で、復号器が、表面損傷又は汚れによって破損したビットストリームデータを訂正することを可能にする誤り訂正コード化（ＥＣＣ）情報を含む。リードソロモン冗長データが、図７７に示すように、拡張フレームを生成するために、フレームに付加される。
【０３４０】
Ｋｉｐリードソロモン符号は、後述するように、そのシンボルサイズｍ（ビット数）、データサイズｋ（シンボル数）、及び誤り訂正容量ｔ（シンボル数）を特徴とする。リードソロモン符号は、ビットストリームデータのサイズＬｄａｔａと、期待されるビット誤り率に従って選択される。したがって、コードのパラメータは、アプリケーション特有である。
【０３４１】
冗長データは、ビットストリームデータとＣＲＣの連結に関して計算される。これは、ＣＲＣが訂正されることも可能にする。
【０３４２】
ビットストリームデータとＣＲＣは、冗長データの計算の間、それらの長さをシンボルサイズｍの整数倍にするようにゼロビットでパディングされる。パディングは、拡張フレーム内では符号化されない。
【０３４３】
復号器が、リードソロモン誤り訂正を行う前に、ＣＲＣを検証する。ＣＲＣが有効である場合、誤り訂正は潜在的にスキップされ得る。ＣＲＣが無効である場合、復号器は、誤り訂正を行う。次いで、復号器は、誤り訂正に成功したことをチェックするためにＣＲＣを再度検証する。
【０３４４】
リードソロモン符号語のビット単位の長さは、
（式９）  Ｌｃｏｄｅｗｏｒｄ＝（２ｔ＋ｋ）×ｍ
である。
【０３４５】
リードソロモン符号語の数は、
【数３】
2008543599.tif 000016
である。
【０３４６】
冗長データの長さは、
（式１１）  ＬＥＣＣ＝ｓ×（２ｔ×ｍ）
である。
【０３４７】
拡張フレームのビット単位の長さは、
（式１２）  Ｌｅｘｔｅｎｄｅｄｆｒａｍｅ＝Ｌｆｒａｍｅ＋ＬＥＣＣ
である。
【０３４８】
リードソロモンコード化
２ｍ元リードソロモン符号（ｎ，ｋ）は、そのシンボルサイズｍ（ビット単位）、符号語サイズｎ（シンボル数）、及びデータサイズｋ（シンボル数）を特徴とし、
（式１３）  ｎ＝２ｍ−１
である。
【０３４９】
コードの誤り訂正容量は、ｔシンボルであり、
【数４】
2008543599.tif 000017
である。
【０３５０】
所与の誤り訂正容量の冗長オーバーヘッドを最小限に抑えるために、冗長シンボルの数はｎ−ｋ、偶数、すなわち、
（式１５）  ２ｔ＝ｎ−ｋ
になるように選択される。
【０３５１】
リードソロモン符号は、データ記憶の分野ではよく知られ、理解されており、したがって、本明細書では詳細に説明しない。
【０３５２】
コードのデータシンボルｄｉ及び冗長シンボルｒｊは、図７８に示すように、それらに対応する多項式項の累乗に従って左から右に指数が付けられる。データビットには、反対方向、すなわち右から左に指数が付けられることに留意されたい。
【０３５３】
所与のコードのデータ容量は、コードをパンクチャすることによって、すなわち、データシンボルの一部を規則正しく除去することによって低減され得る。その場合、欠けているシンボルは、復号化時に消去として処理され得る。この場合、
（式１６）  ｎ＝ｋ＋２ｔ＜２ｍ−１
である。
【０３５４】
より長いコード及び誤り訂正容量のより大きいコードは、より短いコード又は誤り訂正容量のより小さいコードよりも、復号化するのが計算的により高くつく。アプリケーション制約条件が、コードの複雑度を制限し、必要なデータ容量が選択されたコードの容量を上回る場合、倍数符号語を使ってデータが符号化され得る。符号語のバースト誤りに対する復元力を最大にするために、符号語は、インターリーブされる。
【０３５５】
Ｋｉｐ符号化の有用性を最大にするために、ビットストリームは、フレーム内で、近接して、順番に符号化される。インターリーブするための要件と、近接性及び順番のための要件とを両立させるために、ビットストリームは、リードソロモン冗長データを算出する目的でデインターリーブされ、次いで、フレームで符号化される前に再度インターリーブされる。これにより、ビットストリームの順序と近接性が維持され、拡張フレームの末尾に配置されるインターリーブされた冗長データの別個の近接したブロックが生成される。Ｋｉｐインターリーブ方式を以下で詳細に定義する。
【０３５６】
Ｋｉｐリードソロモン符号は、以下の表に示す原始多項式を有する。
【表１２】
2008543599.tif 000018
表内の各エントリは、最高次の係数を左とする原始多項式の係数を示す。よって、ｍ＝４の原始多項式は
（式１７）  ｐ（ｘ）＝ｘ４＋ｘ＋１
である。
【０３５７】
Ｋｉｐリードソロモン符号は、以下の生成多項式を有する。
【数５】
2008543599.tif 000019
インターリーブのために、ソースデータＤは、ｍビットシンボルのシーケンスに区分され、ｓを符号語の数とするｋシンボルの整数倍ｓからなるｕシンボルのシーケンスを生じるように、右側をゼロビットでパディングされる。
【０３５８】
（式１９）  ｕ＝ｓ×ｋ
（式２０）  Ｄ＝｛Ｄ０，・・・，Ｄｕ−１｝
次いで、このシーケンス内の各シンボルは、以下のように、インターリーブされた符号語ｗの対応する（第ｉの）シンボルｄｗ，ｉにマップされる。
【０３５９】
（式２１）  ｄｗ，ｉ＝Ｄ（ｉ×ｓ）＋ｗ
結果として生じるインターリーブされたデータシンボルを図７９に示す。これは、ソースデータの符号語への元の位置でのマッピングであり、ソースデータの再構成ではないことに留意されたい。
【０３６０】
各符号語のシンボルは、符号語を符号化する前にデインターリーブされ、結果として生じる冗長シンボルは、冗長ブロックを形成するように再インターリーブされる。結果として生じるインターリーブされた冗長シンボルを図８０に示す。
【０３６１】
Ｎｅｔｐａｇｅの概要
Ｎｅｔｐａｇｅ対話性を使って、移動電気通信機器の特定の動作モードを使用可能にしたり、計算器アプリケーションと対話したり、移動電気通信機器に一般的な「キーパッド」、「キーボード」及び「タブレット」入力を提供するなど、様々な電話機機能及び用途への印刷されたユーザインターフェースを提供することができる。かかるインターフェースは、事前に印刷され、電話機とセットで販売されてもよく、（呼び出し音やテーマ音楽と同様に、電話機操作をカスタマイズする一方法として）別々に購入されてもよく、電話機がプリンタを内蔵している場合には、要求に応じて印刷されてもよい。
【０３６２】
印刷されたＮｅｔｐａｇｅ名刺は、どのようにして様々な機能が単一のインターフェースにおいて有効に組み合わされ得るかの好例を示すものである。これらの機能には以下が含まれる。
【０３６３】
連絡先詳細をアドレス帳にロードする
Ｗｅｂページを表示する
画像を表示する
連絡先電話番号をダイヤルする
電子メール、ＳＭＳ又はＭＭＳフォームを表示させる
場所情報をナビゲーションシステムにロードする
販促や特別提供をアクティブ化する
これらの機能のいずれも、一度限りの使用とすることができる。
【０３６４】
名刺は、移動電気通信機器ユーザによって、誰か他の人に提示するのに印刷されてもよく、移動電気通信機器ユーザ自身が使用するために、業務に関連するＷｅｂページから印刷されてもよい。また、事前に印刷されていてもよい。
【０３６５】
後述するように、別の機器にＮｅｔｐａｇｅポインタ又はペンを組み込むことの主要な利益は、相乗効果である。移動電話機、スマートフォン又は電気通信対応ＰＤＡに組み込まれたＮｅｔｐａｇｅポインタ又はペンは、例えば、機器が、Ｎｅｔｐａｇｅポインタとしても、ポインタと移動電話網、したがって、Ｎｅｔｐａｇｅサーバとの間のリレーとしても働くことを可能にする。ポインタがページと対話するのに使用されるとき、対話の目的のアプリケーションは、電話機ディスプレイ上に情報を表示し、電話機タッチスクリーンによるユーザとの別の対話を開始することができる。ポインタは、最も有効には、その「ペン先」が電話機本体の隅にあって、ユーザが、電話機を簡単に操作してタグ付き表面を指定することができるように構成されている。
【０３６６】
電話機は、マーキングペン先と、任意選択で、完全なＮｅｔｐａｇｅペン機能を提供するための連続力センサを組み込むことができる。
【０３６７】
次に、Ｎｅｔｐａｇｅ対応モバイル機器の形の感知装置が、どのようにして、カードの形の印刷媒体上のコード化データと対話するかを示す、Ｎｅｔｐａｇｅ対話の例を説明する。好ましい形態では、印刷媒体は、このモバイル機器又は別のモバイル機器によって生成されるカードであるが、印刷媒体は、購入され、又は商取引の一部として別様に提供される、市販の事前印刷されたカードとすることもできる。また、印刷媒体は、例えば、書籍、雑誌、新聞、パンフレットなどのページとすることもできる。
【０３６８】
モバイル機器は、領域画像センサを使ってタグを感知し、タグデータを検出する。モバイル機器は、感知したデータタグを使って、対話データを生成し、この対話データは、移動電気通信網を介して文書サーバに送られる。文書サーバは、ＩＤを使って文書記述にアクセスし、対話を解釈する。適切な状況では、文書サーバは、対応するメッセージをアプリケーションサーバに送り、次いで、アプリケーションサーバは、対応する処置を実行することができる。
【０３６９】
通常、ＮｅｔｐａｇｅペンとＮｅｔｐａｇｅ対応モバイル機器のユーザは、登録サーバに登録し、登録サーバは、ユーザを、それぞれのＮｅｔｐａｇｅペン又はＮｅｔｐａｇｅ対応モバイル機器に格納された識別子と関連付ける。これにより、感知装置識別子を対話データの一部として提供することによって、ユーザを識別させ、トランザクションなどを実行させることができる。
【０３７０】
Ｎｅｔｐａｇｅ文書は、ＩＤサーバに、文書サーバに転送されるＩＤを生成させることによって生成される。文書サーバは、文書記述を決定し、次いで、文書記述とＩＤの間の関連を記録して、後でＩＤを使って文書記述を検索することができるようにする。
【０３７１】
次いで、後でより詳細に説明するように、文書が、ページ記述とタグマップを使って適切なプリンタによって印刷される前に、ＩＤを使ってタグデータが生成される。
【０３７２】
各タグは、２種類の要素を含むパターンで表される。第１の種類の要素は目標である。目標は、タグがコード化表面の画像内に位置決めされ、タグの遠近法的ゆがみが推論されるようにする。第２の種類の要素はマクロドットである。各マクロドットは、ビットの値を、その有無によって符号化する。
【０３７３】
このパターンは、光学式画像処理システムによって、特に、近赤外線内の狭帯域応答を用いた光学システムによって獲得され得るようなやり方でコード化表面上に表される。パターンは、通常、狭帯域近赤外線インクを使って表面上に印刷される。
【０３７４】
好ましい実施形態では、この領域は、通常、Ｍ−Ｐｒｉｎｔカードの表面全体に対応し、領域ＩＤは、一意のＭ−ＰｒｉｎｔカードＩＤに対応する。以下の考察では、明確にするために、ＩＤは領域ＩＤに対応するという了解の下で、項目とＩＤに言及する。
【０３７５】
表面コード化は、タグ全体の獲得を保証するのに十分な大きさの獲得視野が、タグを含む領域のＩＤの獲得を保証するのに十分な大きさであるように設計されている。タグ自体の獲得が、領域内でのタグの２次元位置と、他のタグ特有のデータの獲得を保証する。したがって、表面コード化は、感知装置が、符号化表面との純粋にローカルな対話時に、例えば、「クリック」や、ペンでのコード化表面のタップなど時に、領域ＩＤとタグ位置を獲得することを可能にする。
【０３７６】
タグ構造の例
（本発明の譲受人の様々な相互参照Ｎｅｔｐａｇｅ出願に記載されているように）広範囲の異なるタグ構造が使用され得る。次に、好ましいタグを詳細に説明する。
【０３７７】
図８１に、完全なタグ１４００の構造を示す。４つの黒丸１４０２は、それぞれ、目標である。タグ１４００、及びパターン全体は、物理レベルにおいて、４回の回転対象性を有する。各正方形領域１４０４はシンボルを表し、各シンボルは４ビットの情報を表す。
【０３７８】
図８３にシンボルの構造を示す。シンボルは、４つのマクロドット１４０６を含み、各マクロドット１４０６は、その有（１）又は無（０）によって１ビットの値を表す。マクロドット間隔は、本明細書全体を通じてパラメータｓで指定されている。マクロドット間隔は、１インチ（約２．５４ｃｍ）当たり１６００ドットのピッチで印刷された９ドットに基づき、１４３μｍの公称値を有する。しかしながら、パターンを作成するのに使用される機器の機能に応じて、±１０％の変動が許されている。
【０３７９】
図８２に、９つの隣接するシンボルの配列を示す。マクロドット間隔は、シンボル内でもシンボル間でも均一である。
【０３８０】
図８４に、シンボル内のビットの順序付けを示す。ビット０（ｂ０）はシンボル内の最下位であり、ビット３（ｂ３）は最上位である。この順序付けは、シンボルの向きに関連するものであることに留意されたい。タグ１４００内の個々のシンボルの向きは、タグ図内のシンボルのラベルの向きによって示されている。一般に、タブの特定の区分内のすべてのシンボルの無味は、同じ向きを有し、タグの中心に最も近いシンボルの下部と一致する。
【０３８１】
マクロドット１４０６だけが、パターン内のシンボルの表現の部分である。シンボルの正方形の輪郭１４０４は、本明細書では、タグ１４００の構造をより明確に説明するのに使用されている。図８５に、例として、あらゆるビットが設定されているタグ１４００の実際のパターンを示す。実際には、タグ１４００のあらゆるビットが設定されることはあり得ないことに留意されたい。
【０３８２】
マクロドット１４０６は、名目的には、公称直径（５／９）ｓの円である。しかしながら、パターンを作成するのに使用される機器の機能に応じて、±１０％のサイズ変動が許されている。
【０３８３】
目標１４０２は、名目的には、公称直径（１７／９）ｓの円である。しかしながら、パターンを作成するのに使用される機器の機能に応じて、±１０％のサイズ変動が許されている。
【０３８４】
タグパターンは、パターンを作成するのに使用される機器の機能に応じて、最大±１０％までの縮尺の変動が許されている。公称スケールとの偏差は、位置サンプルの正確な生成を可能にするために、タグデータ内に記録される。
【０３８５】
図８１のタグ構造内に示されている各自己管理は、一意のラベルを有する。各ラベルは、英字の接頭部と数値の接尾部からなる。
【０３８６】
タググループ
タグは、タググループに構成される。各タググループは、正方形に配列された４つのタグを含む。したがって、各タグは、そのタググループ正方形内での位置に従って、４つの可能なタグの種類の１つを有する。タグの種類は、図８６に示すように、００、１０、０１、１１とラベル付けされる。
【０３８７】
図８７に、タググループが、どのようにして、連続したタグのタイル状配列として反復されるかを示す。このタイル状配列は、任意の４つの隣接するタグのセットが、各種類の１つのタグを含むことを保証する。
【０３８８】
符号語
タグは、４つの完全な符号語を含む。各符号語は、パンクチャ２４元（８，５）リードソロモン符号のものである。符号語の２つはタグに特有のものである。これらの符号語をローカルといい、ＡとＢでラベル付けされる。したがって、タグは、最大４０ビットまでのタグ特有の情報を符号化する。
【０３８９】
残り２つの符号語は、タグの種類に特有のものであるが、近接したタグのタイル状配列内の同じ種類のすべてのタグに共通のものである。これらをグローバルといい、タグの種類の添え字の付いたＣとＤでラベル付けされる。したがって、タググループは、最大１６０ビットまでの、近接したタグのタイル状配列内のすべてのタググループに共通の情報を符号化する。図８８に、４つの符号語のレイアウトを示す。
【０３９０】
リードソロモン符号化
符号語は、パンクチャ２４元（８，５）リードソロモン符号を使って符号化される。２４元（８，５）リードソロモン符号は、各符号語において２０データビット（すなわち５つの４ビットシンボル）と、１２冗長ビット（すなわち３つの４ビットシンボル）を符号化する。その誤り検出容量は３シンボルである。その誤り訂正容量は１シンボルである。Ｎｅｔｐａｇｅ状況におけるリードソロモン符号化に関する詳細は、相互参照によりその内容が本明細書に組み込まれる、２００４年４月２日出願の、米国特許出願第１０／８１５６４７号（整理番号第ＨＹＧ００１ＵＳ号）明細書に記載されている。
【０３９１】
モバイル環境におけるＮｅｔｐａｇｅ
図８９に、ローカルとリモートのアプリケーション及びローカルとリモートのＮｅｔｐａｇｅサーバを組み込んだ、Ｎｅｔｐａｇｅシステムのアーキテクチャの概要を示す。一般的なＮｅｔｐａｇｅシステムについては、本発明の譲受人の特許及び同時係属の出願明細書の多く（米国特許出願第０９／７２２１７４号（整理番号第ＮＰＡ０８１ＵＳ号）明細書など）に、広範囲にわたって記載されており、よって本明細書では詳細に説明しない。しかしながら、汎用Ｎｅｔｐａｇｅシステムへのいくつかの拡張と変更が、様々なＮｅｔｐａｇｅベースの機能のモバイル機器への実装の一部として使用される。これは、印刷されている（又は印刷されようとする）印刷媒体上のコード化データのＮｅｔｐａｇｅ関連の感知にも、プリンタあり又はなしのＮｅｔｐａｇｅ対応モバイル危機にも適用される。
【０３９２】
図８９を参照すると、移動電話機１上で走るＮｅｔｐａｇｅマイクロサーバ７９０は、一般的なデジタルインクの解釈ではなく、クリックの解釈を志向する制約されたＮｅｔｐａｇｅ機能セットを提供する。マイクロサーバ７９０は、ポインタドライバ７１８からクリックイベントを受け入れると、それを通常のＮｅｔｐａｇｅのように解釈する。これは、クリックマークＩＤと関連付けられたページ記述を検索することと、クリック場所をページ記述内の対話要素に照らしてヒットテストすることを含む。この結果として、マイクロサーバが、コマンド要素を識別し、そのコマンドを、コマンド要素によって指定されるアプリケーションに送る。この機能は、上記で相互参照されている先のＮｅｔｐａｇｅ出願の多くに記載されている。
【０３９３】
目標アプリケーションは、ローカルアプリケーション７９２とすることも、ネットワーク７８８を介してアクセス可能なリモートアプリケーション７００とすることもできる。マイクロサーバ７９０は、コマンドを実行中のアプリケーションに配信してもよく、まだ実行されていない場合には、アプリケーションを起動させてもよい。
【０３９４】
マイクロサーバ７９０は、未知のマークＩＤのクリックを受け取った場合、そのマークＩＤを使って、クリックを処理することのできるネットワークベースのＮｅｔｐａｇｅサーバ７９８を識別し、そのクリックを解釈のためにそのサーバに転送する。Ｎｅｔｐａｇｅサーバ７９８は、移動電気通信機器からアクセス可能な私設イントラネット上にあってもよく、公衆インターネット上にあってもよい。
【０３９５】
知られているマークＩＤでは、マイクロサーバ７９０は、Ｎｅｔｐａｇｅサーバ７９８を介さずに、リモートアプリケーション７００と直接やりとりしてもよい。
【０３９６】
モバイル機器がプリンタ４を含む場合には、任意選択の印刷サーバ７９６が設けられる。印刷サーバ７９６は、移動電話機１上で実行され、リモートアプリケーション及びＮｅｔｐａｇｅサーバから印刷要求を受け入れる。印刷サーバは、信頼されないアプリケーションから印刷要求を受け入れると、そのアプリケーションに、移動電気通信機器によって以前に発行された使い捨ての印刷トークンを提示するよう求めてもよい。
【０３９７】
移動電気通信機器上で走る表示サーバ７０４は、リモートアプリケーション及びＮｅｔｐａｇｅサーバから表示要求を受け入れる。表示サーバ７０４は、信頼されないアプリケーションから表示要求を受け入れると、そのアプリケーションに、移動電気通信機器によって以前に発行された使い捨ての表示トークンを提示するよう求めてもよい。表示サーバ７０４は、移動電気通信機器ディスプレイ７５０を制御する。
【０３９８】
図９０に示すように、移動電気通信機器は、Ｎｅｔｐａｇｅスタイラス、ペン、又はその他のＮｅｔｐａｇｅ入力装置７０８のリレーとして働くこともできる。マイクロサーバ７９０は、未知のマークＩＤのデジタルインクを受け取った場合、そのマークＩＤを使って、そのデジタルインクを処理することのできるネットワークベースのＮｅｔｐａｇｅサーバ７９８を識別し、そのデジタルインクを解釈のためにそのサーバに転送する。
【０３９９】
必須ではないが、マイクロサーバ７９０は、デジタルインクを解釈する何らかの機能を有するように構成することもできる。例えば、マイクロサーバ７９０は、チェックボックスと描画フィールドだけを関連付けられるデジタルインクを解釈することができてもよく、基本的な文字認識を行うことができてもよく、リモートサーバの支援による文字認識を行うことができてもよい。
【０４００】
また、マイクロサーバは、Ｎｅｔｐａｇｅ「タブレット」を介して取り込まれたデジタルインクの、移動電気通信機器オペレーティングシステムへの転送を可能にするように構成することもできる。Ｎｅｔｐａｇｅタブレットは、事前印刷され、又は要求に応じて印刷される別個の表面とすることもでき、移動電気通信機器ディスプレイのオーバーレイ又はアンダーレイとすることもできる。
【０４０１】
Ｎｅｔｐａｇｅポインタは、Ｎｅｔｐａｇｅペン用に開発され、これによって使用されるのと同じ画像センサ及び画像処理ＡＳＩＣ（「ジュピタ」といい、以下で詳細に説明する）を組み込んでいる。ジュピタは、接触スイッチに応答して、照明ＬＥＤを作動させ、タグ付き表面の画像を取り込む。次いで、ジュピタは、移動電気通信機器プロセッサに、「クリック」を通知する。Ｎｅｔｐａｇｅポインタは、Ｎｅｔｐａｇｅペンと同様の光学的設計を組み込んでいるが、理想的には、より小型のフォームファクタを有する。このより小型のフォームファクタは、後述するように、より洗練された多レンズ設計を用いて実現される。
【０４０２】
Ｎｅｔｐａｇｅタグからの直接の媒体情報の獲得
媒体情報は、Ｎｅｔｐａｇｅタグから直接獲得することができる。これには、データトラックが不要であり、又は最小限のデータトラックしか必要としないという利点がある。というのは、特に、Ｎｅｔｐａｇｅ識別子及びデジタル署名が、Ｎｅｔｐａｇｅタグパターンから獲得され得るからである。
【０４０３】
Ｎｅｔｐａｇｅタグセンサは、スナップショット画像からタグパターンを読み取ることができる。これには、カードが搬送機構と係合する前に、必要な場合には、プリンタ制御装置が作動される前でさえも、カードが紙経路に入る際に画像を取り込むことができるという利点がある。
【０４０４】
媒体が媒体送り経路に入り、又は媒体送り経路を通過する際にタグの読み取ることのできるＮｅｔｐａｇｅタグセンサについては、以下のＮｅｔｐａｇｅクリッカの項で詳細に説明する（図９１及び図９２参照）。
【０４０５】
これに対して、搬送時に（読み取り段階又は印刷段階に）タグパターンを読み取ることの利点は、プリンタが、Ｎｅｔｐａｇｅタグパターンと、プリンタによって印刷される視覚コンテンツの間の横方向と縦方向の位置合わせに関する正確な情報を獲得することができることである。タグの単一の取り込み画像を使って一方向又は両方向の位置合わせを決定することもできるが、少なくとも２つの取り込み画像に基づいて位置合わせを決定することが好ましい。画像は、単一のセンサによって順次に取り込まれてもよく、２つのセンサが、画像を、同時に、又は順次に取り込んでもよい。様々な平均化手法を使って２つ以上の取り込み画像から求める方が、単一の画像を利用して可能なものよりも正確な一方向又は両方向の位置を求めることができる。
【０４０６】
カード自体の製造公差又は紙経路内の公差によって、タグパターンが印刷ヘッドに対して回転され得る場合には、タグパターンを読み取って回転を求めることが有利である。その場合、プリンタは、その回転をＮｅｔｐａｇｅサーバに報告することができ、Ｎｅｔｐａｇｅサーバは、それを記録し、最終的にカードを介して取り込まれるデジタルインクを解釈するときに使用することができる。タグの単一の取り込み画像を使って回転を求めることもできるが、少なくとも２つの取り込み画像に基づいて回転を求める方が好ましい。これらの画像は、単一のセンサによって順次に取り込まれてもよく、２つのセンサが、画像を同時に、又は順次に取り込んでもよい。様々な平均化手法を使って２つ以上の取り込み画像から求める方が、単一の画像を利用して可能なものよりも正確な回転を求めることができる。
【０４０７】
Ｎｅｔｐａｇｅオプション
以下の媒体コード化オプションは、Ｎｅｔｐａｇｅタグに関連するものである。以下の項では、Ｎｅｔｐａｇｅについて詳細に説明する。
【０４０８】
Ｎｅｔｐａｇｅタグの向き
カードは、プリンタに、おそらくは印刷を開始する前に、印刷ヘッドに対するカード上のＮｅｔｐａｇｅタグの向きを決定させるようにコード化され得る。これにより、プリンタは、印刷を開始する前に、ページグラフィックスを、カード上のＮｅｔｐａｇｅタグの向きと合致するように回転させることができる。また、プリンタが、Ｎｅｔｐａｇｅサーバによる記録のために、カード上のＮｅｔｐａｇｅタグの向きを報告することも可能になる。
【０４０９】
Ｎｅｔｐａｇｅタグ位置
横方向と縦方向の位置合わせ及び運動の追跡が、前述のように、媒体コード化によるもの以外の手段によって達成される場合、カード自体の製造公差による、又はプリンタの紙経路公差による媒体コード化自体と印刷コンテンツの間の位置ずれは、Ｎｅｔｐａｇｅタグと印刷コンテンツの間の横方向及び／又は縦方向の位置合わせ誤差として発現し得る。これは、ひいては、ユーザ体験の低下につながり得る。例えば、ハイパーリンクの区域がハイパーリンクの視覚表現の位置と正確に一致していない場合などである。
【０４１０】
カード位置との関連で述べたように、媒体コード化は、媒体コード化自体の正確な横方向と縦方向の位置合わせ及び運動追跡のための基礎を提供することができ、プリンタは、この位置合わせを、Ｎｅｔｐａｇｅ識別子と共にＮｅｔｐａｇｅサーバに報告することができる。Ｎｅｔｐａｇｅサーバは、この位置合わせ情報を、公称と実際の位置合わせの間の誤差があればそれを訂正する２次元オフセットとして記録し、カードを介して取り込まれるデジタルインクを、解釈前にしかるべく訂正することができる。
【０４１１】
Ｎｅｔｐａｇｅ識別情報
カードは、プリンタに、カードの一意の９６ビットＮｅｔｐａｇｅ識別子を判定させるようにコード化され得る。これにより、プリンタは、（印刷されるグラフィックスと入力記述を識別情報と関連付ける）Ｎｅｔｐａｇｅサーバによる記録のために、カードのＮｅｔｐａｇｅ識別子を報告することを可能にする。
【０４１２】
カードは、プリンタに、カードの両面からカードの一意のＮｅｔｐａｇｅ識別子を判定させるようにコード化され得る。これは、プリンタ設計者に、カードの最も好都合な面からＮｅｔｐａｇｅ識別子を読み取れる柔軟性を与える。
【０４１３】
カードは、プリンタに、カードが許可されたＮｅｔｐａｇｅカードであるかどうか判定させるようにコード化され得る。これにより、プリンタは、無許可のカードにＮｅｔｐａｇｅ関連ステップを行わず、事実上、そのＮｅｔｐａｇｅ対話性を無効化することができる。これは、偽造カードが、同じＮｅｔｐａｇｅ識別子を有する有効なカードの使用を妨げるのを阻止する。
【０４１４】
カードは、プリンタに、Ｎｅｔｐａｇｅ識別子と、そのＮｅｔｐａｇｅ識別子に関連付けられた一意のデジタル署名の両方を判定させるようにコード化され得る。これにより、プリンタは、Ｎｅｔｐａｇｅ媒体との対話を制御するための既に実施されているデジタル署名検証機構を使った偽造を防止することができる。
【０４１５】
Ｎｅｔｐａｇｅ対話性
実質的に、カードの表面すべてが、Ｎｅｔｐａｇｅタグを用いて、Ｎｅｔｐａｇｅ感知装置が印刷後にカードと対話することを可能にするようにコード化され得る。これにより、プリンタは、タグ印刷機能を含まなくとも、対話式のＮｅｔｐａｇｅコンテンツを印刷することができる。カードの裏面が空白であり、印刷可能な場合には、実質的に、カードの裏面全体が、Ｎｅｔｐａｇｅ感知装置が印刷後にカードと対話することができるようにコード化され得る。これにより、プリンタは、タグ印刷機能を含まなくとも、対話式Ｎｅｔｐａｇｅコンテンツを印刷することができる。
【０４１６】
カードの裏面は、Ｎｅｔｐａｇｅタグを用いて、Ｎｅｔｐａｇｅ感知装置がカードと対話することを可能にするようにコード化され得る。これは、対話式Ｎｅｔｐａｇｅコンテンツが、カードの裏面に事前印刷されることを可能にする。
【０４１７】
暗号
好ましい実施形態と共に使用するように設計された空白媒体は、いくつかの要件を満足させ、運動感知とＮｅｔｐａｇｅ対話性をサポートし、偽造を防止するように事前コード化される。
【０４１８】
出願人の同時係属の出願第ＭＣＤ０５６ＵＳ号（出願番号が割り当てられるまで暫定的にその整理番号で識別される）明細書には、偽造され、又はコード化されていない空白媒体を判定するのに使用され得る認証機構が記載されている。この同時係属出願は、その開示が本明細書に組み込まれている上記相互参照文献の１つである。
【０４１９】
Ｎｅｔｐａｇｅクリッカ
モバイル機器がＮｅｔｐａｇｅクリッカモジュール１６２を含む、本発明の代替の実施形態を図９１と図９２に示す。この実施形態はプリンタを含み、デュアル光経路構成を使って、モバイル機器の外側の媒体からのコード化データを感知すると共に、媒体が印刷のために機器を通過する際に媒体上に事前印刷されたコード化データを感知する。
【０４２０】
好ましい実施形態のＮｅｔｐａｇｅクリッカは、デュアル光経路Ｎｅｔｐａｇｅ感知装置の一部を形成する。第１の経路は、Ｎｅｔｐａｇｅクリッカにおいて使用され、第２の経路は、カードが印刷のために移動電気通信機器に入る際にカードからコード化データを読み取るように動作する。後述するように、カード上のコード化データは、カードが、印刷を可能にする正しい種類と品質のものであることを保証するために読み取られる。
【０４２１】
Ｎｅｔｐａｇｅクリッカは、移動電気通信機器の上部から出る非マーキングペン先３４０を含む。ペン先３４０は、スライダ３４２の手動操作によって、格納位置と伸長位置の間を選択的に移動できるように摺動可能に取り付けられている。スライダ３４２は、移動電気通信機器から外に向かって傾いており、ペン先３４０を伸長位置に保持するラチェット機構（不図示）を含む。ペン先３４０を格納するために、ユーザは、スライダ３４２を押し下げ、スライダ３４２がラチェット機構から離脱して、ペン先３４０を格納位置に戻させる。ペン先の一端はスイッチ（不図示）と接しており、スイッチは、ＰＣＢ上の回路に動作可能に接続されている。
【０４２２】
第１の光経路の一方の端から他方の端に作用する、第１の赤外線ＬＥＤ３４４が、隣接する表面（不図示）を照明するために、開口を介してモバイル機器から赤外光を向けるように取り付けられている。表面から反射された光が赤外線フィルタ３４８を通過し、赤外線フィルタ３４８は、大部分の非赤外線周辺光を除去することによって、反射光の信号対雑音比を改善する。反射光は、１対のレンズ３５０によって集中され、次いで、プレートビームスプリッタ３５２に当たる。ビームスプリッタ３５２は、その性能を改善するために、１層又は複数の薄膜オプティカルコーティングを含み得ることが理解されるであろう。
【０４２３】
反射光の相当部分が、プレートスプリッタによって下方に屈折され、ＰＣＢ上に実装された画像センサ３４６上に当たる。好ましい実施形態の画像センサ３４６は、以下で詳細に説明するジュピタ画像センサ及びプロセッサの形を取る。様々な市販のＣＣＤ及びＣＭＯＳ画像センサも適するはずであることが理解されるであろう。
【０４２４】
ペン先の特定の位置、及びケーシング内の第１の光経路の向きと位置により、ユーザは、詳細な説明の別の箇所で説明するように、Ｎｅｔｐａｇｅ対話文書と対話することができる。これらのＮｅｔｐａｇｅ文書には、モバイル機器自体によって印刷された媒体、並びに、書籍、雑誌、新聞などの事前印刷ページなど他の媒体が含まれ得る。
【０４２５】
第２の光経路は、第２の赤外線ＬＥＤ３５４から開始し、第２の赤外線ＬＥＤ３５４は、カード２２６が印刷のために移動電気通信機器に挿入されるときにカード２２６の表面に光を当てるように取り付けられている。光は、カード２２６から反射し、第１の反射鏡３５６と第２の反射鏡３５８により、光経路に沿って曲げられる。次いで、光は、開口３５９とビームスプリッタ３５２を通り、画像センサ３４６上に当たる。
【０４２６】
モバイル機器は、カードが印刷されておらず、ペン先が外部表面上のコード化データを感知するのに使用されていないときには、ＬＥＤ３４４もＬＥＤ３４５もオフにされるように構成されている。しかしながら、ペン先が伸長され、スイッチを閉じるのに十分な力で表面に押し付けられると、ＬＥＤ３４４が照射され、画像センサ３４６が画像取り込みを開始する。
【０４２７】
非マーキングペン先を説明しているが、ボールペンやフェルトペンなどのマーキングペン先も使用され得る。マーキングペン先が使用される場合には、ペン先をケーシングに選択的に引っ込ませるための格納機構を設けることが特に好ましい。代替として、ペン先は、固定されていてもよい（すなわち、格納機構が設けられない）。
【０４２８】
別の実施形態では、スイッチが単に省かれ（機器は、好ましくは、取り込みモードにされたときに限り、連続して動作し）、又は、圧電や半導体ベースの変換器といった他の何らかの形の圧力センサで置き換えられる。一形態では、多重又は連続圧力センサが利用され、これは、書込み時の書込み表面に対するペン先の実際の力の取り込みを可能にする。この情報は、機器によって生成されるデジタルインクを構成する位置情報と共に含めることができ、本発明の譲受人の相互参照のＮｅｔｐａｇｅ関連出願の多くに詳細に記載されているように使用することができる。しかしながら、これは任意選択の機能である。
【０４２９】
別の実施形態では、簡単なＮｅｔｐａｇｅ感知装置を、プリンタを内蔵しないモバイル機器に含めることもできることが理解されるであろう。
【０４３０】
別の実施形態では、反射鏡の１つ又は複数が、境界反射又は鍍銀（又は半鍍銀）表面を利用して、第１又は第２の光経路を通る光の進路を変更する１つ又は複数のプリズムで置き換えられ得る。また、第１又は第２の光経路のどちらかを省き、これに対応して、これらの経路によって提供される機能を除去することも可能である。
【０４３１】
画像センサ及び関連する処理回路
好ましい実施形態では、Ｎｅｔｐａｇｅセンサは、ホストプロセッサを含むシステム内で動作するように構成されている、画像センサ、アナログ／デジタル変換器（ＡＤＣ）、画像プロセッサ及びインターフェースを含むモノリシック集積回路である。各出願では、このモノリシック集積回路を「ジュピタ」というコード名で呼んでいる。画像センサ及びＡＤＣを「ガニメデ」というコード名で呼び、画像プロセッサとインターフェースを、「カリスト」というコード名で呼んでいる。
【０４３２】
本発明の好ましい実施形態では、その内容が相互参照により本明細書に組み込まれる、２００４年２月１７日に出願された、同時係属の米国特許出願第１０／７７８０５６号（整理番号第ＮＰＳ０４７ＵＳ号）明細書に記載されているように、画像センサは、ジュピタ画像センサに組み込まれている。
【０４３３】
ジュピタ画像センサ内に組み込むのに適した様々な代替の画素設計が、その内容が相互参照により本明細書に組み込まれる、２００２年１１月２２に出願された、「Ａｃｔｉｖｅ  Ｐｉｘｅｌ  Ｓｅｎｓｏｒ」という名称の、ＰＣＴ出願ＰＣＴ／ＡＵ／０２／０１５７３明細書と、２００２年１１月２２日に出願された、「Ｓｅｎｓｉｎｇ  Ｄｅｖｉｃｅ  ｗｉｔｈ  Ａｍｂｉｅｎｔ  Ｌｉｇｈｔ  Ｍｉｎｉｍｉｓａｔｉｏｎ」という名称の、ＰＣＴ出願ＰＣＴ／ＡＵ／０２／０１５７３明細書に記載されている。
【０４３４】
個々の構成要素の、各機能ブロック又はコード名付きのブロックへの集約は、必ずしも、かかるハードウェアの物理的、又は論理的集約が、本発明の機能にとって必要であることを示すものであるとは限らないことを理解すべきである。そうではなく、個々のユニットの機能ブロックへのグループ化は、説明する個々の好ましい実施形態における設計上の都合の問題である。詳細な説明において実施される本発明の意図される範囲は、添付の特許請求の範囲の合理的な解釈が許す限り幅広く読み取られるべきである。
【０４３５】
画像センサ
ジュピタは、画像センサ配列と、ＡＤＣ（アナログ／デジタル変換）機能と、タイミング及び制御論理と、外部マイクロコントローラへのデジタルインターフェースと、機械視覚アルゴリズムのいくつか計算処理ステップの実装とを備える。
【０４３６】
図９３に、ジュピタモノリシック集積回路１６０１と、そのホストプロセッサ１６０２との関係のシステムレベル図を示す。ジュピタ１６０１は、２つの主要機能ブロック、ガニメデ１６０４とカリスト１６０６を有する。後述するように、ガニメデは、センサ配列１６１２と、ＡＤＣ１６１４と、タイミング及び制御論理１６１６と、クロック逓倍ＰＬＬ１６１８と、バイアス制御１６１９とを備える。カリストは、画像処理と、画像バッファメモリと、ホストプロセッサへのシリアルインターフェースとを備える。パラレルインターフェース１６０８がガニメデ４とカリスト６をリンクさせ、シリアルインターフェース１６１０がカリスト１６０６とホストプロセッサ２をリンクさせる。
【０４３７】
ジュピタ内の内部インターフェースは、異なる内部モジュール間のやりとりに使用される。
【０４３８】
ガニメデ画像センサ
特徴
センサ配列
センサ配列出力の８ビットデジタル化
カリストへのデジタル画像出力
クロック逓倍ＰＬＬ
図９４に示すように、ガニメデ１６０４は、センサ配列１６１２と、ＡＤＣブロック１６１４と、制御及びタイミングブロック１６１６と、内部クロック信号を提供するクロック逓倍位相ロックループ（ＰＬＬ）１６１８とを備える。センサ配列１６１２は、画素１６２０と、行復号器１６２２と、列復号器／ＭＵＸ１６２４とを備える。ＡＤＣブロック１６１４は、８ビットＡＤＣ１６２６と、プログラマブル利得増幅器（ＰＧＡ）１６２８とを含む。制御及びタイミングブロック１６１６は、センサ配列１６１２と、ＡＤＣ１６１４と、ＰＬＬ１６１８を制御し、カリスト１６０６へのインターフェースを提供する。
【０４３９】
カリスト
カリストは、パラレルデータインターフェースを介して単色画像センサに直接インターフェースし、任意選択で、何らかの画像処理を行い、シリアルデータインターフェースを介して外部機器に取り込み画像を渡すように設計された画像プロセッサ１６２５である。
【０４４０】
特徴
画像センサへのパラレルインターフェース
パラレル画像センサインターフェースと外部シリアルインターフェースを分断するフレームストアバッファ
バッファロードオーバーヘッドを無くすためのフレームストアデータの二重バッファリング
低域フィルタリングと取り込み画像のサブサンプリング
サブサンプリング画像のローカルダイナミックレンジ拡張
サブサンプリングレンジ拡張画像の閾値処理
処理済み画像と未処理画像の両方での、取り込み画像の定義領域内の画素の読み出し
副画素値の計算
構成可能な画像センサタイミングインターフェース
構成可能な画像センササイズ
構成可能な画像センサウィンドウ
電力管理：自動休眠モード及び起動モード
画像出力と機器管理のための外部シリアルインターフェース
外部機器上のレジスタ管理のための外部レジスタインターフェース
環境
カリストは、パラレルインターフェースを介して画像センサにも、シリアルデータインターフェースを介して、マイクロプロセッサなどの外部機器にもインターフェースする。取り込み画像データは、画像センサからパラメータデータインターフェースを介してカリストに渡される。処理済み画像データは、シリアルインターフェースを介して外部機器に渡される。また、カリストのレジスタも、外部シリアルインターフェースを介して設定される。
【０４４１】
機能
カリスト画像処理コアは、画像センサから画像データを受け入れ、処理済みであれ未処理であれ、そのデータを、シリアルデータインターフェースを使って外部機器に渡す。データが外部機器に渡される速度は、画像センサによってどんなデータ読み出し速度が課されるかとは切り離されている。
【０４４２】
画像センサデータ速度とシリアルインターフェースを介した画像データ速度は、内部ＲＡＭベースのフレームストアを使って分断される。センサからの画像データは、画像センサ読み出し要件を満足させる速度でフレームストアに書き込まれる。フレームストアに入ると、データは、シリアルインターフェースを介して、このインターフェースの他端にある機器によって必要とされるいかなる速度でも読み出され、送信され得る。
【０４４３】
カリストは、任意選択で、ユーザ構成によって求められるように、そのフレームストアに格納された画像に何らかの画像処理を行うことができる。ユーザは、画像処理を回避し、未処理の画像へのアクセスを獲得しようとしてもよい。サブサンプリング画像はバッファに格納されるが、完全に処理済みの画像は、カリストに永続的に格納されない。完全に処理済みの画像は、直ちにシリアルインターフェースを介して送られる。カリストは、以下のようないくつかの画像処理関連の機能を提供する。
【０４４４】
サブサンプリング
ローカルダイナミックレンジ拡張
閾値処理
副画素値の計算
処理済みと未処理の画像からの定義された長方形の読み出し
サブサンプリング、ローカルダイナミックレンジ拡張及び閾値処理は、通常、サブサンプリング画像に対して行われるダイナミックレンジ拡張、及びサブサンプリングレンジ拡張画像に対して行われる閾値処理と併せて使用される。ダインミックレンジ拡張と閾値処理は、単一の処理として一緒に行われ、サブサンプリング画像に対してのみ行われ得る。しかしながら、サブサンプリングは、ダイナミックレンジ拡張と閾値処理なしで行われてもよい。副画素値の検索と画像領域読み出しは、独立機能である。
【０４４５】
モバイル機器を使ってＮｅｔｐａｇｅタグを感知するいくつかの特定の代替の光学システムが、出願番号が割り当てられるまで暫定的に整理番号第ＭＣＤ０５６ＵＳ号によって識別される本出願人の同時係属の出願明細書に詳細に記載されている。簡潔にするために、整理番号第ＭＣＤ０５６ＵＳ号の開示を、相互参照により本明細書に組み込むものである（上記の相互参照文献一覧参照）。
【０４４６】
また、本発明は、いくつかの他のフォームファクタとしても実施することができ、その１つがＰＤＡである。この実施形態は、出願番号が割り当てられるまで暫定的に整理番号第ＭＣＤ０５６ＵＳ号によって識別される本出願人の同時係属の出願明細書に詳細に記載されている。簡潔にするために、整理番号第ＭＣＤ０５６ＵＳ号の開示を、相互参照により本明細書に組み込むものである（上記の相互参照文献一覧参照）。
【０４４７】
別の実施形態がＮｅｔｐａｇｅカメラ付き電話機である。写真をＮｅｔｐａｇｅとして印刷すること、及びＮｅｔｐａｇｅプリンタを組み込んだカメラは、両方とも、その内容が相互参照により本明細書に組み込まれる、国際公開第００／７１３５３号（ＮＰＡ０３５）パンフレット「Ｍｅｔｈｏｄ  ａｎｄ  Ｓｙｓｔｅｍ  ｆｏｒ  Ｐｒｉｎｔｉｎｇ  ａ  Ｐｈｏｔｏｇｒａｐｈ」と、国際公開第０１／０２９０５号（ＮＰＰ０１９）パンフレット「Ｄｉｇｉｔａｌ  Ｃａｍｅｒａ  ｗｉｔｈ  Ｉｎｔｅｒａｃｔｉｖｅ  Ｐｒｉｎｔｅｒ」において特許請求されている。写真が取り込まれ、Ｎｅｔｐａｇｅデジタルカメラを使って印刷されるとき、カメラは、同時に、その写真画像をネットワークサーバ上に永続的に格納する。印刷される写真は、Ｎｅｔｐａｇｅタグ付きであり、その後、その写真画像を検索するためのトークとして使用され得る。
【０４４８】
カメラ対応スマートフォンは、内蔵式無線ネットワーク接続を備えるカメラとみなされ得る。カメラ対応スマートフォンは、前述のようにＮｅｔｐａｇｅプリンタを内蔵するとき、Ｎｅｔｐａｇｅカメラになる。
【０４４９】
また、カメラ対応スマートフォンが、前述のように、Ｎｅｔｐａｇｅポインタ又はペンも内蔵するとき、そのポインタ又はペンは、写真の印刷コピーを要求するために印刷されたＮｅｔｐａｇｅ写真を指定するのに使用することができる。電話機は、ネットワークから元の写真画像を検索し、その内蔵Ｎｅｔｐａｇｅプリンタを使って写真のコピーを印刷する。これは、少なくとも印刷された文書の識別情報を感知してＮｅｔｐａｇｅサーバに送ることによって行われる。この情報だけで、十分に、表示又は印刷のために写真を検索させることができる。しかしながら、好ましい実施形態では、識別情報が、少なくとも、決定されたペン／クリッカの位置と共に送られる。
【０４５０】
移動電話機又はスマートフォンＮｅｔｐａｇｅカメラは、プリンタと、カメラを含む移動電話モジュールを組み込んでいる、前述の実施形態のいずれかの形を取ることができる。
【０４５１】
本発明の別の実施形態は、インクジェット印刷ヘッドペン先を有するスタイラスを組み込んでいる。この実施形態は、出願番号が割り当てられるまで暫定的に整理番号第ＭＣＤ０５６ＵＳ号によって識別される本出願人の同時係属の出願明細書に詳細に記載されている。簡潔にするために、整理番号第ＭＣＤ０５６ＵＳ号の開示を、相互参照により本明細書に組み込むものである（上記の相互参照文献一覧参照）。
【０４５２】
また、この相互参照出願には、Ｍ−Ｐｒｉｎｔシステムのいくつかの可能な用途も簡単に記載されている。また、Ｎｅｔｐａｇｅタグパターンが可視画像と同時に印刷される実施形態も論じられている。
【０４５３】
結論
以上、本発明を、いくつかの具体的実施形態を参照して説明した。本発明が、方法として特許請求される場合、本発明は、装置又はシステム特許請求によっても定義され得るものであり、逆もまた同様であることが理解されるであろう。本発明の譲受人は、これら本発明の追加の態様を特許請求する別の出願を行う権利を保有するものである。
【０４５４】
さらに、まだ特許請求されていない特徴の様々な組み合わせもまた、本発明の譲受人が、適宜、将来の分割及び継続出願の主題とする権利を保有する本発明の態様である。
【図面の簡単な説明】
【０４５５】
【図１】プリンタ／移動電話機におけるモジュール間対話を表す概略図である。
【図２】タグセンサ／移動電話機におけるモジュール間対話を表す概略図である。
【図３】プリンタ／タグセンサ／移動電話機におけるモジュール間対話を表す概略図である。
【図４】図３の移動電話機内のアーキテクチャをより詳細に表す概略図である。
【図５】図４の移動電話機内のアーキテクチャをより詳細に表す概略図である。
【図６】図４のプリンタモジュール内のアーキテクチャをより詳細に表す概略図である。
【図７】図４のタグセンサモジュール内のアーキテクチャをより詳細に表す概略図である。
【図８】図４のタグセンサモジュールの代わりに使用するためのタグ復号化モジュール内のアーキテクチャを表す概略図である。
【図９】本発明の「キャンディバー」型移動電話機実施形態を示す分解斜視図である。
【図１０】図９に示す実施形態を示す部分切欠正面及び底面斜視図である。
【図１１】図９に示す実施形態を示す部分切欠背面及び底面斜視図である。
【図１２】媒体挿入口にカードが送り込まれている図９に示す実施形態を示す正面図である。
【図１３】図１２の線Ａ−Ａに沿って取られた断面図である。
【図１４】移動電話機の媒体排出口からカードが現れている図１２の線Ａ−Ａに沿って取られた断面図である。
【図１５】紙カートリッジと出力受け器を有し、電池が最も外側に取り付けられたＭ−Ｐｒｉｎｔ折りたたみ式携帯電話機を、開いた位置と閉じた位置で示す図である。
【図１６】補充口を有する固定式紙カートリッジと、着脱式の印刷カートリッジ及び電池カートリッジとを有するＭ−Ｐｒｉｎｔ折りたたみ式携帯電話機を示す図である。
【図１７】入力媒体と出力媒体が輪郭で示されている、出力受け器へのアクセス口を有するＭ−Ｐｒｉｎｔ折りたたみ式携帯電話機を示す上面図である。
【図１８】紙カートリッジと出力受け器を有し、紙カートリッジが最も外側に取り付けられたＭ−Ｐｒｉｎｔ折りたたみ式携帯電話機を、開いた位置と閉じた位置で示す図である。
【図１９】着脱式の印刷カートリッジと紙カートリッジを有するＭ−Ｐｒｉｎｔ折りたたみ式携帯電話機を示す図である。
【図２０】紙カートリッジと出力受け器を有し、電池が最も外側に取り付けられたＭ−Ｐｒｉｎｔスライド式電話機を、開いた位置と閉じた位置で示す図である。
【図２１】入力媒体と出力媒体が輪郭で示されている、出力受け器へのアクセス口を有するＭ−Ｐｒｉｎｔスライド式電話機を示す底面図である。
【図２２】ＭｏＰＥＣの動作の第１のモードを表す概略図である。
【図２３】ＭｏＰＥＣの動作の第２のモードを表す概略図である。
【図２４】ＭｏＰＥＣデバイスのハードウェア構成要素を表す概略図である。
【図２５】ページ要素を示す簡略化されたＵＭＬ図である。
【図２６】クレードルアセンブリ及び圧電駆動システムを示す上面斜視図である。
【図２７】クレードルアセンブリ及び圧電駆動システムを示す底面斜視図である。
【図２８】クレードルアセンブリに装着された印刷カートリッジを示す底面斜視図である。
【図２９】クレードルアセンブリから取り外された印刷カートリッジを示す底面斜視図である。
【図３０】Ｍ−Ｐｒｉｎｔ機器のための印刷カートリッジを示す斜視図である。
【図３１】図３０の印刷カートリッジを示す分解斜視図である。
【図３２】印刷ヘッドＩＣ上のヒュージブルリンクを示す回路図である。
【図３３】単一のヒューズセルを示す回路図である。
【図３４】印刷ヘッドＩＣと、そのＭｏＰＥＣへの接続を示す概略図である。
【図３５】図３４のＣＭＯＳブロック内のノズル列とドットシフトレジスタの間の関係を示す概略図である。
【図３６】単位セルと、単位セルの、図３５のノズル列とドットシフトレジスタとの関係を示すより詳細な回路図である。
【図３７】単一の印刷ヘッドノズルの論理を示す回路図である。
【図３８】奇数と偶数のノズル行の物理的位置決めを表す概略図である。
【図３９】発熱素子の周りで気泡が発生する単一気泡形成型ノズルのインク室を通る断面を示す概略的断面図である。
【図４０】図３９のノズルにおいて成長する気泡を示す図である。
【図４１】図３９のノズル内でのさらなる気泡の成長を示す図である。
【図４２】図３９のノズルからの噴出インク滴の形成を示す図である。
【図４３】図３９のノズルにおける噴出インク滴の脱離と気泡の崩壊を示す図である。
【図４４】印刷カートリッジのクレードルアセンブリへの縦方向の挿入を示す斜視図である。
【図４５】クレードルアセンブリに挿入された印刷カートリッジを示す横断面図である。
【図４６】印刷ヘッドの開蓋と閉蓋を示す印刷カートリッジを通る横断面図である。
【図４７】印刷ヘッドの開蓋と閉蓋を示す印刷カートリッジを通る横断面図である。
【図４８】印刷ヘッドの開蓋と閉蓋を示す印刷カートリッジを通る横断面図である。
【図４９】印刷ヘッドの開蓋と閉蓋を示す印刷カートリッジを通る横断面図である。
【図５０】印刷ヘッドの開蓋と閉蓋を示す印刷カートリッジを通る横断面図である。
【図５１】印刷ヘッドの開蓋と閉蓋を示す印刷カートリッジを通る横断面図である。
【図５２】印刷ヘッドの開蓋と閉蓋を示す印刷カートリッジを通る横断面図である。
【図５３】印刷ヘッドの開蓋と閉蓋を示す印刷カートリッジを通る横断面図である。
【図５４】印刷ヘッドの開蓋と閉蓋を示す印刷カートリッジを通る横断面図である。
【図５５】印刷ヘッドの開蓋と閉蓋を示す印刷カートリッジを通る横断面図である。
【図５６】図５８Ｂに点線で示す印刷カートリッジの端部の拡大部分断面図である。
【図５７】ロック機構がロック位置まで回転されている同様の断面図である。
【図５８Ａ】カードの一部が送り経路沿いにある印刷カートリッジを示す端面図である。
【図５８Ｂ】図５８Ａの線Ａ−Ａを通る印刷カートリッジの縦断面図である。
【図５９】キャッパが閉蓋位置にある印刷カートリッジの一端部を示す部分拡大斜視図である。
【図６０】キャッパが開蓋位置にある印刷カートリッジの一端部を示す部分拡大斜視図である。
【図６１】別々のクロックトラックとデータトラックを有するカードの「裏面」上の媒体コード化を示す図である。
【図６２】別々のクロックトラックとデータトラックを有する媒体を使用するＭ−Ｐｒｉｎｔシステムを示すブロック図である。
【図６３】光符号器を示す簡略化した回路図である。
【図６４】クロック入力とデータ入力を有するＭｏＰＥＣを示すブロック図である。
【図６５】図６２のＭ−Ｐｒｉｎｔシステムでの任意選択の縁部検出器とページ同期信号発生器を示すブロック図である。
【図６６】ページ同期信号を発生させるためにデータトラック内にパイロットシーケンスを有する媒体を使用するＭｏＰＥＣを示すブロック図である。
【図６７】媒体送り経路に沿った符号器の位置を表す概略図である。
【図６８】セルフクロッキングデータトラックを有するカードの「裏面」を示す図である。
【図６９】セルフクロッキングデータトラックの復号器を示すブロック図である。
【図７０】デュアルクロックトラックセンサの位相ロックループ同期を示すブロック図である。
【図７１】媒体送りの異なる位相におけるデュアル位相ロックループ信号を示す図である。
【図７２】Ｋｉｐ符号化層を示すブロック図である。
【図７３】Ｋｉｐフレーム構造を表す概略図である。
【図７４】明示的クロッキングを有する符号化フレームを表す概略図である。
【図７５】暗黙的クロッキングを有する符号化フレームを表す概略図である。
【図７６】名目上２ドットの幅であるＫｉｐコード化マークと間隔を示す図である。
【図７７】拡張されたＫｉｐフレーム構造を表す概略図である。
【図７８】リードソロモン符号語レイアウトのデータシンボルと冗長シンボルを示す図である。
【図７９】リードソロモン符号語のデータシンボルのインターリーブを示す図である。
【図８０】リードソロモン符号語の冗長シンボルのインターリーブを示す図である。
【図８１】単一のＮｅｔｐａｇｅタグの構造を示す図である。
【図８２】９つの隣接するシンボルの配列を示す図である。
【図８３】Ｎｅｔｐａｇｅタグ内の単一シンボルの構造を示す図である。
【図８４】シンボル内のビットの順序付けを示す図である。
【図８５】全ビットが設定されている単一のＮｅｔｐａｇｅタグを示す図である。
【図８６】４つのタグのタググループを示す図である。
【図８７】連続タイルパターンにおいて反復されるタググループを示す図である。
【図８８】それぞれが４つの異なる種類のタグを有するタググループの連続タイルパターンを示す図である。
【図８９】より広範なＮｅｔｐａｇｅシステム内のＮｅｔｐａｇｅ対応移動電話機のアーキテクチャ概要を示す図である。
【図９０】スタイラスとＮｅｔｐａｇｅサーバの間のリレーとしての移動電話機マイクロサーバのアーキテクチャ概要を示す図である。
【図９１】背面カバーを取り外したＮｅｔｐａｇｅ対応移動電話機を示す斜視図である。
【図９２】Ｎｅｔｐａｇｅクリッカが一部切断されている図９１に示す電話機の部分拡大斜視図である。
【図９３】ジュピタモノリシック集積回路を示すシステムレベル図である。
【図９４】ガニメデ画像センサ及びアナログ／デジタル変換器を示す簡略化した回路図である。
【図１】
2008543599.tif 000020
【図２】
2008543599.tif 000021
【図３】
2008543599.tif 000022
【図４】
2008543599.tif 000023
【図５】
2008543599.tif 000024
【図６】
2008543599.tif 000025
【図７】
2008543599.tif 000026
【図８】
2008543599.tif 000027
【図９】
2008543599.tif 000028
【図１０】
2008543599.tif 000029
【図１１】
2008543599.tif 000030
【図１２】
2008543599.tif 000031
【図１３】
2008543599.tif 000032
【図１４】
2008543599.tif 000033
【図１５】
2008543599.tif 000034
【図１６】
2008543599.tif 000035
【図１７】
2008543599.tif 000036
【図１８】
2008543599.tif 000037
【図１９】
2008543599.tif 000038
【図２０】
2008543599.tif 000039
【図２１】
2008543599.tif 000040
【図２２】
2008543599.tif 000041
【図２３】
2008543599.tif 000042
【図２４】
2008543599.tif 000043
【図２５】
2008543599.tif 000044
【図２６】
2008543599.tif 000045
【図２７】
2008543599.tif 000046
【図２８】
2008543599.tif 000047
【図２９】
2008543599.tif 000048
【図３０】
2008543599.tif 000049
【図３１】
2008543599.tif 000050
【図３２】
2008543599.tif 000051
【図３３】
2008543599.tif 000052
【図３４】
2008543599.tif 000053
【図３５】
2008543599.tif 000054
【図３６】
2008543599.tif 000055
【図３７】
2008543599.tif 000056
【図３８】
2008543599.tif 000057
【図３９】
2008543599.tif 000058
【図４０】
2008543599.tif 000059
【図４１】
2008543599.tif 000060
【図４２】
2008543599.tif 000061
【図４３】
2008543599.tif 000062
【図４４】
2008543599.tif 000063
【図４５】
2008543599.tif 000064
【図４６】
2008543599.tif 000065
【図４７】
2008543599.tif 000066
【図４８】
2008543599.tif 000067
【図４９】
2008543599.tif 000068
【図５０】
2008543599.tif 000069
【図５１】
2008543599.tif 000070
【図５２】
2008543599.tif 000071
【図５３】
2008543599.tif 000072
【図５４】
2008543599.tif 000073
【図５５】
2008543599.tif 000074
【図５６】
2008543599.tif 000075
【図５７】
2008543599.tif 000076
【図５８Ａ】
2008543599.tif 000077
【図５８Ｂ】
2008543599.tif 000078
【図５９】
2008543599.tif 000079
【図６０】
2008543599.tif 000080
【図６１】
2008543599.tif 000081
【図６２】
2008543599.tif 000082
【図６３】
2008543599.tif 000083
【図６４】
2008543599.tif 000084
【図６５】
2008543599.tif 000085
【図６６】
2008543599.tif 000086
【図６７】
2008543599.tif 000087
【図６８】
2008543599.tif 000088
【図６９】
2008543599.tif 000089
【図７０】
2008543599.tif 000090
【図７１】
2008543599.tif 000091
【図７２】
2008543599.tif 000092
【図７３】
2008543599.tif 000093
【図７４】
2008543599.tif 000094
【図７５】
2008543599.tif 000095
【図７６】
2008543599.tif 000096
【図７７】
2008543599.tif 000097
【図７８】
2008543599.tif 000098
【図７９】
2008543599.tif 000099
【図８０】
2008543599.tif 000100
【図８１】
2008543599.tif 000101
【図８２】
2008543599.tif 000102
【図８３】
2008543599.tif 000103
【図８４】
2008543599.tif 000104
【図８５】
2008543599.tif 000105
【図８６】
2008543599.tif 000106
【図８７】
2008543599.tif 000107
【図８８】
2008543599.tif 000108
【図８９】
2008543599.tif 000109
【図９０】
2008543599.tif 000110
【図９１】
2008543599.tif 000111
【図９２】
2008543599.tif 000112
【図９３】
2008543599.tif 000113
【図９４】
2008543599.tif 000114
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
動作可能な構成と動作不能な構成になるように相互に対して移動可能な第１と第２の本体部分と、
被印刷媒体上に印刷する印刷ヘッドと、
前記被印刷媒体を前記印刷ヘッドの先に送る媒体送り経路とを備え、前記媒体送り経路が、前記動作可能な構成にあるときに、前記第１の本体部分から前記第２の本体部分にまで延在する
モバイル機器。
【請求項２】
前記媒体送り経路が、前記第１と第２の本体部分が前記動作可能な構成にあるときに実質的に直線である請求項１に記載のモバイル機器。
【請求項３】
前記第１の本体部分が前記第２の本体部分にヒンジ結合されている請求項１に記載のモバイル機器。
【請求項４】
前記第１の本体部分が前記第２の本体部分に摺動可能に連結されている請求項１に記載のモバイル機器。
【請求項５】
前記第２の本体部分が、印刷後に前記被印刷媒体を保持する収集機構を有する請求項１に記載のモバイル機器。
【請求項６】
前記第１の本体部分が前記被印刷媒体の格納機構を有し、前記印刷ヘッドが、前記格納機構と前記収集機構の間に位置付けられている請求項５に記載のモバイル機器。
【請求項７】
前記印刷ヘッドが、
被印刷媒体に印刷するノズルの配列と、
前記ノズルを覆う閉蓋位置と前記ノズルから間隔を置いた開蓋位置の間で移動可能なキャッパアセンブリであって、前記媒体から離脱すると前記閉蓋位置に移動するように前記媒体によって前記開蓋位置に保持される前記キャッパアセンブリと
を有する請求項１に記載のモバイル機器。
【請求項８】
前記被印刷媒体のシートが符号化されており、印刷エンジン制御装置が、光センサを使って前記シートの前記印刷ヘッドに対する位置を決定する請求項１に記載のモバイル機器。
【請求項９】
前記媒体を前記印刷ヘッドの先に送る駆動軸をさらに備える請求項１に記載のモバイル機器。
【請求項１０】
前記被印刷媒体がシートであり、前記シートの後縁が、印刷される前に駆動軸から離脱し、前記シートの運動量によって前記印刷ヘッドの先に突出される請求項１に記載のモバイル機器。
【請求項１１】
キャッパアセンブリが、シートが印刷された後、前記シートが手作業での収集に備えて移動電気通信機器から一部延在するように、前記シートを軽く把持する請求項４に記載のモバイル機器。
【請求項１２】
キャッパアセンブリが、シートの前縁と係合すると、閉蓋位置から開蓋位置に移動する請求項５に記載のモバイル機器。
【請求項１３】
前記印刷ヘッドが、印刷時に前記印刷媒体を、送り方向の前記印刷ヘッドの先に誘導する印刷媒体送り経路と、前記印刷媒体を、印刷のために前記印刷ヘッドの先に駆動する駆動機構とをさらに備えるカートリッジに組み込まれている請求項１に記載のモバイル機器。
【請求項１４】
前記印刷ヘッドが、インク噴出ノズルの配列を有し、前記ノズルによる噴出のために前記印刷ヘッドにインクを供給する少なくとも１つのインク容器であって、それぞれが、前記ノズルにおける前記インクの負の静水圧を誘導する少なくとも１つの吸収構造を含む前記少なくとも１つのインク容器と、不使用時に前記印刷ヘッドに蓋をする閉蓋機構とをさらに備えるカートリッジに組み込まれている請求項１に記載のモバイル機器。
【請求項１５】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記キャッパに連結された力伝達機構であって、前記媒体の縁が前記送り経路に対して移動する際に前記媒体の前記縁によって提供される力が、前記力伝達機構によって前記キャッパに伝達され、それによって少なくとも、前記媒体が前記キャッパに到達する前に、前記キャッパの前記閉蓋位置から前記開蓋位置への移動を開始するように構成された前記力伝達機構と
をさらに備える請求項１に記載のモバイル機器。
【請求項１６】
（ａ）印刷時に印刷媒体を、送り方向の前記印刷ヘッドの先に誘導する印刷媒体送り経路と、
（ｂ）キャッパが前記印刷ヘッドと閉蓋関係になるように駆動される閉蓋位置と、前記印刷ヘッドが前記印刷媒体上に印刷することのできる開蓋位置との間で移動可能なキャッパであって、前記開蓋位置では前記印刷ヘッドから外されている前記キャッパを含む閉蓋機構と、
（ｃ）前記媒体の後縁が前記印刷ヘッドから離れるまで、前記キャッパを前記開蓋位置に保持するように構成されたロック機構と
をさらに備える請求項１に記載のモバイル機器。
【請求項１７】
駆動アセンブリが、
被印刷媒体を送り経路に沿って送る媒体係合面を有する駆動軸と、
前記被印刷媒体を前記媒体係合面に対して偏らせる前記駆動軸に隣接した媒体ガイドと
を有する請求項１に記載のモバイル機器。
【請求項１８】
前記被印刷媒体のシートを前記印刷ヘッドの先に送る駆動軸
をさらに備え、使用時に前記シートが、前記シートの後縁が前記シートの印刷を完了する運動量によって前記印刷ヘッドの先に突出するように、前記シートの印刷が完了する前に前記駆動軸から離脱する請求項１に記載のモバイル機器。
【請求項１９】
前記印刷ヘッドが、
インクを噴出するノズルの配列と、
前記ノズルに印刷データを提供する印刷データ回路と、
印刷エンジン制御装置によって作動されるビーコンから光学式に前記印刷データを受け取る光センサと
を備える請求項１に記載のモバイル機器。
【請求項２０】
前記被印刷媒体のシートを前記印刷ヘッドの先に送る駆動軸と、
前記駆動軸を回転させる駆動システムであって、摩擦によって駆動ローラを回転させる前記駆動システムと
をさらに備える請求項１に記載のモバイル機器。
【国際調査報告】
2008543599.tif 000115
2008543599.tif 000116
2008543599.tif 000117
2008543599.tif 000118
2008543599.tif 000119